(57)【要約】      （修正有）【課題】小売業者は社会貢献活動による社会的評価を受けることにより、当該小売業者と接する消費者に購買意欲を換起させて販売促進に多いに役立つとともに、商品流通に係る全企業の繁栄に貢献することができる社会貢献事業に適合した事業必須項目記載表を印刷したシートを提供する。【解決手段】シートには、各種加盟企業・団体が寄付等の供託金により社会貢献事業を行う際に使用する事業必須項目記載表を印刷する。また、シートは、認定基準マスタ記載のシート１０１ａと、流通牛認定基準マスタ記載のシートと、認定会社マスタ記載のシートと、認定牛マスタ記載のシートと、資金管理マスタ記載のシートと、貢献事業マスタ記載のシートと、認識マーク表記載のシートと、流通履歴情報表記載のシートと、の組み合わせにより構成する。【選択図】図４
0003189349.tif 000002
【実用新案登録請求の範囲】
【請求項１】
社会貢献事業への加盟企業・団体及びその関係企業団体を、
肉牛飼育家畜農家と、一次流通会社と、屠畜場と、食肉加工会社と、食肉卸会社と、小売業者と、ブランド管理会社と、各種地域・社会貢献活動団体と、により構成すると共に、
各種加盟企業・団体が寄付等の供託金による社会貢献事業において使用するための事業必須項目記載表を、認定基準マスタ（１０１）と、認定会社マスタ（１０２）と、認定牛マスタ（１０３）と、資金管理マスタ（１０４）と、貢献事業マスタ（１０５）と、認識マーク表と、流通履歴情報表と、の組み合わせにより構成し、
認定基準マスタ（１０１ａ）は、社会貢献事業１に加盟を希望する流通事業者たる企業・団体が当該隣の加盟に必要な認定基準を具備しているか否かの審査に使用する表であり、加盟申請を行う企業・団体を識別検索するために各企業・団体毎に付する企業キー項目欄と、
加盟申請を行った企業・団体の名称を記載する認定基準名欄と、
加盟申請を行った企業・団体が過去に資格を失った履歴を記載する資格失効欄と、
加盟申請を行った企業・団体がどのような職種であるかを示す取引形態の区分を記載する取引形態区分欄と、
加盟申請を行った企業・団体が過去に業務停止などの懲罰を受けたか否かを記載する懲罰履歴チェック欄と、
懲罰の有効期限を記載する懲罰有効期限欄と、
加盟申請を行った企業・団体が過去に加盟申請を行ったか否かを記載する過去申請履歴欄と、
過去に加盟申請した企業・団体が有効期限を満たしているか否かを記載する過去申請履歴有効期限欄と、
加盟申請を行った企業・団体の資本金、事業年数、従業員数等の会社の概要を示す項目を記載する会社概要欄と、より構成しており、
流通牛認定基準マスタ（１０１ｂ）は、牛肉飼育家畜が流通させようとする牛が必要な認定基準を満たしているか否かを審査するために使用する表であり、
ブランド管理会社によりブランド牛の識別検索するためにブランド牛の種類毎にそれぞれ付されるブランド牛キー項目欄と、
ブランド管理会社によりブランド牛の認定基準名を記載するブランド牛認定基準欄と、
牛肉飼育家畜農家が流通申請を行った牛固有の識別番号へのチェックの有無を記載する個体識別番号チェック欄と、
牛の品種のチェック結果を記載する品種チェック欄と、
牛の産地のチェック結果を記載する産地チェック欄と、
牛の性別のチェック結果を記載する性別チェック欄と、
牛の加工日のチェック結果を記載する加工日チェック欄と、
牛の屠畜日のチェック結果を記載する屠畜日チェック欄と、
牛肉飼育家畜農家が流通申請を行った牛の格付けランクのチェック結果を記載する格付チェック欄と、
牛の傷等による傷みの瑕疵のチェック結果を記載する瑕疵チェック欄と、
牛肉の霜降りの度合いのチェック結果を記載する霜降りチェック欄と、
牛肉の色合い・光沢等のチェック結果を記載するカラーチェック欄と、
流通牛認定基準マスタの作成日等のその他の項目を記載するマスタ作成項目欄と、より構成しており、
認定会社マスタ（１０２）は、社会貢献事業に加盟が認められた流通事業者である企業・団体のデータを登録記載するための表であり、
ブランド管理会社の管理者によって加盟を認められた企業・団体を識別検索するために企業・団体毎にそれぞれ付される会社コード項目欄と、
企業・団体が参加を認可された日付を記載する認定年月日項目欄と、
加盟を認可された企業・団体の法人区分を記載する法人区分項目欄と、
企業・団体の会社名を記載する会社名項目欄と、
加盟認可を受けた企業・団体の代表者を記載する代表者項目欄と、
企業・団体の住所を記載する現在地項目欄と、
企業・団体の電話やＦＡＸ等の連絡番号を記載する連絡番号欄と、
加盟を認可された企業・団体の認定年月日や資本金等の会社概要を記載する会社概要欄と、より構成しており、
認定牛マスタ（１０３）は、牛肉飼育家畜農家（１０）が飼育したブランド牛の詳細を記載するために使用する表であり、
流通申請を認可されたブランド牛の検索をするためにブランド牛毎に付される識別コードを記載する団体識別コード項目欄と、ブランド牛の品種を記載するための品種項目欄と、
ブランド牛の最長肥育地を産地として記載するための産地項目欄と、
ブランド牛の性別を記載する性別項目欄と、
ブランド牛の出生年月日を記載する出生年月日項目欄と、
ブランド牛を屠畜した屠畜場を記載する屠畜項目欄と、
屠畜場から発行される証明書記載の枝番号を記載する屠畜番号項目欄と、
ブランド牛の格付を記載する格付項目欄と、
傷等による傷みの瑕疵の情報を記載する瑕疵情報項目欄と、
ブランド牛の霜降りの度合いを記載する霜降り項目欄と、
ブランド牛の色合いと光沢を記載する色彩項目欄と、
ブランド牛の屠畜から小売業者（６０）により消費者に販売されるまでの有効期限を記載すする有効期限項目欄と、
認定牛マスタ（１０３）の作成者、更新者、作成日、更新日等を記載するマスタ作成者項目欄と、
ブランド牛を加工した食肉加工会社（４０）や食肉卸会社（５０）を記載する流通項目欄とより構成しており、
資金管理マスタ（１０４）は、社会貢献事業に加盟している企業・団体からの供託金の収入や支出を管理するためと共に、販売拡大及び小売業者（６０）への販売促進のための資金等の支出を管理するための表であり、
ブランド管理会社（９０）の収入金及び支出を検索するため収入及び支出度に付する資金管理項目欄と、
企業・団体から徴収した社会貢献事業を行うための資金毎に管理名を記載する資金管理名項目欄と、
補助金、供託金、支援金等の資金の管理区分を記載する資金管理区分項目欄と、
資金の貸付先や借入先を記載する貸方科目・借方科目欄と、より構成しており、
貢献事業マスタ（１０５）は、社会貢献事業に加盟する流通業者から拠出された供託金を運用し、小売業者（６０）が供託金を資金として実施した社会貢献事業を知るために使用する表であり、ブランド管理会社（９０）によって実施された社会貢献事業を検索するために各事業毎に付する事業キー項目欄と、
実施した社会貢献活動の事業区分を記載する事業区分項目欄と、
実施した社会貢献活動の事業名を記載する事業名項目欄と、
実施した社会貢献活動の実施された場所を記載する事業場所項目欄と、
実施した社会貢献活動の開始及び終了の年月日を記載する事業有効日項目欄と、
実施した社会貢献活動が実施可能な所定の資格条件を満たしていることを記載する基本参加条件項目欄と、
実施した社会貢献活動のためにブランド管理会社（９０）が支出した基本となる金額を記載する支出基本項目欄と、より構成しており、
ブランド牛に付すための認識マーク（Ｆ）は、消費者（７０）が認識マークＦを目視することにより認識マーク（Ｆ）の付されたブランド牛の小売業者（６０）が社会貢献活動による社会的評価を受けることを認識し、消費者（７０）に購買意欲を喚起させて販売促進となるように機能するものであり、ブランド牛に割り振られる固有の番号となる数字又はアルファベットより構成され、ブランド牛の全加工処理流通経路において、所定の手段で所定の位置に一貫して表記されて最終的には小売業者（６０）の社会貢献活動の特定表記に使用され、更にはブランド牛の流通に関わった複数の流通業者の履歴を表す流通履歴情報欄を有した個体識別番号（Ｆ２）より構成されており、
流通履歴情報欄は、個体識別番号（Ｆ２）を示す項目と、流通経路においてブランド牛の流通に関係した各流通関係者を示す項目と、
小売業者（６０）が行った社会貢献活動の内容を示す項目とより構成されていることを特徴とする寄付等の供託金による社会貢献事業において使用する事業必須項目記載表の組合わせよりなることを特徴とする寄付等の供託金による社会貢献事業において使用する事業必須項目記載表の組合わせ。
【考案の詳細な説明】
【技術分野】
【０００１】
この考案は、寄付等の供託金による社会貢献事業において使用する事業必須項目記載表の組合わせに関する。
【背景技術】
【０００２】
従来、商品の流通過程で一定の金額を供託金として社会奉仕に使用する社会貢献事業がある。
【０００３】
例えば、商品一個につきその価格の０．１％分を社会貢献料として設定し、商品のメーカが予め寄付の商品価格にその社会貢献料を付加した金額を流通価格とし、消費者はかかる社会貢献料付きの商品を購入することにより、商品メーカは予め付加した社会貢献料を寄付として社会貢献に用いるという社会貢献事業がある（例えば、特許文献１参照）。
【先行技術文献】
【特許文献】
【０００４】
【特許文献１】特開２００８−１９７７０１号公報
【考案の概要】
【考案が解決しようとする課題】
【０００５】
かかる事業の特徴は、第一に、商品価格中に予め社会貢献料の金額が含まれているので社会貢献料は消費者が負担しており、第二には、寄付の社会貢献は最終的には商品のメーカが行うということであり、そのような事業に適合したデータ記載用のフォーマットが用いられていた。
【０００６】
しかし、上記事業では、消費者にとって商品を可及的に安価に購入したいという意図に反する。また、商品メーカが社会より社会奉仕の評価を受けるのみであり、消費者と直接に接する小売店には社会的評価は発生しないこととなり、小売店の販売促進努力を喚起することにならないという欠点を有した社会貢献事業となり、そのような社会貢献事業としては欠点を有する事業を達成するためには各種流通過程でかかる事業に適合したデータ記載用のフォーマットが用いられている。
【０００７】
本考案は、斯かる事情に鑑みてなされたものであって、小売業者は社会貢献活動による社会的評価を受けることにより、当該小売業者と接する消費者に購買意欲を換起させて販売促進に多いに役立つとともに、商品流通に係る全企業の繁栄に貢献することができる社会貢献事業に適合した事業必須項目記載表の組み合わせを提供する。
【課題を解決するための手段】
【０００８】
請求項１記載の本考案は、社会貢献事業への加盟企業・団体及びその関係企業団体を、肉牛飼育家畜農家と、一次流通会社と、屠畜場と、食肉加工会社と、食肉卸会社と、小売業者と、ブランド管理会社と、各種地域・社会貢献活動団体と、により構成すると共に、各種加盟企業・団体が寄付等の供託金による社会貢献事業において使用するための事業必須項目記載表を、認定基準マスタ１０１と、認定会社マスタ１０２と、認定牛マスタ１０３と、資金管理マスタ１０４と、貢献事業マスタ１０５と、認識マーク表と、流通履歴情報表と、の組み合わせにより構成し、認定基準マスタ１０１ａは、社会貢献事業１に加盟を希望する流通事業者たる企業・団体が当該隣の加盟に必要な認定基準を具備しているか否かの審査に使用する表であり、加盟申請を行う企業・団体を識別検索するために各企業・団体毎に付する企業キー項目欄と、加盟申請を行った企業・団体の名称を記載する認定基準名欄と、加盟申請を行った企業・団体が過去に資格を失った履歴を記載する資格失効欄と、加盟申請を行った企業・団体がどのような職種であるかを示す取引形態の区分を記載する取引形態区分欄と、加盟申請を行った企業・団体が過去に業務停止などの懲罰を受けたか否かを記載する懲罰履歴チェック欄と、懲罰の有効期限を記載する懲罰有効期限欄と、加盟申請を行った企業・団体が過去に加盟申請を行ったか否かを記載する過去申請履歴欄と、過去に加盟申請した企業・団体が有効期限を満たしているか否かを記載する過去申請履歴有効期限欄と、加盟申請を行った企業・団体の資本金、事業年数、従業員数等の会社の概要を示す項目を記載する会社概要欄と、より構成しており、流通牛認定基準マスタ１０１ｂは、牛肉飼育家畜が流通させようとする牛が必要な認定基準を満たしているか否かを審査するために使用する表であり、ブランド管理会社によりブランド牛の識別検索するためにブランド牛の種類毎にそれぞれ付されるブランド牛キー項目欄と、ブランド管理会社によりブランド牛の認定基準名を記載するブランド牛認定基準欄と、牛肉飼育家畜農家が流通申請を行った牛固有の識別番号へのチェックの有無を記載する個体識別番号チェック欄と、牛の品種のチェック結果を記載する品種チェック欄と、牛の産地のチェック結果を記載する産地チェック欄と、牛の性別のチェック結果を記載する性別チェック欄と、
牛の加工日のチェック結果を記載する加工日チェック欄と、牛の屠畜日のチェック結果を記載する屠畜日チェック欄と、牛肉飼育家畜農家が流通申請を行った牛の格付けランクのチェック結果を記載する格付チェック欄と、牛の傷等による傷みの瑕疵のチェック結果を記載する瑕疵チェック欄と、牛肉の霜降りの度合いのチェック結果を記載する霜降りチェック欄と、牛肉の色合い・光沢等のチェック結果を記載するカラーチェック欄と、流通牛認定基準マスタの作成日等のその他の項目を記載するマスタ作成項目欄と、より構成しており、認定会社マスタ１０２は、社会貢献事業に加盟が認められた流通事業者である企業・団体のデータを登録記載するための表であり、ブランド管理会社の管理者によって加盟を認められた企業・団体を識別検索するために企業・団体毎にそれぞれ付される会社コード項目欄と、企業・団体が参加を認可された日付を記載する認定年月日項目欄と、加盟を認可された企業・団体の法人区分を記載する法人区分項目欄と、企業・団体の会社名を記載する会社名項目欄と、加盟認可を受けた企業・団体の代表者を記載する代表者項目欄と、企業・団体の住所を記載する現在地項目欄と、企業・団体の電話やＦＡＸ等の連絡番号を記載する連絡番号欄と、加盟を認可された企業・団体の認定年月日や資本金等の会社概要を記載する会社概要欄と、より構成しており、認定牛マスタ１０３は、牛肉飼育家畜農家１０が飼育したブランド牛の詳細を記載するために使用する表であり、流通申請を認可されたブランド牛の検索をするためにブランド牛毎に付される識別コードを記載する団体識別コード項目欄と、ブランド牛の品種を記載するための品種項目欄と、ブランド牛の最長肥育地を産地として記載するための産地項目欄と、ブランド牛の性別を記載する性別項目欄と、ブランド牛の出生年月日を記載する出生年月日項目欄と、ブランド牛を屠畜した屠畜場を記載する屠畜項目欄と、屠畜場から発行される証明書記載の枝番号を記載する屠畜番号項目欄と、ブランド牛の格付を記載する格付項目欄と、傷等による傷みの瑕疵の情報を記載する瑕疵情報項目欄と、ブランド牛の霜降りの度合いを記載する霜降り項目欄と、ブランド牛の色合いと光沢を記載する色彩項目欄と、ブランド牛の屠畜から小売業者６０により消費者に販売されるまでの有効期限を記載すする有効期限項目欄と、認定牛マスタ１０３の作成者、更新者、作成日、更新日等を記載するマスタ作成者項目欄と、ブランド牛を加工した食肉加工会社４０や食肉卸会社５０を記載する流通項目欄とより構成しており、資金管理マスタ１０４は、社会貢献事業に加盟している企業・団体からの供託金の収入や支出を管理するためと共に、販売拡大及び小売業者６０への販売促進のための資金等の支出を管理するための表であり、ブランド管理会社９０の収入金及び支出を検索するため収入及び支出度に付する資金管理項目欄と、企業・団体から徴収した社会貢献事業を行うための資金毎に管理名を記載する資金管理名項目欄と、補助金、供託金、支援金等の資金の管理区分を記載する資金管理区分項目欄と、資金の貸付先や借入先を記載する貸方科目・借方科目欄と、より構成しており、貢献事業マスタ１０５は、社会貢献事業に加盟する流通業者から拠出された供託金を運用し、小売業者６０が供託金を資金として実施した社会貢献事業を知るために使用する表であり、ブランド管理会社９０によって実施された社会貢献事業を検索するために各事業毎に付する事業キー項目欄と、実施した社会貢献活動の事業区分を記載する事業区分項目欄と、実施した社会貢献活動の事業名を記載する事業名項目欄と、実施した社会貢献活動の実施された場所を記載する事業場所項目欄と、実施した社会貢献活動の開始及び終了の年月日を記載する事業有効日項目欄と、実施した社会貢献活動が実施可能な所定の資格条件を満たしていることを記載する基本参加条件項目欄と、実施した社会貢献活動のためにブランド管理会社９０が支出した基本となる金額を記載する支出基本項目欄と、より構成しており、ブランド牛に付すための認識マークＦは、消費者７０が認識マークＦを目視することにより認識マークＦの付されたブランド牛の小売業者６０が社会貢献活動による社会的評価を受けることを認識し、消費者７０に購買意欲を喚起させて販売促進となるように機能するものであり、ブランド牛に割り振られる固有の番号となる数字又はアルファベットより構成され、ブランド牛の全加工処理流通経路において、所定の手段で所定の位置に一貫して表記されて最終的には小売業者６０の社会貢献活動の特定表記に使用され、更にはブランド牛の流通に関わった複数の流通業者の履歴を表す流通履歴情報欄を有した個体識別番号Ｆ２により構成されており、流通履歴情報欄は、個体識別番号Ｆ２を示す項目と、流通経路においてブランド牛の流通に関係した各流通関係者を示す項目と、小売業者６０が行った社会貢献活動の内容を示す項目とより構成されていることを特徴とする寄付等の供託金による社会貢献事業において使用する事業必須項目記載表の組合わせよりなることを特徴とする寄付等の供託金による社会貢献事業において使用する事業必須項目記載表の組合わせである。
【考案の効果】
【０００９】
この考案によれば、社会貢献事業への関係企業団体を肉牛飼育家畜農家を初めとして各取引流通会社により構成して、各取引流通会社の供託金による社会貢献事業において使用するための事業必須項目記載表を、認定基準マスタ、認定マスタ、認定牛マスタ、資金管理マスタ、貢献事業マスタ、認識マーク表、流通履歴情報表との組み合わせにより構成し、各事業必須項目記載表のそれぞれには所定の必要な項目を記載するための各種欄を設けてこれらの各種欄の記載によって社会貢献事業の全容が一目瞭然に把握ことができて、円滑な商品流通を促すようにしたことにより、商品の最終価格、すなわち、小売価格は従来と同じであるにもかかわらず、消費者と直接に接する小売業者は一定の供託金をブランド会社より提供されると共に、その供託金を各種地域での社会貢献に用いて社会的評価を受けることができるという商品流通形態を実現するための書式を提供することができ、特に、これらの事業必須項目記載表を組み合わせておくことにより、商品流通形態に係る業者がこれらに記載表に必須項目を記入してその内容を認識するだけで、商品流通の全容を把握することができ、取引業者が供託金による社会貢献事業に伴った商品流通事業を行っていることを自覚し、最終的には小売業者と接する消費者が社会貢献事業に携わっているという認識のもとに購買意欲を喚起させて商品の全般的な販売促進に役立つことになる効果がある。
なお、供託金を管理会社に拠出する特定の流通関係者はその分売上が減少することになるが、供託金による社会貢献事業の認識による消費者の購買意欲向上によって売上増加をもたらし、流通業者全般の事業繁栄をもたらす効果があり、かかる各流通業者のそれぞれの活動は事業必須項目記載表を用いることにより明確に把握され、この記載表の各項目が活動の指針として機能することになる効果がある。
また、事業必須項目記載表は、インターネット回線網によるコンピュータの管理端末、申請端末等の接続ラインに用いることができ、より効率的な事業必須項目記載表の活用を促すことができる効果がある。
【図面の簡単な説明】
【００１０】
【図１】本考案に係る社会貢献事業の概要を示す図である。
【図２】本考案に係る社会貢献事業の構成を示す図である。
【図３】本考案に係る社会貢献事業の処理の流れを示す図である。
【図４】本考案に係る社会貢献事業のデータベースを説明する図である。
【図５】本考案に係る社会貢献事業のデータベースを説明する図である。
【図６】本考案に係る社会貢献事業のデータベースを説明する図である。
【図７】本考案に係る社会貢献事業のデータベースを説明する図である。
【図８】本考案に係る社会貢献事業のデータベースを説明する図である。
【図９】本考案に係る社会貢献事業のデータベースを説明する図である。
【図１０】本考案に係る社会貢献事業の認識マークの一例を示す図である。
【図１１】本考案に係る社会貢献事業の流通管理情報の一例を示す図である。
【図１２】本考案に係る社会貢献事業の認識マークの他の一例を示す図である。
【考案を実施するための形態】
【００１１】
以下、考案を実施するための形態（以下、「実施形態」とする）について説明する。
【００１２】
本考案に係る寄付等の供託金による社会貢献事業を伴う商品流通過程は、商品の流通過程に携わる複数の流通事業者（例えば、商品生産者、一次流通会社、加工会社、卸会社など）が商品価格の一部をそれぞれ寄付してブランド管理会社にプールすると共に、最終の販売業者である小売業者がそのプールした供託金を社会奉仕に寄付等により貢献するように使用し、しかも、消費者がかかる供託金としての寄付のプールされた流通経路を経た商品であることを認識することができるように商品には認識マークを付するように構成した流通形態が一定の事業必須項目を記載する表を見ることにより詳細が一目瞭然に認識できるようにしている。
【００１３】
以下、本考案に係る商品流通過程の概要を図面に基づいて詳細に説明する。なお、以下の商品流通過程においては、商品を食用牛肉とし、当該食用牛肉の飼育、加工、販売にかかる社会貢献事業を一例として説明する。図１は、本考案に係るデータ記載、構造を用いた社会貢献事業の概要を示す図である。なお、本実施形態では、社会貢献事業１を食用牛肉（以下、ブランド牛ともいう）の流通に適用した例について説明する。流通される商品は、牛肉以外の食用肉（例えば、豚肉、鶏肉など）等を用いることもできる。
【００１４】
図１に示すように、社会貢献事業１を構成する企業・団体は、牛肉飼育家畜農家１０、一次流通会社２０、屠畜場３０、食肉加工会社４０、食肉卸会社５０、小売業者６０、消費者７０、各種地域・社会貢献活動団体８０及びブランド管理会社９０などの複数の事業者により構成されている。以下、社会貢献事業１を構成する上記各事業者の概要及び流通するブランド牛・活動・社会貢献事業資金（供託金）の流れを事業必須項目記載表に基づき説明する。また、本実施形態における社会貢献事業１は、ブランド管理会社９０が定めるところの一定の認定基準を満たした複数の事業者間で、事業必須項目記載表に基づきブランド牛を流通させることにより、消費者にとって安心・安全なブランド牛を提供することができることになる。なお、本実施形態における社会貢献事業１への認定基準の詳細は後述する。
【００１５】
また、社会貢献事業１を構成する小売業者６０を除く上記各事業者が、事業必須項目記載表を作成しつつ事業必須項目記載表に基づき各々一定の供託金としての寄付を社会貢献事業資金としてブランド管理会社９０に拠出することにより、ブランド管理会社９０は、当該社会貢献事業資金を管理・運用して社会貢献活動を実施する。これにより、社会貢献活動へ関心・意識の高い法人や個人などが経営する事業者が生産・流通・販売を担う社会貢献事業１とすることができる。なお、図中、太線は「牛肉飼育家畜農家１０から消費者７０までのブランド牛の流れ」を示し、図中、実線は「社会貢献活動の流れ」を示し、図中、破線は「社会貢献事業資金（以下、供託金という）の流れ」を示し、図中一点鎖線は社会貢献事業にかかる「情報提供の流れ」を示す。
【００１６】
牛肉飼育家畜農家１０は、ブランド管理会社９０によって、一定の認定基準を満たす飼育条件で食肉用の牛（以下、ブランド牛という）を飼育していると認定された牛肉飼育家畜農家１０である。そして、所定の飼育期間を終えたブランド牛を、一次流通会社２０へ出荷する（図中太線の（１））。このとき、牛肉飼育家畜農家１０は、ブランド牛の売却価格から所定の金額を供託金ｎ１としてブランド管理会社９０に拠出する。また、牛肉飼育家畜農家１０から一次流通会社２０へ出荷されたブランド牛には、所定の認識マークＦが付されている。この認識マークＦは、詳細は後述するが、社会貢献事業１におけるブランド牛の個体を識別可能な番号などで構成される。
【００１７】
このように、牛肉飼育家畜農家１０が飼育するブランド牛は、ブランド管理会社９０が定めるところの一定の認定基準を満たした複数の事業者間で流通させることができるため、安定した品質及び販路を確保することができ、一定量の販売頭数の増加を見込むことができる。また、「生産者限定牛肉」といったブランディングを展開することで最終小売段階での生産者の肖像露出によるステータスの創出も可能となる。
【００１８】
一次流通会社２０は、牛肉飼育家畜農家１０から公営の屠畜場３０への中間流通を担う。一次流通会社２０は、牛肉飼育家畜農家１０から購入したブランド牛を食肉加工会社４０へ売却する（図中太線の（２））とともに、所定の屠畜料を屠畜場３０に支払いブランド牛の屠蓄を依頼する。一次流通会社２０は、ブランド牛の売却価格から所定の金額を供託金ｎ２としてブランド管理会社９０に拠出する。
【００１９】
屠畜場３０は、一次流通会社２０から出荷されたブランド牛を屠畜して、食肉加工会社４０へ供給する（図中太線の（３））。屠畜場３０は、ブランド牛の屠畜料から所定の金額を供託金ｎ３としてブランド管理会社９０に拠出する。このとき、食肉加工会社４０へ供給するブランド牛にも、上述した所定の認識マークＦが付されている。
【００２０】
なお、屠畜場３０は一般には、「食肉処理場」「食肉センター」などの名称が付されているものが多く、これらの施設は主に食肉加工会社や第三セクター、または自治体によって設置される。本実施形態においては、第三セクターまたは自治体によって運営される公営の屠畜場３０として、屠畜場３０と食肉加工会社４０とを区別しているが、食肉加工会社４０が屠畜場３０を併せている場合は、屠畜場３０は省略してもよい。
【００２１】
食肉加工会社４０は、屠畜場３０から出荷されたブランド牛を加工する。食肉加工会社４０は、加工されたブランド牛を食肉卸会社５０へ売却する（図中太線の（４））。食肉加工会社４０は、ブランド牛の売却価格から所定の金額を供託金ｎ４としてブランド管理会社９０に拠出する。なお、食肉卸会社５０へ売却されるブランド牛は、所定の部位の肉塊として供給されるが、この肉塊にも上述した所定の認識マークＦが付されている。
【００２２】
食肉卸会社５０は、加工されたブランド牛を小売業者６０へと流通する専売権を保有する。食肉卸会社５０は、ブランド牛を小売業者６０へ販売する（図中太線の（５））。そして、販売価格から所定の金額を供託金ｎ５としてブランド管理会社９０に拠出する。また、小売業者６０へ売却されたブランド牛にも上述した所定の認識マークＦが付されている。
【００２３】
本実施形態における社会貢献事業１では、牛肉飼育家畜農家１０から小売業者６０の一つ手前の流通業者である食肉卸会社５０に至る各流通業者が、ブランド牛の流通販売に際して、その販売価格の一部である供託金ｎ１，ｎ２，ｎ３，ｎ４，ｎ５をそれぞれブランド管理会社９０に拠出する。拠出された供託金ｎ１，ｎ２，ｎ３，ｎ４，ｎ５は、ブランド管理会社９０によって社会貢献活動資金としてプールされる。
【００２４】
小売業者６０は、自己の仕入れた原価に自己の利益や経費を加算して消費者７０にブランド牛の販売を行う（図中太線の（６））。また、最終的に消費者７０が購入したブランド牛にも上述した所定の認識マークＦが付されている。このようにして、本実施形態における社会貢献事業１では、最終の消費者７０に至るまで認識マークＦが付されたブランド牛を提供している。これにより、消費者７０は、当該ブランド牛を飼育した牛肉飼育家畜農家１０や当該ブランド牛の流通にかかる各流通業者を特定することができるので、安心して購入したブランド牛を食することができる。
【００２５】
また、本実施形態においては、小売業者６０は、食肉卸会社５０から購入したブランド牛の購入価格に応じて、ブランド管理会社９０にプールされている社会貢献活動資金の一部を、社会貢献活動費の供託金Ｎとして提供されることになる。
【００２６】
この供託金Ｎは、上述したように、社会貢献事業１の流通始端の牛肉飼育家畜農家１０から、小売業者６０の一つ前の食肉卸会社５０に至るまでの各流通業者が、流通する商品（つまり、ブランド牛）の価格の一部を、自己の利益の中より除外して、供託金ｎ１，ｎ２，ｎ３，ｎ４，ｎ５としてブランド管理会社９０に拠出したものである。
【００２７】
小売業者６０は、ブランド管理会社９０から提供された供託金Ｎを社会貢献活動に用いなければならない（図中実線の（ａ））。すなわち、例えば、子供達への食育推進活動、環境保全活動、スポーツや文化推進活動、教育関連基金創設活動、身障者施設への車椅子寄付活動等の多種多様の社会貢献活動のために供託金Ｎを活用するのである。
【００２８】
このように、小売業者６０は、社会貢献活動をブランド管理会社９０から提供された供託金Ｎを基にして行うために自己の資金を要することなく、通常の流通ビジネスの遂行にともなって必然的に社会貢献活動となり実現する。小売業者６０の社会貢献活動は、本考案の社会貢献事業１の核心となるところである。
【００２９】
また、小売業者６０が社会貢献活動を行う場合、小売業者６０は、一般にどのようにして社会貢献活動を行えばよいか分からない場合がある。この場合は、社会貢献事業１のブランド管理会社９０は、小売業者６０に社会貢献活動に用いる供託金Ｎを提供するだけではなく、当該小売業者６０の近隣で実行することができる種地域・社会貢献活動団体８０の情報を提供（図中一点鎖線（Ａ））する。このため、ブランド管理会社９０は、社会貢献事業１に加盟している小売業者６０の近隣で行われている各種地域・社会貢献活動団体８０の活動情報を収集（図中一点鎖線（Ｂ））しておく。
【００３０】
このように、小売業者６０は、自己の資金を調達することなく、供託金Ｎを基にして社会貢献活動を行うことができ、かかる小売業者６０の活動は、社会的認知度を高めて消費者７０の共感を喚起し、翻っては当該小売業者６０に対する消費者７０の購買意欲を向上し、最終的には、かかる社会貢献活動を行っている小売業者６０の販売高が向上することになる。
【００３１】
このことは、社会貢献事業１において当該小売業者６０に至る各所の中間加工・流通業者においても適合することであり、小売業者６０の販売高が向上すれば当然に、他の流通業者の売上も向上し、小売業者６０に至る各流通業者はその分利潤が増加する。また、それだけではなく、社会貢献事業１にかかる複数の中間加工・流通業者が拠出した供託金ｎ１，ｎ２，ｎ３，ｎ４，ｎ５により社会貢献活動が行われるため、中間加工・流通業者にとっても、直接的・間接的に社会貢献活動に関わることができる。さらに、消費者に安全な商品（ブランド牛又はブランド牛食肉）を提供することで、会社としてのＣＳＲ（Ｃｏｒｐｏｒａｔｅ  Ｓｏｃｉａｌ  Ｒｅｓｐｏｎｓｉｂｉｌｉｔｙ）活動を充実させることができる。ここで、ＣＳＲ活動とは、企業が利益を追求するだけでなく、消費者などからの食の安全への要求に対して適切な意思決定（つまり、安全な商品を提供する。）をすることである。
【００３２】
ブランド管理会社９０は、本実施形態における社会貢献事業１を運用・管理するための会社である。以下、社会貢献事業１のブランド管理会社９０の構成及び機能を、図２を参照して説明する。
【００３３】
図２に示すように、本字実施形態の社会貢献事業１を、事業必須項目記載表に基づいてインターネット回路網２００を用いて実施する場合を一例として説明すると、ブランド管理会社９０の管理端末９１と、牛肉飼育家畜農家１０の申請端末１１、一次流通会社２０の申請端末２１、屠畜場３０の申請端末３１、食肉加工会社４０の申請端末４１、食肉卸会社５０の申請端末５１及び小売業者６０の申請端末６１とを、インターネット回線網２００を介して相互に接続することにより、社会貢献事業１を実現する。管理端末９１、各申請端末１１，２１，３１，４１，５１，６１は、既存のコンピュータ（パーソナルコンピュータなどを含む）が用いられる。
【００３４】
ブランド管理会社９０の管理端末９１は、社会貢献事業１を運用・管理するための制御部９８と、制御部９８の各種機能を実行するためにデータベースとしての記憶部１００から構成されている。制御部９８は、図示しない演算装置としてのＣＰＵや記憶装置としてのＲＯＭ、ＲＡＭ、ＨＤＤ（Ｈａｒｄ  Ｄｉｓｋ  Ｄｒａｉｖｅｒ）などから構成されており、ＲＯＭ又はＨＤＤに予め記憶されている各種機能（認定管理手段９２、流通管理手段９３、トレーサビリティ手段９４、社会貢献事業実施管理手段９５、社会貢献事業資金管理手段９６、販売促進支援手段９７など）を実行するための複数のプログラムをＣＰＵが読み出して実行することで、社会貢献事業１を運用・管理している。
【００３５】
記憶部１００は、大容量のＨＤＤや不揮発性のフラッシュメモリなどで構成されている。記憶部１００には、社会貢献事業１を運用・管理するための各種データを記載する一定の表（すなわち、認定基準マスタ１０１ａ、１０１ｂ、認定会社マスタ１０２、認定牛マスタ１０３、資金管理マスタ１０４、貢献事業マスタ１０５など）がフォーマットとして記憶されている。
【００３６】
以下、インターネット回路網２００を事業必須項目記載表に基づいて機能させる場合を一例として説明するに際し、まず、図２に示すブランド管理会社９０保有の管理端末９１で実行される各種機能の役割を説明する。
認定管理手段９２は、
（１）社会貢献事業１に加盟を希望する企業・団体を、事業必須項目記載表に基づいて定められた認定基準により審査して結果を管理する。
（２）加盟申請を行った企業・団体が認定されているか、また、申請内容が登録されている取引形態で申請可能か事業必須項目記載表に基づいて管理する。
（３）認定された企業・団体より申請された商品（つまり、ブランド牛又はブランド牛食肉など、以下、ブランド牛ともいう）が、社会貢献事業１で流通可能なブランド牛として認定されているか事業必須項目記載表に基づいて管理する。
（４）認定された企業・団体より申請された事業が社会貢献事業となりえるかを事業必須項目記載表に基づき管理する。
【００３７】
すなわち、認定管理手段９２は、社会貢献事業１を構成する各流通業者である企業・団体の加盟の認定作業のために事業必須項目記載表を作成して該表に基づいて加盟の是非を判断する。つまり、各流通業者である企業・団体からの加盟の申請を、後述の認定基準マスタ１０１ａのフォーマット、すなわち、事業必須項目記載表を作成して登録すると共に、当該社会貢献事業１への加盟を申請した企業・団体の加盟の是非を所定の認可条件に基づいて判断する。また、認定管理手段９２は、社会貢献事業１で小売業者６０にて実行される社会貢献事業の是非を判断して、小売業者６０に適切な社会貢献事業を案内する。
【００３８】
流通管理手段９３は、上記認定管理手段９２により認定されたブランド牛の流通情報（関連した企業情報、ブランド牛情報、取引情報など）の登録及び管理を事業必須項目記載表に基づいて行う。つまり、流通管理手段９３は、社会貢献事業１におけるブランド牛及び流通にかかる各流通業者を登録する。
【００３９】
トレーサビリティ手段９４は、ブランド牛と認定された牛の固有情報（品種、産地、出生日など）・出荷日・出荷先・屠畜日・加工日などの移動履歴管理を事業必須項目記載表に基づいて行う。つまり、トレーサビリティ手段９４は、牛肉飼育家畜農家１０から出荷されたブランド牛が、小売業者６０の店頭で消費者に販売されるまでの流通経路の履歴管理を事業必須項目記載表に基づいて行う。このブランド牛の流通経路の履歴は、後述の図１０に示すブランド牛の流通履歴情報１１０の元となる。
【００４０】
社会貢献事業実施管理手段９５は、
（１）ブランド管理会社９０が認定している社会貢献事業を事業必須項目記載表により管理する。
（２）社会貢献事業１で実施された社会貢献事業の実施内容（実施履歴）を事業必須項目記載表により管理する。
【００４１】
つまり、社会貢献事業実施管理手段９５は、社会貢献事業１で実施された社会貢献事業の具体的な実施内容などを事業必須項目記載表により管理して表示するホームページなどにより、例えば、インターネット回線網２００を介して接続されている各流通業者の申請端末１１，２１，３１，４１，５１，６１や、消費者が所持するコンピュータ７１において、実施した社会貢献事業の内容を誰にでも分かり易く公開する機能を有する。
【００４２】
社会貢献事業資金管理手段９６は、
（１）社会貢献事業１に加盟している企業・団体からの取引高に応じた供託金ｎ１〜ｎ５（図１参照）の請求及び入金管理を事業必須項目記載表に基づいて行う。
（２）認定された社会貢献事業を行う小売業者６０への供託金Ｎ（図１参照）の提供及び支出管理を事業必須項目記載表に基づいて行う。
【００４３】
社会貢献事業資金管理手段９６は、社会貢献事業に支出した資金の流れを、事業必須項目記載表に基づいて上記ホームページなどにより、広く一般に公開して、実施した社会貢献事業に要した資金の流れが誰にでも分かり易いように公開する機能を有する。
【００４４】
販売促進支援手段９７は、
（１）小売業者６０で消費者に販売される上記トレーサビリティ手段９４で管理されているブランド牛の移動履歴を事業必須項目記載表に基づいて、ホームページなどにより消費者７０及び社会貢献事業１に加盟している企業・団体が閲覧可能とする。
（２）社会貢献事業１に加盟している企業・団体による実施履歴を事業必須項目記載表に基づいてホームページなどにより消費者７０及び社会貢献事業１に加盟している企業・団体が閲覧可能とする。
（３）事業必須項目記載表によりホームページや電子媒体を活用して、社会貢献事業のＰＲ活動を行う。
（４）小売業者６０を対象とした販売促進支援を行った履歴を事業必須項目記載表に基づいて管理する。
【００４５】
すなわち、販売促進支援手段９７は、事業必須項目記載表に基づいてホームページなどを利用して、社会貢献事業１で流通するブランド牛の生産（飼育）から小売業者６０で販売されるまでの履歴を追跡可能とするともに、社会貢献事業１で実施された事業の内容を公開する。また、社会貢献事業１における事業を一般の消費者や流通事業を営む企業・団体にＰＲすることにより、社会貢献事業１の商品価値をＰＲしたり、社会貢献事業１への参入をＰＲしたりする。
【００４６】
ブランド管理会社９０の処理の流れを、図３を参照して説明する。
まず、図３に示すように、ブランド管理会社９０の制御部９８において、事業必須項目記載表に基づいた認定管理手段９２が実行される。この機能は、上述したように、ブランド管理会社９０の管理端末９１の制御部９８で実行される。
【００４７】
認定管理手段９２は、事業必須項目記載表に基づいて社会貢献事業１を構成する各流通業者である企業・団体の加盟の認定作業を行う。つまり、事業必須項目記載表による各流通業者である企業・団体からの加盟の申請を、インターネット回線網２００を介して、各申請端末１１，２１，３１，４１，５１，６１から受け付ける。そして、事業必須項目記載表により受け付けた申請を認定基準マスタ１０１ａとして登録すると共に、当該社会貢献事業１への加盟を申請した企業・団体の加盟の是非を所定の認可条件（I認定企業（企業の業績、過去の賞罰など）、II取引形態（社会貢献事業１の取引形態に応じているか）、III認定牛（所定の品質のブランド牛を取り扱っているか）、IV認定事業（社会貢献事業１で実施する社会貢献事業として適しているか））に基づいて判断する。
【００４８】
認定管理手段９２は、事業必須項目記載表により各流通業者である企業・団体からの加盟の申請が不承認であると判断すると、その旨を申請された各申請端末１１，２１，３１，４１，５１，６１へ通知する。一方、認定管理手段９２は、事業必須項目記載表により各流通業者である企業・団体からの加盟の申請が承認であると判断すると、その旨を申請された各申請端末１１，２１，３１，４１，５１，６１へ通知する。
【００４９】
認定管理手段９２が終了すると、流通管理手段９３、トレーサビリティ手段９４、社会貢献事業実施管理手段９５が実行される。流通管理手段９３は事業必須項目記載表に、社会貢献事業１における各流通業者の各種情報の管理・登録を行う。トレーサビリティ手段９４は、牛肉飼育家畜農家１０から出荷されたブランド牛が、小売業者６０の店頭で消費者に７０販売されるまでの流通経路の履歴（移動履歴）を事業必須項目記載表に管理・登録する。
【００５０】
社会貢献事業実施管理手段９５は、社会貢献事業１で実施された社会貢献事業の実施状況を登録する。このように、社会貢献事業１においては、流通管理手段９３、トレーサビリティ手段９４、社会貢献事業実施管理手段９５が、ブランド牛の流通や社会貢献事業の実施に応じて常に最新の情報が事業必須項目記載表に登録される。
【００５１】
社会貢献事業資金管理手段９６は、社会貢献事業への資金として、社会貢献事業１を構成する牛肉飼育家畜農家１０、一次流通会社２０、屠畜場３０、食肉加工会社４０、食肉卸会社５０からそれぞれ拠出された供託金ｎ１〜ｎ５（図１参照）の収入を、社会貢献活動資金としてプールするとともに、小売業者事業に社会貢献活動資金として提供する。
【００５２】
販売促進支援手段９７は、事業必須項目記載表やホームページなどを利用して、社会貢献事業１で流通するブランド牛の生産（飼育）から小売業者６０で販売されるまでの履歴を、加盟企業や消費者向け情報として公開するとともに、社会貢献事業１で実施された社会貢献事業の内容を事業必須項目記載表により公開する。また、社会貢献事業１における社会貢献事業を事業必須項目記載表により一般の消費者や流通事業を営む企業や団体にＰＲすることにより、社会貢献事業１の商品購入を消費者にＰＲしたり、社会貢献事業１への加盟を各流通業者にＰＲしたりすることができる。
【００５３】
以下、図２及び３に示すブランド管理会社９０に管理端末９１を整備した場合において、事業必須項目記載表を制御部９８が各種機能を実行する際に参照されるデータベースとして、記憶部１００に記憶されている事業必須項目記載表の各種データを、図４〜９を用いて説明する。
【００５４】
図４に示す認定基準マスタ１０１ａは、上述した認定管理手段９２において、社会貢献事業１に加盟を希望する流通事業者である企業・団体が、社会貢献事業１に加盟に必要な認定基準を満たしているか否かを事業必須項目記載表により審査するための認定基準欄（企業・団体）である。
【００５５】
項目Ｎｏ．１の認定基準コードは、ブランド管理会社９０の管理者によって、加盟申請を行った企業・団体毎にそれぞれ付されるキー項目であり、このキー項目を検索することにより、当該データベースにおいて、社会貢献事業１に加盟を希望する企業・団体を検索することができる。
【００５６】
項目Ｎｏ．２及び３の認定基準名（カナ）、認定基準名は、加盟申請を行った企業・団体名を示す項目である。項目Ｎｏ．４の資格失効欄は、当該加盟申請を行った企業・団体が以前、社会貢献事業１に加盟を認められていたが、何らかの問題によりその資格を失効した場合に付される記号である。
【００５７】
項目Ｎｏ．５の取引形態区分は、当該加盟申請を行った企業・団体の取引形態（食肉卸向け、食肉加工会社向けなど）の区分を示している。項目Ｎｏ．６の懲罰履歴チェック欄は、当該加盟申請を行った企業・団体が以前、営業停止などの懲罰の対象となったか否かを示しており、項目Ｎｏ．７の懲罰履歴有効期限は、営業停止などの懲罰の有効期限を示す。
【００５８】
項目Ｎｏ．８の過去申請履歴欄は、加盟申請を行った企業・団体が、過去に加盟申請を行った企業・団体であるかを示す項目である。項目Ｎｏ．９の過去申請履歴欄有効期限は、過去に当該加盟申請を行った企業・団体が、有効期限を満たしているか否かを示す項目である。
【００５９】
項目Ｎｏ．１０、１１及び１２の資本金、事業年数、従業員数は、加盟申請を行った企業・団体名の会社の概要を示す項目である。以下、予備の項目として補足１〜１０の項目が設けられ、最後に、項目Ｎｏ．５７、５６、５９、６０及び６１の項目で、当該認定基準マスタ１０１ａの作成及び更新者、作成及び更新日などが登録されている。
【００６０】
上述したように、本字実施形態における社会貢献事業１では、社会貢献事業１に加盟を希望する企業・団体に応じて加盟に必要なデータを事業必須項目記載表により認定基準マスタ１０１ａとして登録する。そして、ブランド管理会社９０は、認定管理手段９２により登録された各項目を、定められた認定基準により審査することで、加盟の承認又は非承認を認定する。このように、所定の認定基準を満たした企業・団体のみの加盟を認定することで、社会貢献事業１において、消費者に安全な商品（ブランド牛）を提供することを可能としている。
【００６１】
図５に示す認定基準マスタ１０１ｂは、上記認定管理手段９２において、牛肉飼育家畜農家１０が社会貢献事業１で流通させようとしている牛が、社会貢献事業１で流通させるために必要な認定基準を満たしているか否かを事業必須項目記載表により審査するための認定基準マスタ（牛）である。
【００６２】
項目Ｎｏ．１の認定基準コードは、ブランド管理会社９０の管理者によって、ブランド牛の種類毎にそれぞれ付されるキー項目であり、このキー項目を検索することにより、当該データベースにおいて、任意のブランド牛の認定基準を検索することができる。
【００６３】
項目Ｎｏ．２及び３の認定基準名（カナ）、認定基準名は、各ブランド牛の認定基準名を示す項目である。項目Ｎｏ．４の個体識別番号チェック欄は、牛肉飼育家畜農家１０が流通申請を行った牛固有の識別番号をチェックする項目である。
【００６４】
項目Ｎｏ．５の品種チェック欄は、牛肉飼育家畜農家１０が流通申請を行った牛の品種をチェックする項目である。項目Ｎｏ．６の産地チェック欄は、牛肉飼育家畜農家１０が流通申請を行った牛の産地をチェックする項目である。項目Ｎｏ．７の性別チェックフラグは、牛肉飼育家畜農家１０が流通申請を行った牛の性別をチェックする項目である。
【００６５】
項目Ｎｏ．８の加工日チェック欄は、牛肉飼育家畜農家１０が流通申請を行った牛の加工日が明確に把握できるか否かをチェックする項目である。項目Ｎｏ．９の屠畜日チェック欄は、牛肉飼育家畜農家１０が流通申請を行った牛の屠畜日が明確に把握できるか否かをチェックする項目である。
【００６６】
項目Ｎｏ．１０の格付チェック欄は、牛肉飼育家畜農家１０が流通申請を行った牛の格付（例えば、Ａ５，Ａ４…などの格付けランク）を把握できるか否かをチェックする項目である。項目Ｎｏ．１１の瑕疵チェック欄は、牛肉飼育家畜農家１０が流通申請を行った牛の瑕疵（例えば、傷などによる傷み）を把握できるか否かをチェックする項目である。
【００６７】
項目Ｎｏ．１２のＢＭＳチェック欄は、牛肉飼育家畜農家１０が流通申請を行った牛のＢＭＳ（ビーフ・マーブル・スタンダード：牛肉の霜降りの度合い）を把握できるか否かをチェックする項目である。項目Ｎｏ．１３のＢＣＳチェック欄は、牛肉飼育家畜農家１０が流通申請を行った牛のＢＣＳ（ビーフ・カラー・スタンダード：牛肉の「色合い」と「光沢」）を把握できるか否かをチェックする項目である。
【００６８】
以下、予備の項目として補足１〜１０の項目が設けられ、最後に、項目Ｎｏ．５７、５６、５９、６０及び６１の項目で、当該認定基準マスタ１０１ｂの作成及び更新者、作成及び更新日などが設けられている。
【００６９】
上述したように、本字実施形態における社会貢献事業１では、牛肉飼育家畜農家１０が社会貢献事業１で流通させようとする牛に応じて認定に必要なデータを事業必須項目記載表に認定基準マスタ１０１ｂとして登録する。そして、登録された各項目を、定められた認定基準により審査することで、社会貢献事業１での流通の承認又は非承認を認定している。このように、所定の認定基準を満たした牛のみの流通を認定することで、社会貢献事業１において、消費者に安全な商品（ブランド牛）を提供することを可能としている。
【００７０】
図６に示す認定会社マスタ１０２は、上述した認定管理手段９２において、社会貢献事業１に加盟が認められた流通事業者である企業・団体の登録データである。
【００７１】
項目Ｎｏ．１の会社コードは、ブランド管理会社９０の管理者によって、加盟申請を認可された企業・団体毎にそれぞれ付されるキー項目であり、このキー項目を検索することにより、事業必須項目記載表の当該データベースにおいて、社会貢献事業１に加盟している企業・団体を検索することができる。
【００７２】
項目Ｎｏ．２の認定年月日は、加盟申請を行った企業・団体名が社会貢献事業１への参加を認可された日付が登録された項目である。項目Ｎｏ．３の法人区分は、加盟を認可された企業・団体の法人区分（例えば、株式会社、有限会社など）が登録された項目である。
【００７３】
項目Ｎｏ．４及び５の会社名、会社名（カナ）は、加盟を認可された企業・団体の会社名が登録された項目である。項目Ｎｏ．６の略称・屋号は、加盟を認可された企業・団体の会社名の略称・屋号が登録された項目である。項目Ｎｏ．７の代表者名は、加盟を認可された企業・団体の代表者（原則として、代表取締役社長）の指名が登録された項目である。
【００７４】
項目Ｎｏ．８の現在地は、加盟を認可された企業・団体の会社の住所が登録された項目である。項目Ｎｏ．９及び１０の代表電話番号、ＦＡＸ番号は、加盟を認可された企業・団体の電話番号（代表）、ＦＡＸ番号が登録された項目である。
【００７５】
項目Ｎｏ．１１及び１２の設立年月日、資本金は、加盟を認可された企業・団体名の会社の概要を示す項目であり、その他、従業員数、事業年数などが登録されている。以下、予備の項目として補足１〜１０の項目が設けられ、最後に、項目Ｎｏ．５７、５６、５９、６０及び６１の項目で、当該認定会社マスタ１０２の作成及び更新者、作成及び更新日などが設けられている。
【００７６】
このように、本字実施形態における社会貢献事業１では、社会貢献事業１への登録を認可された企業・団体の登録データが事業必須項目記載表としての認定会社マスタ１０２に登録されている。そして、認定会社マスタ１０２の登録データを、流通管理手段９３で管理することにより、社会貢献事業１に登録されている企業・団体の会社の内容を必要な時に検索することができる。
【００７７】
図７に示す認定牛マスタ１０３は、上記認定管理手段９２において、社会貢献事業１での流通を認可された、牛肉飼育家畜農家１０が飼育したブランド牛の登録データである。
【００７８】
項目Ｎｏ．１の団体識別コードは、ブランド管理会社９０の管理者によって、流通申請を認可されたブランド牛毎にそれぞれ付されるキー項目であり、このキー項目を検索することにより、当該データベースにおいて、社会貢献事業１で流通している、牛肉飼育家畜農家１０が飼育したブランド牛を検索することができる。
【００７９】
項目Ｎｏ．２の品種は、ブランド牛の品種が登録されている。項目Ｎｏ．３の産地は、ブランド牛の産地が登録されている。ここで、ブランド牛の産地として登録される地域は、当該ブランド牛の最長肥育地が産地として登録される。項目Ｎｏ．４の性別は、ブランド牛の性別が登録されている。
【００８０】
項目Ｎｏ．５の出生年月日は、ブランド牛の出生年月日が登録されている。項目Ｎｏ．６の屠畜日は、ブランド牛の屠畜日が登録されている。項目Ｎｏ．７の屠畜コードは、ブランド牛を屠畜した屠畜場が登録されている。項目Ｎｏ．８の屠畜番号は、ブランド牛を屠畜した屠畜場から発行される証明書記載の枝番号が登録されている。
【００８１】
項目Ｎｏ．９の格付は、ブランド牛の格付（例えば、Ａ５，Ａ４…などの格付けランク）が登録されている。項目Ｎｏ．１０の瑕疵情報は、ブランド牛の瑕疵（例えば、傷などによる傷み）の情報が所定のコードで登録されている。項目Ｎｏ．１１のＢＭＳは、ブランド牛のＢＭＳ（ビーフ・マーブル・スタンダード：牛肉の霜降りの度合い）が登録されている。項目Ｎｏ．１２のＢＣＳは、ブランド牛のＢＣＳ（ビーフ・カラー・スタンダード：牛肉の「色合い」と「光沢」）が登録されている。項目Ｎｏ．１３の有効期限日は、ブランド牛が屠畜されてから小売業者６０で消費者に販売されるまでの有効期限が登録されている。
【００８２】
以下、予備の項目として補足１〜１０の項目が設けられ、最後に、項目Ｎｏ．２４、２５、２６、２７及び２８の項目で、当該認定牛マスタ１０３の作成及び更新者、作成及び更新日などが登録されている。また、認定牛マスタ１０３では、当該ブランド牛を加工した食肉加工会社４０、食肉卸会社５０なども所定の項目で登録されており（流通項目欄）、認定牛マスタ１０３に登録されている事業必須項目記載表の各種データにより、後述の図１０に示すブランド牛の流通履歴情報１１０を検索することができる。
【００８３】
このように、本字実施形態における社会貢献事業１では、社会貢献事業１への登録を認可された牛肉飼育家畜農家１０が飼育するブランド牛に応じて必要なデータが、事業必須項目記載表として認定牛マスタ１０３として登録されている。そして、認定牛マスタ１０３の登録データの事業必須項目記載表を、流通管理手段９３で管理することにより、社会貢献事業１に流通するブランド牛の流通履歴を必要な時に検索することができる。
【００８４】
図８に示す資金管理マスタ１０４は、上述した社会貢献事業資金管理手段９６又は販売促進支援手段９７において、社会貢献事業１に加盟している企業・団体からの供託金ｎ１〜ｎ５（図１参照）等の収入や、小売業者６０に提供する社会貢献事業を支援するための供託金Ｎ（図１参照）の支出を管理するための事業必須項目記載表としてのデータである。また、資金管理マスタ１０４は、社会貢献事業だけではなく、販売促進支援手段９７における販路拡大及び小売業者６０への販売促進のための資金などの支出も管理する。
【００８５】
項目Ｎｏ．１の資金管理コードは、ブランド管理会社９０の管理者によって、ブランド管理会社９０の収入及び支出毎にそれぞれ付されるキー項目であり、このキー項目を検索することにより、事業必須項目記載表としての当該データベースにおいて、社会貢献事業１における資金の流れを検索することができる。
【００８６】
項目Ｎｏ．２及び３の資金管理名（カナ）、資金管理名は、社会貢献事業１に加盟している企業・団体名から徴収した社会貢献事業を行うための資金又は小売業者６０への販売促進のための資金毎に管理名が付されてもので、ブランド管理会社９０にプールされている資金毎に登録されている。
【００８７】
項目Ｎｏ．４の資金管理区分は、当該資金の管理区分（１．補助金、２．供託金、３．支援金…など）が登録されている。項目Ｎｏ．５及び６の貸方科目コード、借方科目コードは、当該資金の貸付先や借入先を登録している。
【００８８】
以下、項目Ｎｏ．７〜１６は、予備の項目として補足１〜１０の項目が設けられ、最後に、項目Ｎｏ．１７、１８、１８、２０及び２１の項目で、当該資金管理マスタ１０４の作成及び更新者、作成及び更新日などが設けられている。
【００８９】
上述したように、本字実施形態における社会貢献事業１では、ブランド管理会社９０の収入や支出などの資金の流れを管理することにより、社会貢献事業１に加盟している企業・団体に対して、安心して当該社会貢献事業１へ参加できることを可能としている。
【００９０】
図９に示す貢献事業マスタ１０５は、上述した社会貢献事業実施管理手段９５において、社会貢献事業１に加盟する流通業者うち、小売業者６０を除く企業・団体から拠出された供託金ｎ１〜ｎ５（図１参照）を運用し、小売業者６０が供託金Ｎ（図１参照）を資金として実施した社会貢献事業を登録したものである。
【００９１】
項目Ｎｏ．１の事業Ｎｏ．は、ブランド管理会社９０の管理者によって、実施された社会貢献事業毎にそれぞれ付されるキー項目であり、このキー項目を検索することにより、当該データベースにおいて、社会貢献事業１で実施された社会貢献事業を検索することができる。
【００９２】
項目Ｎｏ．２の事業区分は、実施した社会貢献活動の事業区分（環境、販促、物品提供など）が登録されている。項目Ｎｏ．３及び４の事業名（カナ）、事業名は、実施した社会貢献活動の事業名が登録されている。項目Ｎｏ．４の事業内容は、実施した社会貢献活動の事業内容が登録されている。この事業内容としては、例えば、地産地消推進、子供たちへの食育推進、環境保全活動、スポーツ・文化推進、教育関連基金などがある。
【００９３】
項目Ｎｏ．６の事業場所は、実施した社会貢献活動が実施された場所が登録されている。項目Ｎｏ．７及び８の事業有効開始何月日、事業有効終了何月日は、実施した社会貢献活動の開始年月日及び終了年月日が登録されている。項目Ｎｏ．９の基本参加条件は、実施した社会貢献活動が、社会貢献事業１において、実施可能な所定の資格条件を満たしていることが登録されている。項目Ｎｏ．１０の支出基本金額は、実施した社会貢献活動のためにブランド管理会社９０が支出した基本となる金額（図１に供託金Ｎ）が登録されている。
【００９４】
以下、項目Ｎｏ．１１〜２０は、予備の項目として補足１〜１０の項目が設けられ、最後に、項目Ｎｏ．２１、２２、２３、２４及び２５の項目で、当該資金管理マスタ１０４の作成及び更新者、作成及び更新日などが設けられている。
【００９５】
上述したように、本実施形態における社会貢献事業１では、実施した社会貢献事業を社会貢献事業実施管理手段９５で管理し、事業必須項目記載表としての貢献事業マスタ１０５に登録しておくことにより、社会貢献事業１を構成する企業団体だけではなく、一般の消費者でも、実施された社会貢献活動を検索することを可能としている。実際の運用としては、ブランド管理会社９０が、実施した社会貢献事業をホームページで検索可能とし、例えば、消費者が購入したブランド牛に付されている認識マークＦ（社会貢献事業１で流通したブランド牛を管理するための個体識別番号など）に基づいて、実施された社会貢献事業を検索して表示可能とすることが望ましい。
【００９６】
ここで、図１０を用いてブランド牛に付されている認識マークＦを説明する。本実施形態における社会貢献事業１で用いられる認識マークＦには、図示するように、該ブランド牛を流通させる各流通関係者の出資したブランド牛運営資金により、社会貢献活動が実施される旨のメッセージＦ１「売り上げの一部を社会貢献に役立てます！」が記載されている。消費者７０がこのメッセージを目にすることにより、小売業者６０は、その社会貢献活動による社会的評価を受けることができる。これにより、当該小売業者６０と接する消費者７０に購買意欲を喚起させて販売促進させることができる。
【００９７】
また、認識マークＦには、認定されたブランド牛を管理するための個体識別番号Ｆ２が記載されている。個体識別番号Ｆ２は、生産されるブランド牛に割り振られる固有の番号であり、例えば、１０桁の数字やアルファベット等などから構成される。なるこの個体識別番号Ｆ２は、ブランド牛が飼育されているときは、ブランド牛の耳に取り付けられる耳標に表記され、屠蓄されてブランド牛の肉塊と部位毎に仕分けされてからは該肉塊に焼印等により表記されたり、該肉塊が加工された場合は、加工したブランド牛を収容するパッケージに表記されたりするようになっており、肉牛の誕生から牛肉として消費者に至る全流通経路に一貫して表記され、最終的には上述したように、小売業者６０の社会貢献活動の特定表記に使用される。
【００９８】
すなわち、個体識別番号Ｆ２は、例えば、流通経路において、ある流通過程から次の流通過程にブランド牛を売却する際の伝票等に記入されるようになっている。ブランド牛を売却する際には、ブランド牛の流通履歴が流通履歴情報１１０（図１０参照）として個体識別番号Ｆ２に応じてブランド管理会社９０の記憶部１００に記憶され、この流通履歴情報１１０に基づいてブランド牛の流通管理が行われるようになっている。なお、流通履歴とは、流通した記ブランド牛の個体識別番号Ｆ２に記憶されているブランド牛の流通に関わった複数の流通関係者の履歴である。なお、上記認識マークＦに記載される個体識別番号Ｆ２は、１０桁の数字やアルファベット等の限らず、例えば、二次元バーコードなどで表記してもよい。
【００９９】
以下、図１１を用いて流通履歴情報１１０を説明する。流通履歴情報１１０は、図１０に示すように構成されており、「個体識別番号」、「各流通関係者」及び「社会貢献活動」の項目が設けられている。
【０１００】
「各流通関係者」の項目は、流通経路においてブランド牛の流通に関係した各流通関係者を示す項目であり、各流通過程を経る毎に入力・更新されるようになっている。例えば、牛肉飼育家畜農家１０から一次流通会社２０にブランド牛を販売する際には（図１中、（１））、ブランド管理会社９０にその売上の一部が寄付されるとともに、流通履歴が通知される。ブランド管理会社９０に流通履歴が通知されると、流通履歴情報１１０に該流通履歴を追記する。例えば、図１１の１行目に示す例では、Ｃ列に「ｂ会社」が追記される。
【０１０１】
また、「社会貢献活動」の項目は、小売業者６０が行った社会貢献活動の内容（以下、「活動内容」という）を示す項目であり、小売業者６０から活動内容が通知される毎に入力されるようになっている。例えば、図１１の１行目に示す例では、「車椅子の提供」が入力されている。
【０１０２】
各種地域・社会貢献活動団体８０とは例えば、ライオンズ、ユニセフ又はロータリ等である。また、社会貢献活動とは、例えば、地産地消推進、子供たちへの食育推進、環境保全活動、スポーツ・文化推進、教育関連基金である。
【０１０３】
上述してきたように、本実施形態に係る社会貢献事業１によれば、当該社会貢献事業１を提唱するブランド管理会社９０は、所定の認定基準を満たしたブランド牛を飼育する牛肉飼育家畜農家１０からブランド牛の提供を受けることができる。また、各流通業者（一次流通会社２０、屠畜場３０、食肉加工会社４０、食肉卸会社５０）においても、所定の認定基準を満たした企業・団体から構成されているため、消費者が安心して購入することができるブランド牛の提供することができる。
【０１０４】
また、単に品質のよいブランド牛を消費者に提供するだけではなく、社会貢献事業１を構成する牛肉飼育家畜農家１０、一次流通会社２０、屠畜場３０、食肉加工会社４０、及び食肉卸会社５０は、ブランド牛の流通にかかるそれぞれ販売価格から一定の金額を社会貢献事業資金としてブランド管理会社９０に拠出する。そして、ブランド管理会社９０は、一旦プールした社会貢献事業資金を、小売業者６０に提供して社会貢献事業を実施させる。このような社会貢献事業１によれば、小売業者６０が消費者に販売するブランド牛に社会貢献事業資金を上乗せすることないので、ブランド牛の価格の高騰を抑えることができる。
【０１０５】
また、消費者にとっても、自身が購入したブランド牛により社会貢献活動が実施されることで、社会貢献事業１の商品の購入意欲を高めることができ、ブランド牛の販売高の向上に繋がる。更に、小売業者６０を除く複数の流通事業者にとっても、直接的・間接的に社会貢献活動に関わることで、会社で働く従業員の労働意欲を向上させることができる。さらに、消費者に安全な商品（ブランド牛）を提供することで、会社としてのＣＳＲ（Ｃｏｒｐｏｒａｔｅ  Ｓｏｃｉａｌ  Ｒｅｓｐｏｎｓｉｂｉｌｉｔｙ）活動を充実させることができる。
【０１０６】
また、本実施形態における社会貢献事業１は、地元で収穫した農水産物をその土地内で消費する「地産地消」を推進することができる。つまり、地元の「顔が見える生産者」としてブランド牛を生産する牛肉飼育家畜農家１０と、その近隣（例えば、同じ都道府県）の一次流通会社２０、屠畜場３０、食肉加工会社４０、及び食肉卸会社５０から社会貢献事業１を構成し、地元の小売業者６０にブランド牛を販売することで、消費者にとってより親近感が沸き、安心して購入できる商品を提供することができる。また、「地産地消」を推進することにより、例えば、ブランド牛の余計な流通コスト（つまり、商品の長距離に亘る運搬費用など）を抑えることで、ブランド牛の小売業者６０における販売価格を抑えることもできる。
【０１０７】
なお、本実施形態では、認識マークＦに個体識別番号Ｆ２を付すようにしたが、これには限定されず、例えば、図１２に示すように、個体識別番号Ｆ２に加え、各流通過程を経る毎に付される管理番号Ｆ３を付してもよい。管理番号Ｆ３とは、予め付与されている流通業者を示す数字や記号からなる符合であり、例えば、一次流通会社２０に管理番号Ｆ３「１」、食肉加工会社４０に管理番号Ｆ３「２」、食肉卸会社５０に管理番号Ｆ３「３」、そして、小売業者６０に管理番号Ｆ３「４」が付与されている場合は、当該肉牛が小売業者６０まで到達した時には、個体識別番号Ｆ２及び管理番号Ｆ３は「１１１１１１１１１１−１−２−３−４」が記載される。これにより、消費者７０等は、該管理番号Ｆ３を参照することで、認識マークＦが付された肉牛の流通経路の追跡を容易に行うことができる。
【０１０８】
以上、本考案の実施形態を図面に基づいて詳細に説明したが、これらは例示であり、当業者の知識に基づいて種々の変形、改良を施した他の形態で本考案を実施することが可能である。
【符号の説明】
【０１０９】
１  社会貢献事業
１０  牛肉飼育家畜農家
２０  一次流通会社
３０  屠畜場
４０  食肉加工業者
５０  食肉卸業者
６０  小売業者
７０  消費者
８０  各種地域・社会貢献活動団体
９０  ブランド管理会社
９１  管理端末
９２  認定管理手段
９３  流通管理手段
９４  トレーサビリティ手段
９５  社会貢献事業実施管理手段
９６  社会貢献事業資金管理手段
９７  販売促進支援手段
９８  制御部
１００  記憶部
１０１ａ  認定基準マスタ（企業・団体）
１０１ｂ  認定基準マスタ（牛）
１０２  認定会社マスタ
１０３  認定牛マスタ
１０４  資金管理マスタ
１０５  貢献事業マスタ
【図１】
0003189349.tif 000003
【図２】
0003189349.tif 000004
【図３】
0003189349.tif 000005
【図４】
0003189349.tif 000006
【図５】
0003189349.tif 000007
【図６】
0003189349.tif 000008
【図７】
0003189349.tif 000009
【図８】
0003189349.tif 000010
【図９】
0003189349.tif 000011
【図１０】
0003189349.tif 000012
【図１１】
0003189349.tif 000013
【図１２】
0003189349.tif 000014
【手続補正書】
【提出日】平成25年9月30日(2013.9.30)
【手続補正１】
【補正対象書類名】実用新案登録請求の範囲
【補正対象項目名】全文
【補正方法】変更
【補正の内容】
【実用新案登録請求の範囲】
【請求項１】
各種加盟企業・団体が寄付等の供託金により社会貢献事業を行う際に使用する事業必須項目記載表であって、以下の（１）〜（８）の各表及び認識マークの組合わせよりなることを特徴とする寄付等の供託金による社会貢献事業において使用する事業必須項目記載表の組合わせ。
（１）認定基準マスタ（１０１）と、認定会社マスタ（１０２）と、認定牛マスタ（１０３）と、資金管理マスタ（１０４）と、貢献事業マスタ（１０５）と、認識マーク表と、流通履歴情報表と、の組み合わせにより構成し、
加盟申請を行う企業・団体を識別検索するために各企業・団体毎に付する企業キー項目欄と、
加盟申請を行った企業・団体の名称を記載する認定基準名欄と、
加盟申請を行った企業・団体が過去に資格を失った履歴を記載する資格失効欄と、
加盟申請を行った企業・団体がどのような職種であるかを示す取引形態の区分を記載する取引形態区分欄と、
加盟申請を行った企業・団体が過去に業務停止などの懲罰を受けたか否かを記載する懲罰履歴チェック欄と、
懲罰の有効期限を記載する懲罰有効期限欄と、
加盟申請を行った企業・団体が過去に加盟申請を行ったか否かを記載する過去申請履歴欄と、
過去に加盟申請した企業・団体が有効期限を満たしているか否かを記載する過去申請履歴有効期限欄と、
加盟申請を行った企業・団体の資本金、事業年数、従業員数等の会社の概要を示す項目を記載する会社概要欄と、より構成した認定基準マスタ
（２）ブランド管理会社によりブランド牛の識別検索するためにブランド牛の種類毎にそれぞれ付されるブランド牛キー項目欄と、
ブランド管理会社によりブランド牛の認定基準名を記載するブランド牛認定基準欄と、
牛肉飼育家畜農家が流通申請を行った牛固有の識別番号へのチェックの有無を記載する個体識別番号チェック欄と、
牛の品種のチェック結果を記載する品種チェック欄と、
牛の産地のチェック結果を記載する産地チェック欄と、
牛の性別のチェック結果を記載する性別チェック欄と、
牛の加工日のチェック結果を記載する加工日チェック欄と、
牛の屠畜日のチェック結果を記載する屠畜日チェック欄と、
牛肉飼育家畜農家が流通申請を行った牛の格付けランクのチェック結果を記載する格付チェック欄と、
牛の傷等による傷みの瑕疵のチェック結果を記載する瑕疵チェック欄と、
牛肉の霜降りの度合いのチェック結果を記載する霜降りチェック欄と、
牛肉の色合い・光沢等のチェック結果を記載するカラーチェック欄と、
流通牛認定基準マスタの作成日等のその他の項目を記載するマスタ作成項目欄と、より構成した流通牛認定基準マスタ
（３）ブランド管理会社の管理者によって加盟を認められた企業・団体を識別検索するために企業・団体毎にそれぞれ付される会社コード項目欄と、
企業・団体が参加を認可された日付を記載する認定年月日項目欄と、
加盟を認可された企業・団体の法人区分を記載する法人区分項目欄と、
企業・団体の会社名を記載する会社名項目欄と、
加盟認可を受けた企業・団体の代表者を記載する代表者項目欄と、
企業・団体の住所を記載する現在地項目欄と、
企業・団体の電話やＦＡＸ等の連絡番号を記載する連絡番号欄と、
加盟を認可された企業・団体の認定年月日や資本金等の会社概要を記載する会社概要欄と、より構成した認定会社マスタ
（４）流通申請を認可された一例としてのブランド牛の検索をするためにブランド牛毎に付される識別コードを記載する団体識別コード項目欄と、一例としてのブランド牛の品種を記載するための品種項目欄と、
一例としてのブランド牛の最長肥育地を産地として記載するための産地項目欄と、
該ブランド牛の性別を記載する性別項目欄と、
該ブランド牛の出生年月日を記載する出生年月日項目欄と、
該ブランド牛を屠畜した屠畜場を記載する屠畜項目欄と、
屠畜場から発行される証明書記載の枝番号を記載する屠畜番号項目欄と、
該ブランド牛の格付を記載する格付項目欄と、
傷等による傷みの瑕疵の情報を記載する瑕疵情報項目欄と、
該ブランド牛の霜降りの度合いを記載する霜降り項目欄と、
該ブランド牛の色合いと光沢を記載する色彩項目欄と、
該ブランド牛の屠畜から小売業者（６０）により消費者に販売されるまでの有効期限を記載すする有効期限項目欄と、
認定牛マスタ（１０３）の作成者、更新者、作成日、更新日等を記載するマスタ作成者項目欄と、
一例としてのブランド牛を加工した食肉加工会社（４０）や食肉卸会社（５０）を記載する流通項目欄と、より構成した認定牛マスタ
（５）ブランド管理会社（９０）の収入金及び支出を検索するため収入及び支出度に付する資金管理項目欄と、
企業・団体から徴収した社会貢献事業を行うための資金毎に管理名を記載する資金管理名項目欄と、
補助金、供託金、支援金等の資金の管理区分を記載する資金管理区分項目欄と、
資金の貸付先や借入先を記載する貸方科目・借方科目欄と、より構成した資金管理マスタ
（６）ブランド管理会社（９０）によって実施された社会貢献事業を検索するために各事業毎に付する事業キー項目欄と、
実施した社会貢献活動の事業区分を記載する事業区分項目欄と、
実施した社会貢献活動の事業名を記載する事業名項目欄と、
実施した社会貢献活動の実施された場所を記載する事業場所項目欄と、
実施した社会貢献活動の開始及び終了の年月日を記載する事業有効日項目欄と、
実施した社会貢献活動が実施可能な所定の資格条件を満たしていることを記載する基本参加条件項目欄と、
実施した社会貢献活動のためにブランド管理会社（９０）が支出した基本となる金額を記載する支出基本項目欄と、より構成した貢献事業マスタ
（７）ブランド牛に割り振られる固有の番号となる数字又はアルファベットより構成され、ブランド牛の全加工処理流通経路において、所定の手段で所定の位置に一貫して表記されて最終的には小売業者（６０）の社会貢献活動の特定表記に使用され、更にはブランド牛の流通に関わった複数の流通業者の履歴を表す流通履歴情報欄を有した個体識別番号（Ｆ２）よりなる認識マーク
（８）小売業者（６０）が行った社会貢献活動の内容を示す項目よりなる流通履歴情報一覧表
【手続補正２】
【補正対象書類名】明細書
【補正対象項目名】全文
【補正方法】変更
【補正の内容】
【考案の詳細な説明】
【技術分野】
【０００１】
この考案は、寄付等の供託金による社会貢献事業において使用する事業必須項目記載表の組合わせに関する。
【背景技術】
【０００２】
従来、商品の流通過程で一定の金額を供託金として社会奉仕に使用する社会貢献事業がある。
【０００３】
例えば、商品一個につきその価格の０．１％分を社会貢献料として設定し、商品のメーカが予め寄付の商品価格にその社会貢献料を付加した金額を流通価格とし、消費者はかかる社会貢献料付きの商品を購入することにより、商品メーカは予め付加した社会貢献料を寄付として社会貢献に用いるという社会貢献事業がある（例えば、特許文献１参照）。
【先行技術文献】
【特許文献】
【０００４】
【特許文献１】特開２００８−１９７７０１号公報
【考案の概要】
【考案が解決しようとする課題】
【０００５】
かかる事業の特徴は、第一に、商品価格中に予め社会貢献料の金額が含まれているので社会貢献料は消費者が負担しており、第二には、寄付の社会貢献は最終的には商品のメーカが行うということであり、そのような事業に適合したデータ記載用のフォーマットが用いられていた。
【０００６】
しかし、上記事業では、消費者にとって商品を可及的に安価に購入したいという意図に反する。また、商品メーカが社会より社会奉仕の評価を受けるのみであり、消費者と直接に接する小売店には社会的評価は発生しないこととなり、小売店の販売促進努力を喚起することにならないという欠点を有した社会貢献事業となり、そのような社会貢献事業としては欠点を有する事業を達成するためには各種流通過程でかかる事業に適合したデータ記載用のフォーマットが用いられている。
【０００７】
本考案は、斯かる事情に鑑みてなされたものであって、小売業者は社会貢献活動による社会的評価を受けることにより、当該小売業者と接する消費者に購買意欲を換起させて販売促進に多いに役立つとともに、商品流通に係る全企業の繁栄に貢献することができる社会貢献事業に適合した事業必須項目記載表の組み合わせを提供する。
【課題を解決するための手段】
【０００８】
請求項１記載の本考案は、各種加盟企業・団体が寄付等の供託金により社会貢献事業を行う際に使用する事業必須項目記載表であって、以下の（１）〜（８）の各表及び認識マークの組合わせよりなることを特徴とする寄付等の供託金による社会貢献事業において使用する事業必須項目記載表の組合わせ。
（１）認定基準マスタ（１０１）と、認定会社マスタ（１０２）と、認定牛マスタ（１０３）と、資金管理マスタ（１０４）と、貢献事業マスタ（１０５）と、認識マーク表と、流通履歴情報表と、の組み合わせにより構成し、加盟申請を行う企業・団体を識別検索するために各企業・団体毎に付する企業キー項目欄と、加盟申請を行った企業・団体の名称を記載する認定基準名欄と、加盟申請を行った企業・団体が過去に資格を失った履歴を記載する資格失効欄と、加盟申請を行った企業・団体がどのような職種であるかを示す取引形態の区分を記載する取引形態区分欄と、加盟申請を行った企業・団体が過去に業務停止などの懲罰を受けたか否かを記載する懲罰履歴チェック欄と、懲罰の有効期限を記載する懲罰有効期限欄と、加盟申請を行った企業・団体が過去に加盟申請を行ったか否かを記載する過去申請履歴欄と、過去に加盟申請した企業・団体が有効期限を満たしているか否かを記載する過去申請履歴有効期限欄と、加盟申請を行った企業・団体の資本金、事業年数、従業員数等の会社の概要を示す項目を記載する会社概要欄と、より構成した認定基準マスタ
（２）ブランド管理会社によりブランド牛の識別検索するためにブランド牛の種類毎にそれぞれ付されるブランド牛キー項目欄と、ブランド管理会社によりブランド牛の認定基準名を記載するブランド牛認定基準欄と、牛肉飼育家畜農家が流通申請を行った牛固有の識別番号へのチェックの有無を記載する個体識別番号チェック欄と、牛の品種のチェック結果を記載する品種チェック欄と、牛の産地のチェック結果を記載する産地チェック欄と、牛の性別のチェック結果を記載する性別チェック欄と、牛の加工日のチェック結果を記載する加工日チェック欄と、牛の屠畜日のチェック結果を記載する屠畜日チェック欄と、牛肉飼育家畜農家が流通申請を行った牛の格付けランクのチェック結果を記載する格付チェック欄と、牛の傷等による傷みの瑕疵のチェック結果を記載する瑕疵チェック欄と、牛肉の霜降りの度合いのチェック結果を記載する霜降りチェック欄と、牛肉の色合い・光沢等のチェック結果を記載するカラーチェック欄と、流通牛認定基準マスタの作成日等のその他の項目を記載するマスタ作成項目欄と、より構成した流通牛認定基準マスタ
（３）ブランド管理会社の管理者によって加盟を認められた企業・団体を識別検索するために企業・団体毎にそれぞれ付される会社コード項目欄と、企業・団体が参加を認可された日付を記載する認定年月日項目欄と、加盟を認可された企業・団体の法人区分を記載する法人区分項目欄と、企業・団体の会社名を記載する会社名項目欄と、加盟認可を受けた企業・団体の代表者を記載する代表者項目欄と、企業・団体の住所を記載する現在地項目欄と、企業・団体の電話やＦＡＸ等の連絡番号を記載する連絡番号欄と、加盟を認可された企業・団体の認定年月日や資本金等の会社概要を記載する会社概要欄と、より構成した認定会社マスタ
（４）流通申請を認可された一例としてのブランド牛の検索をするためにブランド牛毎に付される識別コードを記載する団体識別コード項目欄と、一例としてのブランド牛の品種を記載するための品種項目欄と、一例としてのブランド牛の最長肥育地を産地として記載するための産地項目欄と、該ブランド牛の性別を記載する性別項目欄と、該ブランド牛の出生年月日を記載する出生年月日項目欄と、該ブランド牛を屠畜した屠畜場を記載する屠畜項目欄と、屠畜場から発行される証明書記載の枝番号を記載する屠畜番号項目欄と、該ブランド牛の格付を記載する格付項目欄と、傷等による傷みの瑕疵の情報を記載する瑕疵情報項目欄と、該ブランド牛の霜降りの度合いを記載する霜降り項目欄と、該ブランド牛の色合いと光沢を記載する色彩項目欄と、該ブランド牛の屠畜から小売業者（６０）により消費者に販売されるまでの有効期限を記載すする有効期限項目欄と、認定牛マスタ（１０３）の作成者、更新者、作成日、更新日等を記載するマスタ作成者項目欄と、一例としてのブランド牛を加工した食肉加工会社（４０）や食肉卸会社（５０）を記載する流通項目欄と、より構成した認定牛マスタ
（５）ブランド管理会社（９０）の収入金及び支出を検索するため収入及び支出度に付する資金管理項目欄と、企業・団体から徴収した社会貢献事業を行うための資金毎に管理名を記載する資金管理名項目欄と、補助金、供託金、支援金等の資金の管理区分を記載する資金管理区分項目欄と、資金の貸付先や借入先を記載する貸方科目・借方科目欄と、より構成した資金管理マスタ
（６）ブランド管理会社（９０）によって実施された社会貢献事業を検索するために各事業毎に付する事業キー項目欄と、実施した社会貢献活動の事業区分を記載する事業区分項目欄と、実施した社会貢献活動の事業名を記載する事業名項目欄と、実施した社会貢献活動の実施された場所を記載する事業場所項目欄と、実施した社会貢献活動の開始及び終了の年月日を記載する事業有効日項目欄と、実施した社会貢献活動が実施可能な所定の資格条件を満たしていることを記載する基本参加条件項目欄と、実施した社会貢献活動のためにブランド管理会社（９０）が支出した基本となる金額を記載する支出基本項目欄と、より構成した貢献事業マスタ
（７）ブランド牛に割り振られる固有の番号となる数字又はアルファベットより構成され、ブランド牛の全加工処理流通経路において、所定の手段で所定の位置に一貫して表記されて最終的には小売業者（６０）の社会貢献活動の特定表記に使用され、更にはブランド牛の流通に関わった複数の流通業者の履歴を表す流通履歴情報欄を有した個体識別番号（Ｆ２）よりなる認識マーク
（８）小売業者（６０）が行った社会貢献活動の内容を示す項目よりなる流通履歴情報一覧表
である。
【考案の効果】
【０００９】
本考案の事業必須項目記載表の組合わせにより達成する社会貢献事業として、牛肉の取引流通過程で関係する各会社(以下、取引流通会社という)から寄付金のような供託金を供出させて、その供託金はまとめて牛肉のブランドを管理するブランド管理会社へ拠出され、ブランド管理会社から小売業者に提供されて、小売業者は、その供託金を社会貢献活動費として、例えば、身障者施設への車椅子の寄付活動などのように各種地域の社会貢献活動団体の活動費用として用いる。上記のような社会貢献事業の達成を前提として本考案の事業必須項目記載表は、これらの社会貢献事業の推移や現状を一目瞭然に把握できるように構成した。
この記載表は、認定基準マスタと、流通牛認定基準マスタと、認定会社マスタと、認定牛マスタと、資金管理マスタと、貢献事業マスタと、認識マーク表と、流通履歴情報一覧表との組合わせを作成することにより構成されている。
まず、認定基準マスタ及び流通牛認定基準マスタは、社会貢献事業に加盟希望の流通事業者が加盟に必要な認定基準を具備しているか否かの審査をチェックするための一覧表であり、この社会貢献事業の成否のカギを握る適正な流通事業者を認定するために必要な項目を一覧表として適正な認定ができるように構成した。
認定会社マスタは、社会貢献事業に加盟が認められた流通事業者の企業・団体名、会社コード、法人区分、資本金等を一覧表として構成している。
認定牛マスタは、流通事業の対象となる牛が認定事業に適正であるか否かの認定を行うための認定基準を定めた一覧表であり、この認定牛が適正な品質でなければこの社会貢献事業は成立しないと言わねばならず、この適正な認定を行うに必要な項目を一覧表とした構成である。
資金管理マスタは、社会貢献事業に加盟している企業等からの寄付金などの供託金の収支を管理し、また、最終の小売業者からの販売促進のための資金の支出管理をするための一覧表であり、金銭の透明性と社会貢献事業の中核をなす金銭の状況を明確に開示する項目を一覧表として構成している。
貢献事業マスタは、社会貢献事業に加盟する流通業者から寄付された供託金を運用することにより、小売業者が供託金により行う社会貢献事業の内容を示す一覧表であり、社会貢献事業そのものの内容を流通業者が知るために必要な項目を一覧表として構成されている。
認定マークは、個体識別番号よりなり、生産されるブランド牛に割り振られた固有の番号からなり、ブランド牛の飼育時はブランド牛の耳標に表示されたり、肉塊に焼印表記されたり、パッケージに表記されるように構成されている。
流通履歴情報一覧表は、ブランド牛の流通の基本となる個体識別番号や流通関係者や、小売業者による社会貢献活動内容を示すように構成されている。
以上のような各一覧表及び認識マークを一体として組合わせて構成することにより、各一覧表の記載項目が有機的な関係として結合されてブランド牛の飼育から肉製品のパッケージに至るまでの流通状況を簡便にかつ容易に知ることができ、特に各流通業者が流通に関係した他の流通業者の行動を各一覧表により容易に知ることができて関連する各自の行動の適正化の認識を喚起することができる効果を有する。
更には、これらの一覧表と識別マークとにより各流通業者が目的とする社会貢献事業の推移を各自が明確に把握することができる効果があり、特に、最終流通過程にある小売業者が各流通業者からの寄付による供託金を用いて社会貢献を行う本来の目的状況が各一覧表の組合わせの記載内容を基にして認知することができる効果があり、最終的には各流通業者がブランド牛の識別マークを介して社会貢献を行っていることを消費者が知ることとなり、そのことによって消費の増大を生起し、寄付金等の供託金支出にもかかわらず各流通業者は各担当の一覧表の項目を充填記載することにより、結果的には社会貢献活動に参画していることの認識と社会貢献への評価を受けることができ、ひいては、売上の拡大へとつながる効果がある。
更には、これらの各一覧表は、これらの社会貢献事業の詳細と処理内容をインターネット回路網を用いて行う際にデータ入力のためのフォーマットの基礎とすることができる効果がある。
すなわち、これらの一覧表や識別マークは、各内容項目がそのままインターネット回路網のデータとして使用できるように構成されているので、マニュアルで各一覧表や識別マークの有機的管理の処理を行う場合のみならずインターネット回路網を用いたパーソナルコンピュータ装置の管理処理にもそのまま用いることができる効果がある。
すなわち、一覧表や識別マークの組合わせにより、これらの内容項目をデータとして利用することにより流通業者の申請端末でインターネット回路網を利用することによりクローズされた社会貢献事業を容易に達成することができる効果がある。
【図面の簡単な説明】
【００１０】
【図１】本考案に係る社会貢献事業の概要を示す図である。
【図２】本考案に係る社会貢献事業の構成を示す図である。
【図３】本考案に係る社会貢献事業の処理の流れを示す図である。
【図４】本考案に係る社会貢献事業のデータベースを説明する図である。
【図５】本考案に係る社会貢献事業のデータベースを説明する図である。
【図６】本考案に係る社会貢献事業のデータベースを説明する図である。
【図７】本考案に係る社会貢献事業のデータベースを説明する図である。
【図８】本考案に係る社会貢献事業のデータベースを説明する図である。
【図９】本考案に係る社会貢献事業のデータベースを説明する図である。
【図１０】本考案に係る社会貢献事業の認識マークの一例を示す図である。
【図１１】本考案に係る社会貢献事業の流通管理情報の一例を示す図である。
【図１２】本考案に係る社会貢献事業の認識マークの他の一例を示す図である。
【考案を実施するための形態】
【００１１】
以下、考案を実施するための形態（以下、「実施形態」とする）について説明する。
【００１２】
本考案に係る寄付等の供託金による社会貢献事業を伴う商品流通過程は、商品の流通過程に携わる複数の流通事業者（例えば、商品生産者、一次流通会社、加工会社、卸会社など）が商品価格の一部をそれぞれ寄付してブランド管理会社にプールすると共に、最終の販売業者である小売業者がそのプールした供託金を社会奉仕に寄付等により貢献するように使用し、しかも、消費者がかかる供託金としての寄付のプールされた流通経路を経た商品であることを認識することができるように商品には認識マークを付するように構成した流通形態が一定の事業必須項目を記載する表を見ることにより詳細が一目瞭然に認識できるようにしている。
【００１３】
以下、本考案に係る商品流通過程の概要を図面に基づいて詳細に説明する。なお、以下の商品流通過程においては、商品を食用牛肉とし、当該食用牛肉の飼育、加工、販売にかかる社会貢献事業を一例として説明する。図１は、本考案に係るデータ記載、構造を用いた社会貢献事業の概要を示す図である。なお、本実施形態では、社会貢献事業１を食用牛肉（以下、ブランド牛ともいう）の流通に適用した例について説明する。流通される商品は、牛肉以外の食用肉（例えば、豚肉、鶏肉など）等を用いることもできる。
【００１４】
図１に示すように、社会貢献事業１を構成する企業・団体は、牛肉飼育家畜農家１０、一次流通会社２０、屠畜場３０、食肉加工会社４０、食肉卸会社５０、小売業者６０、消費者７０、各種地域・社会貢献活動団体８０及びブランド管理会社９０などの複数の事業者により構成されている。以下、社会貢献事業１を構成する上記各事業者の概要及び流通するブランド牛・活動・社会貢献事業資金（供託金）の流れを事業必須項目記載表に基づき説明する。また、本実施形態における社会貢献事業１は、ブランド管理会社９０が定めるところの一定の認定基準を満たした複数の事業者間で、事業必須項目記載表に基づきブランド牛を流通させることにより、消費者にとって安心・安全なブランド牛を提供することができることになる。なお、本実施形態における社会貢献事業１への認定基準の詳細は後述する。
【００１５】
また、社会貢献事業１を構成する小売業者６０を除く上記各事業者が、事業必須項目記載表を作成しつつ事業必須項目記載表に基づき各々一定の供託金としての寄付を社会貢献事業資金としてブランド管理会社９０に拠出することにより、ブランド管理会社９０は、当該社会貢献事業資金を管理・運用して社会貢献活動を実施する。これにより、社会貢献活動へ関心・意識の高い法人や個人などが経営する事業者が生産・流通・販売を担う社会貢献事業１とすることができる。なお、図中、太線は「牛肉飼育家畜農家１０から消費者７０までのブランド牛の流れ」を示し、図中、実線は「社会貢献活動の流れ」を示し、図中、破線は「社会貢献事業資金（以下、供託金という）の流れ」を示し、図中一点鎖線は社会貢献事業にかかる「情報提供の流れ」を示す。
【００１６】
牛肉飼育家畜農家１０は、ブランド管理会社９０によって、一定の認定基準を満たす飼育条件で食肉用の牛（以下、ブランド牛という）を飼育していると認定された牛肉飼育家畜農家１０である。そして、所定の飼育期間を終えたブランド牛を、一次流通会社２０へ出荷する（図中太線の（１））。このとき、牛肉飼育家畜農家１０は、ブランド牛の売却価格から所定の金額を供託金ｎ１としてブランド管理会社９０に拠出する。また、牛肉飼育家畜農家１０から一次流通会社２０へ出荷されたブランド牛には、所定の認識マークＦが付されている。この認識マークＦは、詳細は後述するが、社会貢献事業１におけるブランド牛の個体を識別可能な番号などで構成される。
【００１７】
このように、牛肉飼育家畜農家１０が飼育するブランド牛は、ブランド管理会社９０が定めるところの一定の認定基準を満たした複数の事業者間で流通させることができるため、安定した品質及び販路を確保することができ、一定量の販売頭数の増加を見込むことができる。また、「生産者限定牛肉」といったブランディングを展開することで最終小売段階での生産者の肖像露出によるステータスの創出も可能となる。
【００１８】
一次流通会社２０は、牛肉飼育家畜農家１０から公営の屠畜場３０への中間流通を担う。一次流通会社２０は、牛肉飼育家畜農家１０から購入したブランド牛を食肉加工会社４０へ売却する（図中太線の（２））とともに、所定の屠畜料を屠畜場３０に支払いブランド牛の屠蓄を依頼する。一次流通会社２０は、ブランド牛の売却価格から所定の金額を供託金ｎ２としてブランド管理会社９０に拠出する。
【００１９】
屠畜場３０は、一次流通会社２０から出荷されたブランド牛を屠畜して、食肉加工会社４０へ供給する（図中太線の（３））。屠畜場３０は、ブランド牛の屠畜料から所定の金額を供託金ｎ３としてブランド管理会社９０に拠出する。このとき、食肉加工会社４０へ供給するブランド牛にも、上述した所定の認識マークＦが付されている。
【００２０】
なお、屠畜場３０は一般には、「食肉処理場」「食肉センター」などの名称が付されているものが多く、これらの施設は主に食肉加工会社や第三セクター、または自治体によって設置される。本実施形態においては、第三セクターまたは自治体によって運営される公営の屠畜場３０として、屠畜場３０と食肉加工会社４０とを区別しているが、食肉加工会社４０が屠畜場３０を併せている場合は、屠畜場３０は省略してもよい。
【００２１】
食肉加工会社４０は、屠畜場３０から出荷されたブランド牛を加工する。食肉加工会社４０は、加工されたブランド牛を食肉卸会社５０へ売却する（図中太線の（４））。食肉加工会社４０は、ブランド牛の売却価格から所定の金額を供託金ｎ４としてブランド管理会社９０に拠出する。なお、食肉卸会社５０へ売却されるブランド牛は、所定の部位の肉塊として供給されるが、この肉塊にも上述した所定の認識マークＦが付されている。
【００２２】
食肉卸会社５０は、加工されたブランド牛を小売業者６０へと流通する専売権を保有する。食肉卸会社５０は、ブランド牛を小売業者６０へ販売する（図中太線の（５））。そして、販売価格から所定の金額を供託金ｎ５としてブランド管理会社９０に拠出する。また、小売業者６０へ売却されたブランド牛にも上述した所定の認識マークＦが付されている。
【００２３】
本実施形態における社会貢献事業１では、牛肉飼育家畜農家１０から小売業者６０の一つ手前の流通業者である食肉卸会社５０に至る各流通業者が、ブランド牛の流通販売に際して、その販売価格の一部である供託金ｎ１，ｎ２，ｎ３，ｎ４，ｎ５をそれぞれブランド管理会社９０に拠出する。拠出された供託金ｎ１，ｎ２，ｎ３，ｎ４，ｎ５は、ブランド管理会社９０によって社会貢献活動資金としてプールされる。
【００２４】
小売業者６０は、自己の仕入れた原価に自己の利益や経費を加算して消費者７０にブランド牛の販売を行う（図中太線の（６））。また、最終的に消費者７０が購入したブランド牛にも上述した所定の認識マークＦが付されている。このようにして、本実施形態における社会貢献事業１では、最終の消費者７０に至るまで認識マークＦが付されたブランド牛を提供している。これにより、消費者７０は、当該ブランド牛を飼育した牛肉飼育家畜農家１０や当該ブランド牛の流通にかかる各流通業者を特定することができるので、安心して購入したブランド牛を食することができる。
【００２５】
また、本実施形態においては、小売業者６０は、食肉卸会社５０から購入したブランド牛の購入価格に応じて、ブランド管理会社９０にプールされている社会貢献活動資金の一部を、社会貢献活動費の供託金Ｎとして提供されることになる。
【００２６】
この供託金Ｎは、上述したように、社会貢献事業１の流通始端の牛肉飼育家畜農家１０から、小売業者６０の一つ前の食肉卸会社５０に至るまでの各流通業者が、流通する商品（つまり、ブランド牛）の価格の一部を、自己の利益の中より除外して、供託金ｎ１，ｎ２，ｎ３，ｎ４，ｎ５としてブランド管理会社９０に拠出したものである。
【００２７】
小売業者６０は、ブランド管理会社９０から提供された供託金Ｎを社会貢献活動に用いなければならない（図中実線の（ａ））。すなわち、例えば、子供達への食育推進活動、環境保全活動、スポーツや文化推進活動、教育関連基金創設活動、身障者施設への車椅子寄付活動等の多種多様の社会貢献活動のために供託金Ｎを活用するのである。
【００２８】
このように、小売業者６０は、社会貢献活動をブランド管理会社９０から提供された供託金Ｎを基にして行うために自己の資金を要することなく、通常の流通ビジネスの遂行にともなって必然的に社会貢献活動となり実現する。小売業者６０の社会貢献活動は、本考案の社会貢献事業１の核心となるところである。
【００２９】
また、小売業者６０が社会貢献活動を行う場合、小売業者６０は、一般にどのようにして社会貢献活動を行えばよいか分からない場合がある。この場合は、社会貢献事業１のブランド管理会社９０は、小売業者６０に社会貢献活動に用いる供託金Ｎを提供するだけではなく、当該小売業者６０の近隣で実行することができる種地域・社会貢献活動団体８０の情報を提供（図中一点鎖線（Ａ））する。このため、ブランド管理会社９０は、社会貢献事業１に加盟している小売業者６０の近隣で行われている各種地域・社会貢献活動団体８０の活動情報を収集（図中一点鎖線（Ｂ））しておく。
【００３０】
このように、小売業者６０は、自己の資金を調達することなく、供託金Ｎを基にして社会貢献活動を行うことができ、かかる小売業者６０の活動は、社会的認知度を高めて消費者７０の共感を喚起し、翻っては当該小売業者６０に対する消費者７０の購買意欲を向上し、最終的には、かかる社会貢献活動を行っている小売業者６０の販売高が向上することになる。
【００３１】
このことは、社会貢献事業１において当該小売業者６０に至る各所の中間加工・流通業者においても適合することであり、小売業者６０の販売高が向上すれば当然に、他の流通業者の売上も向上し、小売業者６０に至る各流通業者はその分利潤が増加する。また、それだけではなく、社会貢献事業１にかかる複数の中間加工・流通業者が拠出した供託金ｎ１，ｎ２，ｎ３，ｎ４，ｎ５により社会貢献活動が行われるため、中間加工・流通業者にとっても、直接的・間接的に社会貢献活動に関わることができる。さらに、消費者に安全な商品（ブランド牛又はブランド牛食肉）を提供することで、会社としてのＣＳＲ（Ｃｏｒｐｏｒａｔｅ  Ｓｏｃｉａｌ  Ｒｅｓｐｏｎｓｉｂｉｌｉｔｙ）活動を充実させることができる。ここで、ＣＳＲ活動とは、企業が利益を追求するだけでなく、消費者などからの食の安全への要求に対して適切な意思決定（つまり、安全な商品を提供する。）をすることである。
【００３２】
ブランド管理会社９０は、本実施形態における社会貢献事業１を運用・管理するための会社である。以下、社会貢献事業１のブランド管理会社９０の構成及び機能を、図２を参照して説明する。
【００３３】
図２に示すように、本字実施形態の社会貢献事業１を、事業必須項目記載表に基づいてインターネット回路網２００を用いて実施する場合を一例として説明すると、ブランド管理会社９０の管理端末９１と、牛肉飼育家畜農家１０の申請端末１１、一次流通会社２０の申請端末２１、屠畜場３０の申請端末３１、食肉加工会社４０の申請端末４１、食肉卸会社５０の申請端末５１及び小売業者６０の申請端末６１とを、インターネット回線網２００を介して相互に接続することにより、社会貢献事業１を実現する。管理端末９１、各申請端末１１，２１，３１，４１，５１，６１は、既存のコンピュータ（パーソナルコンピュータなどを含む）が用いられる。
【００３４】
ブランド管理会社９０の管理端末９１は、社会貢献事業１を運用・管理するための制御部９８と、制御部９８の各種機能を実行するためにデータベースとしての記憶部１００から構成されている。制御部９８は、図示しない演算装置としてのＣＰＵや記憶装置としてのＲＯＭ、ＲＡＭ、ＨＤＤ（Ｈａｒｄ  Ｄｉｓｋ  Ｄｒａｉｖｅｒ）などから構成されており、ＲＯＭ又はＨＤＤに予め記憶されている各種機能（認定管理手段９２、流通管理手段９３、トレーサビリティ手段９４、社会貢献事業実施管理手段９５、社会貢献事業資金管理手段９６、販売促進支援手段９７など）を実行するための複数のプログラムをＣＰＵが読み出して実行することで、社会貢献事業１を運用・管理している。
【００３５】
記憶部１００は、大容量のＨＤＤや不揮発性のフラッシュメモリなどで構成されている。記憶部１００には、社会貢献事業１を運用・管理するための各種データを記載する一定の表（すなわち、認定基準マスタ１０１ａ、１０１ｂ、認定会社マスタ１０２、認定牛マスタ１０３、資金管理マスタ１０４、貢献事業マスタ１０５など）がフォーマットとして記憶されている。
【００３６】
以下、インターネット回路網２００を事業必須項目記載表に基づいて機能させる場合を一例として説明するに際し、まず、図２に示すブランド管理会社９０保有の管理端末９１で実行される各種機能の役割を説明する。
認定管理手段９２は、
（１）社会貢献事業１に加盟を希望する企業・団体を、事業必須項目記載表に基づいて定められた認定基準により審査して結果を管理する。
（２）加盟申請を行った企業・団体が認定されているか、また、申請内容が登録されている取引形態で申請可能か事業必須項目記載表に基づいて管理する。
（３）認定された企業・団体より申請された商品（つまり、ブランド牛又はブランド牛食肉など、以下、ブランド牛ともいう）が、社会貢献事業１で流通可能なブランド牛として認定されているか事業必須項目記載表に基づいて管理する。
（４）認定された企業・団体より申請された事業が社会貢献事業となりえるかを事業必須項目記載表に基づき管理する。
【００３７】
すなわち、認定管理手段９２は、社会貢献事業１を構成する各流通業者である企業・団体の加盟の認定作業のために事業必須項目記載表を作成して該表に基づいて加盟の是非を判断する。つまり、各流通業者である企業・団体からの加盟の申請を、後述の認定基準マスタ１０１ａのフォーマット、すなわち、事業必須項目記載表を作成して登録すると共に、当該社会貢献事業１への加盟を申請した企業・団体の加盟の是非を所定の認可条件に基づいて判断する。また、認定管理手段９２は、社会貢献事業１で小売業者６０にて実行される社会貢献事業の是非を判断して、小売業者６０に適切な社会貢献事業を案内する。
【００３８】
流通管理手段９３は、上記認定管理手段９２により認定されたブランド牛の流通情報（関連した企業情報、ブランド牛情報、取引情報など）の登録及び管理を事業必須項目記載表に基づいて行う。つまり、流通管理手段９３は、社会貢献事業１におけるブランド牛及び流通にかかる各流通業者を登録する。
【００３９】
トレーサビリティ手段９４は、ブランド牛と認定された牛の固有情報（品種、産地、出生日など）・出荷日・出荷先・屠畜日・加工日などの移動履歴管理を事業必須項目記載表に基づいて行う。つまり、トレーサビリティ手段９４は、牛肉飼育家畜農家１０から出荷されたブランド牛が、小売業者６０の店頭で消費者に販売されるまでの流通経路の履歴管理を事業必須項目記載表に基づいて行う。このブランド牛の流通経路の履歴は、後述の図１０に示すブランド牛の流通履歴情報１１０の元となる。
【００４０】
社会貢献事業実施管理手段９５は、
（１）ブランド管理会社９０が認定している社会貢献事業を事業必須項目記載表により管理する。
（２）社会貢献事業１で実施された社会貢献事業の実施内容（実施履歴）を事業必須項目記載表により管理する。
【００４１】
つまり、社会貢献事業実施管理手段９５は、社会貢献事業１で実施された社会貢献事業の具体的な実施内容などを事業必須項目記載表により管理して表示するホームページなどにより、例えば、インターネット回線網２００を介して接続されている各流通業者の申請端末１１，２１，３１，４１，５１，６１や、消費者が所持するコンピュータ７１において、実施した社会貢献事業の内容を誰にでも分かり易く公開する機能を有する。
【００４２】
社会貢献事業資金管理手段９６は、
（１）社会貢献事業１に加盟している企業・団体からの取引高に応じた供託金ｎ１〜ｎ５（図１参照）の請求及び入金管理を事業必須項目記載表に基づいて行う。
（２）認定された社会貢献事業を行う小売業者６０への供託金Ｎ（図１参照）の提供及び支出管理を事業必須項目記載表に基づいて行う。
【００４３】
社会貢献事業資金管理手段９６は、社会貢献事業に支出した資金の流れを、事業必須項目記載表に基づいて上記ホームページなどにより、広く一般に公開して、実施した社会貢献事業に要した資金の流れが誰にでも分かり易いように公開する機能を有する。
【００４４】
販売促進支援手段９７は、
（１）小売業者６０で消費者に販売される上記トレーサビリティ手段９４で管理されているブランド牛の移動履歴を事業必須項目記載表に基づいて、ホームページなどにより消費者７０及び社会貢献事業１に加盟している企業・団体が閲覧可能とする。
（２）社会貢献事業１に加盟している企業・団体による実施履歴を事業必須項目記載表に基づいてホームページなどにより消費者７０及び社会貢献事業１に加盟している企業・団体が閲覧可能とする。
（３）事業必須項目記載表によりホームページや電子媒体を活用して、社会貢献事業のＰＲ活動を行う。
（４）小売業者６０を対象とした販売促進支援を行った履歴を事業必須項目記載表に基づいて管理する。
【００４５】
すなわち、販売促進支援手段９７は、事業必須項目記載表に基づいてホームページなどを利用して、社会貢献事業１で流通するブランド牛の生産（飼育）から小売業者６０で販売されるまでの履歴を追跡可能とするともに、社会貢献事業１で実施された事業の内容を公開する。また、社会貢献事業１における事業を一般の消費者や流通事業を営む企業・団体にＰＲすることにより、社会貢献事業１の商品価値をＰＲしたり、社会貢献事業１への参入をＰＲしたりする。
【００４６】
ブランド管理会社９０の処理の流れを、図３を参照して説明する。
まず、図３に示すように、ブランド管理会社９０の制御部９８において、事業必須項目記載表に基づいた認定管理手段９２が実行される。この機能は、上述したように、ブランド管理会社９０の管理端末９１の制御部９８で実行される。
【００４７】
認定管理手段９２は、事業必須項目記載表に基づいて社会貢献事業１を構成する各流通業者である企業・団体の加盟の認定作業を行う。つまり、事業必須項目記載表による各流通業者である企業・団体からの加盟の申請を、インターネット回線網２００を介して、各申請端末１１，２１，３１，４１，５１，６１から受け付ける。そして、事業必須項目記載表により受け付けた申請を認定基準マスタ１０１ａとして登録すると共に、当該社会貢献事業１への加盟を申請した企業・団体の加盟の是非を所定の認可条件（I認定企業（企業の業績、過去の賞罰など）、II取引形態（社会貢献事業１の取引形態に応じているか）、III認定牛（所定の品質のブランド牛を取り扱っているか）、IV認定事業（社会貢献事業１で実施する社会貢献事業として適しているか））に基づいて判断する。
【００４８】
認定管理手段９２は、事業必須項目記載表により各流通業者である企業・団体からの加盟の申請が不承認であると判断すると、その旨を申請された各申請端末１１，２１，３１，４１，５１，６１へ通知する。一方、認定管理手段９２は、事業必須項目記載表により各流通業者である企業・団体からの加盟の申請が承認であると判断すると、その旨を申請された各申請端末１１，２１，３１，４１，５１，６１へ通知する。
【００４９】
認定管理手段９２が終了すると、流通管理手段９３、トレーサビリティ手段９４、社会貢献事業実施管理手段９５が実行される。流通管理手段９３は事業必須項目記載表に、社会貢献事業１における各流通業者の各種情報の管理・登録を行う。トレーサビリティ手段９４は、牛肉飼育家畜農家１０から出荷されたブランド牛が、小売業者６０の店頭で消費者に７０販売されるまでの流通経路の履歴（移動履歴）を事業必須項目記載表に管理・登録する。
【００５０】
社会貢献事業実施管理手段９５は、社会貢献事業１で実施された社会貢献事業の実施状況を登録する。このように、社会貢献事業１においては、流通管理手段９３、トレーサビリティ手段９４、社会貢献事業実施管理手段９５が、ブランド牛の流通や社会貢献事業の実施に応じて常に最新の情報が事業必須項目記載表に登録される。
【００５１】
社会貢献事業資金管理手段９６は、社会貢献事業への資金として、社会貢献事業１を構成する牛肉飼育家畜農家１０、一次流通会社２０、屠畜場３０、食肉加工会社４０、食肉卸会社５０からそれぞれ拠出された供託金ｎ１〜ｎ５（図１参照）の収入を、社会貢献活動資金としてプールするとともに、小売業者事業に社会貢献活動資金として提供する。
【００５２】
販売促進支援手段９７は、事業必須項目記載表やホームページなどを利用して、社会貢献事業１で流通するブランド牛の生産（飼育）から小売業者６０で販売されるまでの履歴を、加盟企業や消費者向け情報として公開するとともに、社会貢献事業１で実施された社会貢献事業の内容を事業必須項目記載表により公開する。また、社会貢献事業１における社会貢献事業を事業必須項目記載表により一般の消費者や流通事業を営む企業や団体にＰＲすることにより、社会貢献事業１の商品購入を消費者にＰＲしたり、社会貢献事業１への加盟を各流通業者にＰＲしたりすることができる。
【００５３】
以下、図２及び３に示すブランド管理会社９０に管理端末９１を整備した場合において、事業必須項目記載表を制御部９８が各種機能を実行する際に参照されるデータベースとして、記憶部１００に記憶されている事業必須項目記載表の各種データを、図４〜９を用いて説明する。
【００５４】
図４に示す認定基準マスタ１０１ａは、上述した認定管理手段９２において、社会貢献事業１に加盟を希望する流通事業者である企業・団体が、社会貢献事業１に加盟に必要な認定基準を満たしているか否かを事業必須項目記載表により審査するための認定基準欄（企業・団体）である。
【００５５】
項目Ｎｏ．１の認定基準コードは、ブランド管理会社９０の管理者によって、加盟申請を行った企業・団体毎にそれぞれ付されるキー項目であり、このキー項目を検索することにより、当該データベースにおいて、社会貢献事業１に加盟を希望する企業・団体を検索することができる。
【００５６】
項目Ｎｏ．２及び３の認定基準名（カナ）、認定基準名は、加盟申請を行った企業・団体名を示す項目である。項目Ｎｏ．４の資格失効欄は、当該加盟申請を行った企業・団体が以前、社会貢献事業１に加盟を認められていたが、何らかの問題によりその資格を失効した場合に付される記号である。
【００５７】
項目Ｎｏ．５の取引形態区分は、当該加盟申請を行った企業・団体の取引形態（食肉卸向け、食肉加工会社向けなど）の区分を示している。項目Ｎｏ．６の懲罰履歴チェック欄は、当該加盟申請を行った企業・団体が以前、営業停止などの懲罰の対象となったか否かを示しており、項目Ｎｏ．７の懲罰履歴有効期限は、営業停止などの懲罰の有効期限を示す。
【００５８】
項目Ｎｏ．８の過去申請履歴欄は、加盟申請を行った企業・団体が、過去に加盟申請を行った企業・団体であるかを示す項目である。項目Ｎｏ．９の過去申請履歴欄有効期限は、過去に当該加盟申請を行った企業・団体が、有効期限を満たしているか否かを示す項目である。
【００５９】
項目Ｎｏ．１０、１１及び１２の資本金、事業年数、従業員数は、加盟申請を行った企業・団体名の会社の概要を示す項目である。以下、予備の項目として補足１〜１０の項目が設けられ、最後に、項目Ｎｏ．５７、５６、５９、６０及び６１の項目で、当該認定基準マスタ１０１ａの作成及び更新者、作成及び更新日などが登録されている。
【００６０】
上述したように、本字実施形態における社会貢献事業１では、社会貢献事業１に加盟を希望する企業・団体に応じて加盟に必要なデータを事業必須項目記載表により認定基準マスタ１０１ａとして登録する。そして、ブランド管理会社９０は、認定管理手段９２により登録された各項目を、定められた認定基準により審査することで、加盟の承認又は非承認を認定する。このように、所定の認定基準を満たした企業・団体のみの加盟を認定することで、社会貢献事業１において、消費者に安全な商品（ブランド牛）を提供することを可能としている。
【００６１】
図５に示す認定基準マスタ１０１ｂは、上記認定管理手段９２において、牛肉飼育家畜農家１０が社会貢献事業１で流通させようとしている牛が、社会貢献事業１で流通させるために必要な認定基準を満たしているか否かを事業必須項目記載表により審査するための認定基準マスタ（牛）である。
【００６２】
項目Ｎｏ．１の認定基準コードは、ブランド管理会社９０の管理者によって、ブランド牛の種類毎にそれぞれ付されるキー項目であり、このキー項目を検索することにより、当該データベースにおいて、任意のブランド牛の認定基準を検索することができる。
【００６３】
項目Ｎｏ．２及び３の認定基準名（カナ）、認定基準名は、各ブランド牛の認定基準名を示す項目である。項目Ｎｏ．４の個体識別番号チェック欄は、牛肉飼育家畜農家１０が流通申請を行った牛固有の識別番号をチェックする項目である。
【００６４】
項目Ｎｏ．５の品種チェック欄は、牛肉飼育家畜農家１０が流通申請を行った牛の品種をチェックする項目である。項目Ｎｏ．６の産地チェック欄は、牛肉飼育家畜農家１０が流通申請を行った牛の産地をチェックする項目である。項目Ｎｏ．７の性別チェックフラグは、牛肉飼育家畜農家１０が流通申請を行った牛の性別をチェックする項目である。
【００６５】
項目Ｎｏ．８の加工日チェック欄は、牛肉飼育家畜農家１０が流通申請を行った牛の加工日が明確に把握できるか否かをチェックする項目である。項目Ｎｏ．９の屠畜日チェック欄は、牛肉飼育家畜農家１０が流通申請を行った牛の屠畜日が明確に把握できるか否かをチェックする項目である。
【００６６】
項目Ｎｏ．１０の格付チェック欄は、牛肉飼育家畜農家１０が流通申請を行った牛の格付（例えば、Ａ５，Ａ４…などの格付けランク）を把握できるか否かをチェックする項目である。項目Ｎｏ．１１の瑕疵チェック欄は、牛肉飼育家畜農家１０が流通申請を行った牛の瑕疵（例えば、傷などによる傷み）を把握できるか否かをチェックする項目である。
【００６７】
項目Ｎｏ．１２のＢＭＳチェック欄は、牛肉飼育家畜農家１０が流通申請を行った牛のＢＭＳ（ビーフ・マーブル・スタンダード：牛肉の霜降りの度合い）を把握できるか否かをチェックする項目である。項目Ｎｏ．１３のＢＣＳチェック欄は、牛肉飼育家畜農家１０が流通申請を行った牛のＢＣＳ（ビーフ・カラー・スタンダード：牛肉の「色合い」と「光沢」）を把握できるか否かをチェックする項目である。
【００６８】
以下、予備の項目として補足１〜１０の項目が設けられ、最後に、項目Ｎｏ．５７、５６、５９、６０及び６１の項目で、当該認定基準マスタ１０１ｂの作成及び更新者、作成及び更新日などが設けられている。
【００６９】
上述したように、本字実施形態における社会貢献事業１では、牛肉飼育家畜農家１０が社会貢献事業１で流通させようとする牛に応じて認定に必要なデータを事業必須項目記載表に認定基準マスタ１０１ｂとして登録する。そして、登録された各項目を、定められた認定基準により審査することで、社会貢献事業１での流通の承認又は非承認を認定している。このように、所定の認定基準を満たした牛のみの流通を認定することで、社会貢献事業１において、消費者に安全な商品（ブランド牛）を提供することを可能としている。
【００７０】
図６に示す認定会社マスタ１０２は、上述した認定管理手段９２において、社会貢献事業１に加盟が認められた流通事業者である企業・団体の登録データである。
【００７１】
項目Ｎｏ．１の会社コードは、ブランド管理会社９０の管理者によって、加盟申請を認可された企業・団体毎にそれぞれ付されるキー項目であり、このキー項目を検索することにより、事業必須項目記載表の当該データベースにおいて、社会貢献事業１に加盟している企業・団体を検索することができる。
【００７２】
項目Ｎｏ．２の認定年月日は、加盟申請を行った企業・団体名が社会貢献事業１への参加を認可された日付が登録された項目である。項目Ｎｏ．３の法人区分は、加盟を認可された企業・団体の法人区分（例えば、株式会社、有限会社など）が登録された項目である。
【００７３】
項目Ｎｏ．４及び５の会社名、会社名（カナ）は、加盟を認可された企業・団体の会社名が登録された項目である。項目Ｎｏ．６の略称・屋号は、加盟を認可された企業・団体の会社名の略称・屋号が登録された項目である。項目Ｎｏ．７の代表者名は、加盟を認可された企業・団体の代表者（原則として、代表取締役社長）の指名が登録された項目である。
【００７４】
項目Ｎｏ．８の現在地は、加盟を認可された企業・団体の会社の住所が登録された項目である。項目Ｎｏ．９及び１０の代表電話番号、ＦＡＸ番号は、加盟を認可された企業・団体の電話番号（代表）、ＦＡＸ番号が登録された項目である。
【００７５】
項目Ｎｏ．１１及び１２の設立年月日、資本金は、加盟を認可された企業・団体名の会社の概要を示す項目であり、その他、従業員数、事業年数などが登録されている。以下、予備の項目として補足１〜１０の項目が設けられ、最後に、項目Ｎｏ．５７、５６、５９、６０及び６１の項目で、当該認定会社マスタ１０２の作成及び更新者、作成及び更新日などが設けられている。
【００７６】
このように、本字実施形態における社会貢献事業１では、社会貢献事業１への登録を認可された企業・団体の登録データが事業必須項目記載表としての認定会社マスタ１０２に登録されている。そして、認定会社マスタ１０２の登録データを、流通管理手段９３で管理することにより、社会貢献事業１に登録されている企業・団体の会社の内容を必要な時に検索することができる。
【００７７】
図７に示す認定牛マスタ１０３は、上記認定管理手段９２において、社会貢献事業１での流通を認可された、牛肉飼育家畜農家１０が飼育したブランド牛の登録データである。
【００７８】
項目Ｎｏ．１の団体識別コードは、ブランド管理会社９０の管理者によって、流通申請を認可されたブランド牛毎にそれぞれ付されるキー項目であり、このキー項目を検索することにより、当該データベースにおいて、社会貢献事業１で流通している、牛肉飼育家畜農家１０が飼育したブランド牛を検索することができる。
【００７９】
項目Ｎｏ．２の品種は、ブランド牛の品種が登録されている。項目Ｎｏ．３の産地は、ブランド牛の産地が登録されている。ここで、ブランド牛の産地として登録される地域は、当該ブランド牛の最長肥育地が産地として登録される。項目Ｎｏ．４の性別は、ブランド牛の性別が登録されている。
【００８０】
項目Ｎｏ．５の出生年月日は、ブランド牛の出生年月日が登録されている。項目Ｎｏ．６の屠畜日は、ブランド牛の屠畜日が登録されている。項目Ｎｏ．７の屠畜コードは、ブランド牛を屠畜した屠畜場が登録されている。項目Ｎｏ．８の屠畜番号は、ブランド牛を屠畜した屠畜場から発行される証明書記載の枝番号が登録されている。
【００８１】
項目Ｎｏ．９の格付は、ブランド牛の格付（例えば、Ａ５，Ａ４…などの格付けランク）が登録されている。項目Ｎｏ．１０の瑕疵情報は、ブランド牛の瑕疵（例えば、傷などによる傷み）の情報が所定のコードで登録されている。項目Ｎｏ．１１のＢＭＳは、ブランド牛のＢＭＳ（ビーフ・マーブル・スタンダード：牛肉の霜降りの度合い）が登録されている。項目Ｎｏ．１２のＢＣＳは、ブランド牛のＢＣＳ（ビーフ・カラー・スタンダード：牛肉の「色合い」と「光沢」）が登録されている。項目Ｎｏ．１３の有効期限日は、ブランド牛が屠畜されてから小売業者６０で消費者に販売されるまでの有効期限が登録されている。
【００８２】
以下、予備の項目として補足１〜１０の項目が設けられ、最後に、項目Ｎｏ．２４、２５、２６、２７及び２８の項目で、当該認定牛マスタ１０３の作成及び更新者、作成及び更新日などが登録されている。また、認定牛マスタ１０３では、当該ブランド牛を加工した食肉加工会社４０、食肉卸会社５０なども所定の項目で登録されており（流通項目欄）、認定牛マスタ１０３に登録されている事業必須項目記載表の各種データにより、後述の図１０に示すブランド牛の流通履歴情報１１０を検索することができる。
【００８３】
このように、本字実施形態における社会貢献事業１では、社会貢献事業１への登録を認可された牛肉飼育家畜農家１０が飼育するブランド牛に応じて必要なデータが、事業必須項目記載表として認定牛マスタ１０３として登録されている。そして、認定牛マスタ１０３の登録データの事業必須項目記載表を、流通管理手段９３で管理することにより、社会貢献事業１に流通するブランド牛の流通履歴を必要な時に検索することができる。
【００８４】
図８に示す資金管理マスタ１０４は、上述した社会貢献事業資金管理手段９６又は販売促進支援手段９７において、社会貢献事業１に加盟している企業・団体からの供託金ｎ１〜ｎ５（図１参照）等の収入や、小売業者６０に提供する社会貢献事業を支援するための供託金Ｎ（図１参照）の支出を管理するための事業必須項目記載表としてのデータである。また、資金管理マスタ１０４は、社会貢献事業だけではなく、販売促進支援手段９７における販路拡大及び小売業者６０への販売促進のための資金などの支出も管理する。
【００８５】
項目Ｎｏ．１の資金管理コードは、ブランド管理会社９０の管理者によって、ブランド管理会社９０の収入及び支出毎にそれぞれ付されるキー項目であり、このキー項目を検索することにより、事業必須項目記載表としての当該データベースにおいて、社会貢献事業１における資金の流れを検索することができる。
【００８６】
項目Ｎｏ．２及び３の資金管理名（カナ）、資金管理名は、社会貢献事業１に加盟している企業・団体名から徴収した社会貢献事業を行うための資金又は小売業者６０への販売促進のための資金毎に管理名が付されてもので、ブランド管理会社９０にプールされている資金毎に登録されている。
【００８７】
項目Ｎｏ．４の資金管理区分は、当該資金の管理区分（１．補助金、２．供託金、３．支援金…など）が登録されている。項目Ｎｏ．５及び６の貸方科目コード、借方科目コードは、当該資金の貸付先や借入先を登録している。
【００８８】
以下、項目Ｎｏ．７〜１６は、予備の項目として補足１〜１０の項目が設けられ、最後に、項目Ｎｏ．１７、１８、１８、２０及び２１の項目で、当該資金管理マスタ１０４の作成及び更新者、作成及び更新日などが設けられている。
【００８９】
上述したように、本字実施形態における社会貢献事業１では、ブランド管理会社９０の収入や支出などの資金の流れを管理することにより、社会貢献事業１に加盟している企業・団体に対して、安心して当該社会貢献事業１へ参加できることを可能としている。
【００９０】
図９に示す貢献事業マスタ１０５は、上述した社会貢献事業実施管理手段９５において、社会貢献事業１に加盟する流通業者うち、小売業者６０を除く企業・団体から拠出された供託金ｎ１〜ｎ５（図１参照）を運用し、小売業者６０が供託金Ｎ（図１参照）を資金として実施した社会貢献事業を登録したものである。
【００９１】
項目Ｎｏ．１の事業Ｎｏ．は、ブランド管理会社９０の管理者によって、実施された社会貢献事業毎にそれぞれ付されるキー項目であり、このキー項目を検索することにより、当該データベースにおいて、社会貢献事業１で実施された社会貢献事業を検索することができる。
【００９２】
項目Ｎｏ．２の事業区分は、実施した社会貢献活動の事業区分（環境、販促、物品提供など）が登録されている。項目Ｎｏ．３及び４の事業名（カナ）、事業名は、実施した社会貢献活動の事業名が登録されている。項目Ｎｏ．４の事業内容は、実施した社会貢献活動の事業内容が登録されている。この事業内容としては、例えば、地産地消推進、子供たちへの食育推進、環境保全活動、スポーツ・文化推進、教育関連基金などがある。
【００９３】
項目Ｎｏ．６の事業場所は、実施した社会貢献活動が実施された場所が登録されている。項目Ｎｏ．７及び８の事業有効開始何月日、事業有効終了何月日は、実施した社会貢献活動の開始年月日及び終了年月日が登録されている。項目Ｎｏ．９の基本参加条件は、実施した社会貢献活動が、社会貢献事業１において、実施可能な所定の資格条件を満たしていることが登録されている。項目Ｎｏ．１０の支出基本金額は、実施した社会貢献活動のためにブランド管理会社９０が支出した基本となる金額（図１に供託金Ｎ）が登録されている。
【００９４】
以下、項目Ｎｏ．１１〜２０は、予備の項目として補足１〜１０の項目が設けられ、最後に、項目Ｎｏ．２１、２２、２３、２４及び２５の項目で、当該資金管理マスタ１０４の作成及び更新者、作成及び更新日などが設けられている。
【００９５】
上述したように、本実施形態における社会貢献事業１では、実施した社会貢献事業を社会貢献事業実施管理手段９５で管理し、事業必須項目記載表としての貢献事業マスタ１０５に登録しておくことにより、社会貢献事業１を構成する企業団体だけではなく、一般の消費者でも、実施された社会貢献活動を検索することを可能としている。実際の運用としては、ブランド管理会社９０が、実施した社会貢献事業をホームページで検索可能とし、例えば、消費者が購入したブランド牛に付されている認識マークＦ（社会貢献事業１で流通したブランド牛を管理するための個体識別番号など）に基づいて、実施された社会貢献事業を検索して表示可能とすることが望ましい。
【００９６】
ここで、図１０を用いてブランド牛に付されている認識マークＦを説明する。本実施形態における社会貢献事業１で用いられる認識マークＦには、図示するように、該ブランド牛を流通させる各流通関係者の出資したブランド牛運営資金により、社会貢献活動が実施される旨のメッセージＦ１「売り上げの一部を社会貢献に役立てます！」が記載されている。消費者７０がこのメッセージを目にすることにより、小売業者６０は、その社会貢献活動による社会的評価を受けることができる。これにより、当該小売業者６０と接する消費者７０に購買意欲を喚起させて販売促進させることができる。
【００９７】
また、認識マークＦには、認定されたブランド牛を管理するための個体識別番号Ｆ２が記載されている。個体識別番号Ｆ２は、生産されるブランド牛に割り振られる固有の番号であり、例えば、１０桁の数字やアルファベット等などから構成される。なるこの個体識別番号Ｆ２は、ブランド牛が飼育されているときは、ブランド牛の耳に取り付けられる耳標に表記され、屠蓄されてブランド牛の肉塊と部位毎に仕分けされてからは該肉塊に焼印等により表記されたり、該肉塊が加工された場合は、加工したブランド牛を収容するパッケージに表記されたりするようになっており、肉牛の誕生から牛肉として消費者に至る全流通経路に一貫して表記され、最終的には上述したように、小売業者６０の社会貢献活動の特定表記に使用される。
【００９８】
すなわち、個体識別番号Ｆ２は、例えば、流通経路において、ある流通過程から次の流通過程にブランド牛を売却する際の伝票等に記入されるようになっている。ブランド牛を売却する際には、ブランド牛の流通履歴が流通履歴情報１１０（図１０参照）として個体識別番号Ｆ２に応じてブランド管理会社９０の記憶部１００に記憶され、この流通履歴情報１１０に基づいてブランド牛の流通管理が行われるようになっている。なお、流通履歴とは、流通した記ブランド牛の個体識別番号Ｆ２に記憶されているブランド牛の流通に関わった複数の流通関係者の履歴である。なお、上記認識マークＦに記載される個体識別番号Ｆ２は、１０桁の数字やアルファベット等の限らず、例えば、二次元バーコードなどで表記してもよい。
【００９９】
以下、図１１を用いて流通履歴情報１１０を説明する。流通履歴情報１１０は、図１０に示すように構成されており、「個体識別番号」、「各流通関係者」及び「社会貢献活動」の項目が設けられている。
【０１００】
「各流通関係者」の項目は、流通経路においてブランド牛の流通に関係した各流通関係者を示す項目であり、各流通過程を経る毎に入力・更新されるようになっている。例えば、牛肉飼育家畜農家１０から一次流通会社２０にブランド牛を販売する際には（図１中、（１））、ブランド管理会社９０にその売上の一部が寄付されるとともに、流通履歴が通知される。ブランド管理会社９０に流通履歴が通知されると、流通履歴情報１１０に該流通履歴を追記する。例えば、図１１の１行目に示す例では、Ｃ列に「ｂ会社」が追記される。
【０１０１】
また、「社会貢献活動」の項目は、小売業者６０が行った社会貢献活動の内容（以下、「活動内容」という）を示す項目であり、小売業者６０から活動内容が通知される毎に入力されるようになっている。例えば、図１１の１行目に示す例では、「車椅子の提供」が入力されている。
【０１０２】
各種地域・社会貢献活動団体８０とは例えば、ライオンズ、ユニセフ又はロータリ等である。また、社会貢献活動とは、例えば、地産地消推進、子供たちへの食育推進、環境保全活動、スポーツ・文化推進、教育関連基金である。
【０１０３】
上述してきたように、本実施形態に係る社会貢献事業１によれば、当該社会貢献事業１を提唱するブランド管理会社９０は、所定の認定基準を満たしたブランド牛を飼育する牛肉飼育家畜農家１０からブランド牛の提供を受けることができる。また、各流通業者（一次流通会社２０、屠畜場３０、食肉加工会社４０、食肉卸会社５０）においても、所定の認定基準を満たした企業・団体から構成されているため、消費者が安心して購入することができるブランド牛の提供することができる。
【０１０４】
また、単に品質のよいブランド牛を消費者に提供するだけではなく、社会貢献事業１を構成する牛肉飼育家畜農家１０、一次流通会社２０、屠畜場３０、食肉加工会社４０、及び食肉卸会社５０は、ブランド牛の流通にかかるそれぞれ販売価格から一定の金額を社会貢献事業資金としてブランド管理会社９０に拠出する。そして、ブランド管理会社９０は、一旦プールした社会貢献事業資金を、小売業者６０に提供して社会貢献事業を実施させる。このような社会貢献事業１によれば、小売業者６０が消費者に販売するブランド牛に社会貢献事業資金を上乗せすることないので、ブランド牛の価格の高騰を抑えることができる。
【０１０５】
また、消費者にとっても、自身が購入したブランド牛により社会貢献活動が実施されることで、社会貢献事業１の商品の購入意欲を高めることができ、ブランド牛の販売高の向上に繋がる。更に、小売業者６０を除く複数の流通事業者にとっても、直接的・間接的に社会貢献活動に関わることで、会社で働く従業員の労働意欲を向上させることができる。さらに、消費者に安全な商品（ブランド牛）を提供することで、会社としてのＣＳＲ（Ｃｏｒｐｏｒａｔｅ  Ｓｏｃｉａｌ  Ｒｅｓｐｏｎｓｉｂｉｌｉｔｙ）活動を充実させることができる。
【０１０６】
また、本実施形態における社会貢献事業１は、地元で収穫した農水産物をその土地内で消費する「地産地消」を推進することができる。つまり、地元の「顔が見える生産者」としてブランド牛を生産する牛肉飼育家畜農家１０と、その近隣（例えば、同じ都道府県）の一次流通会社２０、屠畜場３０、食肉加工会社４０、及び食肉卸会社５０から社会貢献事業１を構成し、地元の小売業者６０にブランド牛を販売することで、消費者にとってより親近感が沸き、安心して購入できる商品を提供することができる。また、「地産地消」を推進することにより、例えば、ブランド牛の余計な流通コスト（つまり、商品の長距離に亘る運搬費用など）を抑えることで、ブランド牛の小売業者６０における販売価格を抑えることもできる。
【０１０７】
なお、本実施形態では、認識マークＦに個体識別番号Ｆ２を付すようにしたが、これには限定されず、例えば、図１２に示すように、個体識別番号Ｆ２に加え、各流通過程を経る毎に付される管理番号Ｆ３を付してもよい。管理番号Ｆ３とは、予め付与されている流通業者を示す数字や記号からなる符合であり、例えば、一次流通会社２０に管理番号Ｆ３「１」、食肉加工会社４０に管理番号Ｆ３「２」、食肉卸会社５０に管理番号Ｆ３「３」、そして、小売業者６０に管理番号Ｆ３「４」が付与されている場合は、当該肉牛が小売業者６０まで到達した時には、個体識別番号Ｆ２及び管理番号Ｆ３は「１１１１１１１１１１−１−２−３−４」が記載される。これにより、消費者７０等は、該管理番号Ｆ３を参照することで、認識マークＦが付された肉牛の流通経路の追跡を容易に行うことができる。
【０１０８】
以上、本考案の実施形態を図面に基づいて詳細に説明したが、これらは例示であり、当業者の知識に基づいて種々の変形、改良を施した他の形態で本考案を実施することが可能である。
【符号の説明】
【０１０９】
１  社会貢献事業
１０  牛肉飼育家畜農家
２０  一次流通会社
３０  屠畜場
４０  食肉加工業者
５０  食肉卸業者
６０  小売業者
７０  消費者
８０  各種地域・社会貢献活動団体
９０  ブランド管理会社
９１  管理端末
９２  認定管理手段
９３  流通管理手段
９４  トレーサビリティ手段
９５  社会貢献事業実施管理手段
９６  社会貢献事業資金管理手段
９７  販売促進支援手段
９８  制御部
１００  記憶部
１０１ａ  認定基準マスタ（企業・団体）
１０１ｂ  認定基準マスタ（牛）
１０２  認定会社マスタ
１０３  認定牛マスタ
１０４  資金管理マスタ
１０５  貢献事業マスタ
【手続補正書】
【提出日】平成25年12月27日(2013.12.27)
【手続補正１】
【補正対象書類名】実用新案登録請求の範囲
【補正対象項目名】全文
【補正方法】変更
【補正の内容】
【実用新案登録請求の範囲】
【請求項１】
各種加盟企業・団体が寄付等の供託金により社会貢献事業を行う際に使用する事業必須項目記載表を印刷したシートであって、以下の（１）〜（８）の認定基準マスタ記載のシート（１０１ａ）と、流通牛認定基準マスタ記載のシート（１０１ｂ）と、認定会社マスタ記載のシート（１０２）と、認定牛マスタ記載のシート（１０３）と、資金管理マスタ記載のシート（１０４）と、貢献事業マスタ記載のシート（１０５）と、認識マーク表記載のシートと、流通履歴情報表記載のシートと、の組み合わせにより構成したことを特徴とする寄付等の供託金による社会貢献事業において使用する事業必須項目を印刷したシート。
（１）システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、
加盟申請を行う企業・団体を識別検索するために各企業・団体毎に付する企業キー項目を記載する認定基準コード記載の欄と、
加盟申請を行った企業・団体の名称を記載する認定基準名を記載する欄と、
加盟申請を行った企業・団体が過去に資格を失った履歴を記載する資格失効を記載する欄と、
加盟申請を行った企業・団体がどのような職種であるかを示す取引形態の区分を記載する取引形態区分を記載する欄と、
加盟申請を行った企業・団体が過去に業務停止などの懲罰を受けたか否かを記載する懲罰履歴チェックを記載する欄と、
懲罰の有効期限を記載する懲罰有効期限を記載する欄と、
加盟申請を行った企業・団体が過去に加盟申請を行ったか否かを記載する過去申請履歴を記載する欄と、
過去に加盟申請した企業・団体が有効期限を満たしているか否かを記載する過去申請履歴有効期限を記載する欄と、
加盟申請を行った企業・団体の資本金、事業年数、従業員数等の会社の概要を示す項目を記載する会社概要を記載する欄と、を上から下にかけて順に並記し、しかもテーブル名の項目名の各欄の右横側方に、各項目名に該当するスキーマとしての各欄及びデータベースとしての各欄を横一列に設けたことにより構成した認定基準マスタ記載のシート
（２）システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、ブランド管理会社によりブランド牛の識別検索するためにブランド牛の種類毎にそれぞれ付されるブランド牛キー項目を記載する欄と、
ブランド管理会社によりブランド牛の認定基準名を記載するブランド牛認定基準を記載する欄と、
牛肉飼育家畜農家が流通申請を行った牛固有の識別番号へのチェックの有無を記載する個体識別番号チェックを記載する欄と、
牛の品種のチェック結果を記載する品種チェックを記載する欄と、
牛の産地のチェック結果を記載する産地チェックを記載する欄と、
牛の性別のチェック結果を記載する性別チェックを記載する欄と、
牛の加工日のチェック結果を記載する加工日チェックを記載する欄と、
牛の屠畜日のチェック結果を記載する屠畜日チェックを記載する欄と、
牛肉飼育家畜農家が流通申請を行った牛の格付けランクのチェック結果を記載する格付チェックを記載する欄と、
牛の傷等による傷みの瑕疵のチェック結果を記載する瑕疵チェックを記載する欄と、
牛肉の霜降りの度合いのチェック結果を記載する霜降りチェックを記載する欄と、
牛肉の色合い・光沢等のチェック結果を記載するカラーチェックを記載する欄と、
流通牛認定基準マスタ記載のシートの作成日等のその他の項目を記載するマスタ作成項目を記載する欄と、を上から下にかけて順に並記し、しかもテーブル名の項目名の各欄の右横側方に、各項目名に該当するスキーマとしての各欄及びデータベースとしての各欄を設けたことにより構成した流通牛認定基準マスタ記載のシート
（３）システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、ブランド管理会社の管理者によって加盟を認められた企業・団体を識別検索するために企業・団体毎にそれぞれ付される会社コード項目を記載する欄と、
企業・団体が参加を認可された日付を記載する認定年月日項目を記載する欄と、
加盟を認可された企業・団体の法人区分を記載する法人区分項目を記載する欄と、
企業・団体の会社名を記載する会社名項目を記載する欄と、
加盟認可を受けた企業・団体の代表者を記載する代表者項目を記載する欄と、
企業・団体の住所を記載する現在地項目を記載する欄と、
企業・団体の電話やＦＡＸ等の連絡番号を記載する連絡番号を記載する欄と、
加盟を認可された企業・団体の認定年月日や資本金等の会社概要を記載する会社概要を記載する欄と、を上から下にかけて順に並記し、しかもテーブル名の項目名の各欄の右横側方に、各項目名に該当するスキーマとしての各欄及びデータベースとしての各欄を設けたことにより構成した認定会社マスタ記載のシート
（４）システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、
流通申請を認可された一例としてのブランド牛の検索をするためにブランド牛毎に付される識別コードを記載する団体識別コード項目を記載する欄と、一例としてのブランド牛の品種を記載するための品種項目を記載する欄と、
一例としてのブランド牛の最長肥育地を産地として記載するための産地項目を記載する欄と、
該ブランド牛の性別を記載する性別項目を記載する欄と、
該ブランド牛の出生年月日を記載する出生年月日項目を記載する欄と、
該ブランド牛を屠畜した屠畜場を記載する屠畜項目を記載する欄と、
屠畜場から発行される証明書記載の枝番号を記載する屠畜番号項目を記載する欄と、
該ブランド牛の格付を記載する格付項目を記載する欄と、
傷等による傷みの瑕疵の情報を記載する瑕疵情報項目を記載する欄と、
該ブランド牛の霜降りの度合いを記載する霜降り項目を記載する欄と、
該ブランド牛の色合いと光沢を記載する色彩項目を記載する欄と、
該ブランド牛の屠畜から小売業者（６０）により消費者に販売されるまでの有効期限を記載すする有効期限項目を記載する欄と、
認定牛マスタ記載のシート（１０３）の作成者、更新者、作成日、更新日等を記載するマスタ作成者項目を記載する欄と、
一例としてのブランド牛を加工した食肉加工会社（４０）や食肉卸会社（５０）を記載する流通項目を記載する欄と、を上から下にかけて順に並記し、しかもテーブル名の項目名の各欄の右横側方に、各項目名に該当するスキーマとしての各欄及びデータベースとしての各欄を設けたことにより構成した認定牛マスタ記載のシート
（５）システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、
ブランド管理会社（９０）の収入金及び支出を検索するため収入及び支出度に付する資金管理項目を記載する欄と、
企業・団体から徴収した社会貢献事業を行うための資金毎に管理名を記載する資金管理名項目を記載する欄と、
補助金、供託金、支援金等の資金の管理区分を記載する資金管理区分項目を記載する欄と、
資金の貸付先や借入先を記載する貸方科目・借方科目を記載する欄と、を上から下にかけて順に並記し、しかもテーブル名の項目名の各欄の右横側方に、各項目名に該当するスキーマとしての各欄及びデータベースとしての各欄を設けたことにより構成した資金管理マスタ記載のシート
（６）システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、
ブランド管理会社（９０）によって実施された社会貢献事業を検索するために各事業毎に付する事業キー項目を記載する欄と、
実施した社会貢献活動の事業区分を記載する事業区分項目を記載する欄と、
実施した社会貢献活動の事業名を記載する事業名項目を記載する欄と、
実施した社会貢献活動の実施された場所を記載する事業場所項目を記載する欄と、
実施した社会貢献活動の開始及び終了の年月日を記載する事業有効日項目を記載する欄と、
実施した社会貢献活動が実施可能な所定の資格条件を満たしていることを記載する基本参加条件項目を記載する欄と、
実施した社会貢献活動のためにブランド管理会社（９０）が支出した基本となる金額を記載する支出基本項目を記載する欄と、を上から下にかけて順に並記し、しかもテーブル名の項目名の各欄の右横側方に、各項目名に該当するスキーマとしての各欄及びデータベースとしての各欄を設けたことにより構成した貢献事業マスタ記載のシート
（７）認定されたブランド牛を流通させる各流通関係者の出資したブランド牛運営資金により社会貢献活動が実施される旨のメッセージ及び認定されたブランド牛を管理するための個体識別番号が記載された認識マーク表記載のシート
（８）認定されたブランド牛を管理するための個体識別番号を記載のシート欄と、
流通経路においてブランド牛の流通に関係した各流通関係者を示す各流通関係者を記載のシート欄と、
小売業者が行った社会貢献活動の内容を示す社会貢献活動を記載のシート欄と
が横一列に順に左右方向に記載された流通履歴情報表記載のシート
【手続補正２】
【補正対象書類名】明細書
【補正対象項目名】全文
【補正方法】変更
【補正の内容】
【考案の詳細な説明】
【技術分野】
【０００１】
この考案は、寄付等の供託金による社会貢献事業において使用する事業必須項目記載表を印刷したシートに関する。
【背景技術】
【０００２】
従来、商品の流通過程で一定の金額を供託金として社会奉仕に使用する社会貢献事業がある。
【０００３】
例えば、商品一個につきその価格の０．１％分を社会貢献料として設定し、商品のメーカが予め寄付の商品価格にその社会貢献料を付加した金額を流通価格とし、消費者はかかる社会貢献料付きの商品を購入することにより、商品メーカは予め付加した社会貢献料を寄付として社会貢献に用いるという社会貢献事業がある（例えば、特許文献１参照）。
【先行技術文献】
【特許文献】
【０００４】
【特許文献１】特開２００８−１９７７０１号公報
【考案の概要】
【考案が解決しようとする課題】
【０００５】
かかる事業の特徴は、第一に、商品価格中に予め社会貢献料の金額が含まれているので社会貢献料は消費者が負担しており、第二には、寄付の社会貢献は最終的には商品のメーカが行うということであり、そのような事業に適合したデータ記載用のフォーマットが用いられていた。
【０００６】
しかし、上記事業では、消費者にとって商品を可及的に安価に購入したいという意図に反する。また、商品メーカが社会より社会奉仕の評価を受けるのみであり、消費者と直接に接する小売店には社会的評価は発生しないこととなり、小売店の販売促進努力を喚起することにならないという欠点を有した社会貢献事業となり、そのような社会貢献事業としては欠点を有する事業を達成するためには各種流通過程でかかる事業に適合したデータ記載用のシートが用いられている。
【０００７】
本考案は、斯かる事情に鑑みてなされたものであって、各種のマスタ等を一定の記載欄を印刷したシートとして構成し、社会貢献活動に必要な事項をシートの規格された記載欄に記入して小売業者は社会貢献活動による社会的評価を受けることにより、当該小売業者と接する消費者に購買意欲を換起させて販売促進に多いに役立つとともに、商品流通に係る全企業の繁栄に貢献することができる社会貢献事業に適合した事業必須項目記載表を印刷したシートを提供する。
【課題を解決するための手段】
【０００８】
請求項１記載の本考案は、各種加盟企業・団体が寄付等の供託金により社会貢献事業を行う際に使用する事業必須項目記載表を印刷したシートをであって、以下の（１）〜（８）の認定基準マスタ記載のシート（１０１）と、認定会社マスタ記載のシート（１０２）と、認定牛マスタ記載のシート（１０３）と、資金管理マスタ記載のシート（１０４）と、貢献事業マスタ記載のシート（１０５）と、認識マーク表記載のシートと、流通履歴情報表記載のシートと、の組み合わせにより構成したことを特徴とする寄付等の供託金による社会貢献事業において使用する事業必須項目を印刷したシート。
（１）システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、
加盟申請を行う企業・団体を識別検索するために各企業・団体毎に付する企業キー項目を記載した認定基準コード記載の欄と、
加盟申請を行った企業・団体の名称を記載する認定基準名を記載する欄と、
加盟申請を行った企業・団体が過去に資格を失った履歴を記載する資格失効を記載する欄と、
加盟申請を行った企業・団体がどのような職種であるかを示す取引形態の区分を記載する取引形態区分を記載する欄と、
加盟申請を行った企業・団体が過去に業務停止などの懲罰を受けたか否かを記載する懲罰履歴チェックを記載する欄と、
懲罰の有効期限を記載する懲罰有効期限を記載する欄と、
加盟申請を行った企業・団体が過去に加盟申請を行ったか否かを記載する過去申請履歴を記載する欄と、
過去に加盟申請した企業・団体が有効期限を満たしているか否かを記載する過去申請履歴有効期限を記載する欄と、
加盟申請を行った企業・団体の資本金、事業年数、従業員数等の会社の概要を示す項目を記載する会社概要を記載する欄と、を上から下にかけて順に並記し、しかもテーブル名の項目名の各欄の右横側方に、各項目名に該当するスキーマとしての各欄及びデータベースとしての各欄を設けたことにより構成した認定基準マスタ記載のシート
（２）システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、ブランド管理会社によりブランド牛の識別検索するためにブランド牛の種類毎にそれぞれ付されるブランド牛キー項目を記載する欄と、
ブランド管理会社によりブランド牛の認定基準名を記載するブランド牛認定基準を記載する欄と、
牛肉飼育家畜農家が流通申請を行った牛固有の識別番号へのチェックの有無を記載する個体識別番号チェックを記載する欄と、
牛の品種のチェック結果を記載する品種チェックを記載する欄と、
牛の産地のチェック結果を記載する産地チェックを記載する欄と、
牛の性別のチェック結果を記載する性別チェックを記載する欄と、
牛の加工日のチェック結果を記載する加工日チェックを記載する欄と、
牛の屠畜日のチェック結果を記載する屠畜日チェックを記載する欄と、
牛肉飼育家畜農家が流通申請を行った牛の格付けランクのチェック結果を記載する格付チェックを記載する欄と、
牛の傷等による傷みの瑕疵のチェック結果を記載する瑕疵チェックを記載する欄と、
牛肉の霜降りの度合いのチェック結果を記載する霜降りチェックを記載する欄と、
牛肉の色合い・光沢等のチェック結果を記載するカラーチェックを記載する欄と、
流通牛認定基準マスタ記載のシートの作成日等のその他の項目を記載するマスタ作成項目を記載する欄と、を上から下にかけて順に並記し、しかもテーブル名の項目名の各欄の右横側方に、各項目名に該当するスキーマとしての各欄及びデータベースとしての各欄を設けたことにより構成した流通牛認定基準マスタ記載のシート
（３）システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、ブランド管理会社の管理者によって加盟を認められた企業・団体を識別検索するために企業・団体毎にそれぞれ付される会社コード項目を記載する欄と、
企業・団体が参加を認可された日付を記載する認定年月日項目を記載する欄と、
加盟を認可された企業・団体の法人区分を記載する法人区分項目を記載する欄と、
企業・団体の会社名を記載する会社名項目を記載する欄と、
加盟認可を受けた企業・団体の代表者を記載する代表者項目を記載する欄と、
企業・団体の住所を記載する現在地項目を記載する欄と、
企業・団体の電話やＦＡＸ等の連絡番号を記載する連絡番号を記載する欄と、
加盟を認可された企業・団体の認定年月日や資本金等の会社概要を記載する会社概要を記載する欄と、を上から下にかけて順に並記し、しかもテーブル名の項目名の各欄の右横側方に、各項目名に該当するスキーマとしての各欄及びデータベースとしての各欄を設けたことにより構成した認定会社マスタ記載のシート
（４）システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、流通申請を認可された一例としてのブランド牛の検索をするためにブランド牛毎に付される識別コードを記載する団体識別コード項目を記載する欄と、一例としてのブランド牛の品種を記載するための品種項目を記載する欄と、
一例としてのブランド牛の最長肥育地を産地として記載するための産地項目を記載する欄と、
該ブランド牛の性別を記載する性別項目を記載する欄と、
該ブランド牛の出生年月日を記載する出生年月日項目を記載する欄と、
該ブランド牛を屠畜した屠畜場を記載する屠畜項目を記載する欄と、
屠畜場から発行される証明書記載の枝番号を記載する屠畜番号項目を記載する欄と、
該ブランド牛の格付を記載する格付項目を記載する欄と、
傷等による傷みの瑕疵の情報を記載する瑕疵情報項目を記載する欄と、
該ブランド牛の霜降りの度合いを記載する霜降り項目を記載する欄と、
該ブランド牛の色合いと光沢を記載する色彩項目を記載する欄と、
該ブランド牛の屠畜から小売業者（６０）により消費者に販売されるまでの有効期限を記載すする有効期限項目を記載する欄と、
認定牛マスタ記載のシート（１０３）の作成者、更新者、作成日、更新日等を記載するマスタ作成者項目を記載する欄と、
一例としてのブランド牛を加工した食肉加工会社（４０）や食肉卸会社（５０）を記載する流通項目を記載する欄と、を上から下にかけて順に並記し、しかもテーブル名の項目名の各欄の右横側方に、各項目名に該当するスキーマとしての各欄及びデータベースとしての各欄を設けたことにより構成した認定牛マスタ記載のシート
（５）システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、ブランド管理会社（９０）の収入金及び支出を検索するため収入及び支出度に付する資金管理項目欄と、
企業・団体から徴収した社会貢献事業を行うための資金毎に管理名を記載する資金管理名項目欄と、
補助金、供託金、支援金等の資金の管理区分を記載する資金管理区分項目欄と、
資金の貸付先や借入先を記載する貸方科目・借方科目欄と、を上から下にかけて順に並記し、しかもテーブル名の項目名の各欄の右横側方に、各項目名に該当するスキーマとしての各欄及びデータベースとしての各欄を設けたことにより構成した資金管理マスタ記載のシート
（６）システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、ブランド管理会社（９０）によって実施された社会貢献事業を検索するために各事業毎に付する事業キー項目欄と、
実施した社会貢献活動の事業区分を記載する事業区分項目欄と、
実施した社会貢献活動の事業名を記載する事業名項目欄と、
実施した社会貢献活動の実施された場所を記載する事業場所項目欄と、
実施した社会貢献活動の開始及び終了の年月日を記載する事業有効日項目欄と、
実施した社会貢献活動が実施可能な所定の資格条件を満たしていることを記載する基本参加条件項目欄と、
実施した社会貢献活動のためにブランド管理会社（９０）が支出した基本となる金額を記載する支出基本項目欄と、を上から下にかけて順に並記し、しかもテーブル名の項目名の各欄の右横側方に、各項目名に該当するスキーマとしての各欄及びデータベースとしての各欄を設けたことにより構成した貢献事業マスタ記載のシート
（７）認定されたブランド牛を流通させる各流通関係者の出資したブランド牛運営資金により社会貢献活動が実施される旨のメッセージ及び認定されたブランド牛を管理するための個体識別番号が記載された認識マーク表記載のシート
（８）認定されたブランド牛を管理するための個体識別番号を記載のシート欄と、
流通経路においてブランド牛の流通に関係した各流通関係者を示す各流通関係者を記載のシート欄と、
小売業者が行った社会貢献活動の内容を示す社会貢献活動を記載のシート欄と
が横一列に順に左右方向に記載された流通履歴情報表記載のシート
である。
【考案の効果】
【０００９】
本考案の事業必須項目記載表を印刷したシートの組合わせにより達成する社会貢献事業の全内容が一目瞭然に整理されて把握可能となり、牛肉の取引流通過程で関係する各会社(以下、取引流通会社という)から寄付金のような供託金を供出させて、その供託金はまとめて牛肉のブランドを管理するブランド管理会社へ拠出され、ブランド管理会社から小売業者に提供されて、小売業者は、その供託金を社会貢献活動費として、例えば、身障者施設への車椅子の寄付活動などのように各種地域の社会貢献活動団体の活動費用として用いるという具体的内容をこの記載表を印刷したシートから知り得る。上記のような社会貢献事業の達成を前提として本考案の事業必須項目記載表を印刷したシートは、これらの社会貢献事業の推移や現状を一目瞭然に把握できるように構成した。
この記載表を印刷したシートは、認定基準マスタ記載のシートと、流通牛認定基準マスタと、認定会社マスタ記載のシートと、認定牛マスタ記載のシートと、資金管理マスタ記載のシートと、貢献事業マスタ記載のシートと、認識マーク表記載のシートと、流通履歴情報表記載のシートとの組合わせを作成することにより構成されている。
まず、認定基準マスタ記載のシート及び流通牛認定基準マスタ記載のシートは、社会貢献事業に加盟希望の流通事業者が加盟に必要な認定基準を具備しているか否かの審査をチェックするための一覧表記載のシートであり、この社会貢献事業の成否のカギを握る適正な流通事業者を認定するために必要な項目を一覧表記載のシートとして適正な認定ができるように構成した。
認定会社マスタ記載のシートは、社会貢献事業に加盟が認められた流通事業者の企業・団体名、会社コード、法人区分、資本金等を一覧表記載のシートとして構成している。
認定牛マスタ記載のシートは、流通事業の対象となる牛が認定事業に適正であるか否かの認定を行うための認定基準を定めた一覧表記載のシートであり、この認定牛が適正な品質でなければこの社会貢献事業は成立しないと言わねばならず、この適正な認定を行うに必要な項目を一覧表記載のシートとした構成である。
資金管理マスタ記載のシートは、社会貢献事業に加盟している企業等からの寄付金などの供託金の収支を管理し、また、最終の小売業者からの販売促進のための資金の支出管理をするための一覧表記載のシートであり、金銭の透明性と社会貢献事業の中核をなす金銭の状況を明確に開示する項目を一覧表記載のシートとして構成している。
貢献事業マスタ記載のシートは、社会貢献事業に加盟する流通業者から寄付された供託金を運用することにより、小売業者が供託金により行う社会貢献事業の内容を示す一覧表記載のシートであり、社会貢献事業そのものの内容を流通業者が知るために必要な項目を一覧表記載のシートとして構成されている。
認定マーク記載のシートは、個体識別番号よりなり、生産されるブランド牛に割り振られた固有の番号からなり、ブランド牛の飼育時はブランド牛の耳標に表示されたり、肉塊に焼印表記されたり、パッケージに表記されるように構成されている。
流通履歴情報表記載のシートは、ブランド牛の流通の基本となる個体識別番号や流通関係者や、小売業者による社会貢献活動内容を示すように構成されている。
以上のような各一覧表記載のシート及び認識マーク記載のシートを一体として組合わせて構成することにより、各一覧表記載のシートの記載項目が有機的な関係として結合されてブランド牛の飼育から肉製品のパッケージに至るまでの流通状況を簡便にかつ容易に知ることができ、特に各流通業者が流通に関係した他の流通業者の行動を各一覧表記載のシートにより容易に知ることができて関連する各自の行動の適正化の認識を喚起することができる効果を有する。
更には、これらの一覧表記載のシートと識別マーク記載のシートとにより各流通業者が目的とする社会貢献事業の推移を各自が明確に把握することができる効果があり、特に、最終流通過程にある小売業者が各流通業者からの寄付による供託金を用いて社会貢献を行う本来の目的状況が各一覧表記載のシートの組合わせの記載内容を基にして認知することができる効果があり、最終的には各流通業者がブランド牛の識別マーク記載のシートを介して社会貢献を行っていることを消費者が知ることとなり、そのことによって消費の増大を生起し、寄付金等の供託金支出にもかかわらず各流通業者は各担当の一覧表記載のシートの項目を充填記載することにより、結果的には社会貢献活動に参画していることの認識と社会貢献への評価を受けることができ、ひいては、売上の拡大へとつながる効果がある。
更には、これらの各一覧表記載のシートは、これらの社会貢献事業の詳細と処理内容をインターネット回路網を用いて行う際にデータ入力のためのフォーマットの基礎とすることができる効果がある。
すなわち、これらの一覧表記載のシートや識別マーク記載のシートは、各内容項目がそのままインターネット回路網のデータとして使用できるように構成されているので、マニュアルで各一覧表記載のシートや識別マーク記載のシートの有機的管理の処理を行う場合のみならずインターネット回路網を用いたパーソナルコンピュータ装置の管理処理にもそのまま用いることができる効果がある。
すなわち、一覧表記載のシートや識別マーク記載のシートの組合わせにより、これらの内容項目をデータとして利用することにより流通業者の申請端末でインターネット回路網を利用することによりクローズされた社会貢献事業を容易に達成することができる効果がある。
【図面の簡単な説明】
【００１０】
【図１】本考案に係る社会貢献事業の概要を示す図である。
【図２】本考案に係る社会貢献事業の構成を示す図である。
【図３】本考案に係る社会貢献事業の処理の流れを示す図である。
【図４】本考案に係る社会貢献事業のデータベースを説明する印刷シート図である。
【図５】本考案に係る社会貢献事業のデータベースを説明する印刷シート図である。
【図６】本考案に係る社会貢献事業のデータベースを説明する印刷シート図である。
【図７】本考案に係る社会貢献事業のデータベースを説明する印刷シート図である。
【図８】本考案に係る社会貢献事業のデータベースを説明する印刷シート図である。
【図９】本考案に係る社会貢献事業のデータベースを説明する印刷シート図である。
【図１０】本考案に係る社会貢献事業の認識マークの一例を示す印刷シート図である。
【図１１】本考案に係る社会貢献事業の流通管理情報の一例を示す印刷シート図である。
【図１２】本考案に係る社会貢献事業の認識マークの他の一例を示す印刷シート図である。
【考案を実施するための形態】
【００１１】
以下、考案を実施するための形態（以下、「実施形態」とする）について説明する。
【００１２】
本考案に係る寄付等の供託金による社会貢献事業を伴う商品流通過程は、商品の流通過程に携わる複数の流通事業者（例えば、商品生産者、一次流通会社、加工会社、卸会社など）が商品価格の一部をそれぞれ寄付してブランド管理会社にプールすると共に、最終の販売業者である小売業者がそのプールした供託金を社会奉仕に寄付等により貢献するように使用し、しかも、消費者がかかる供託金としての寄付のプールされた流通経路を経た商品であることを認識することができるように商品には認識マークを付するように構成した流通形態が一定の事業必須項目を記載する表を印刷したシートを見ることにより詳細が一目瞭然に認識できるようにしている。
【００１３】
以下、本考案の記載表を印刷したシートの内容に従って商品流通過程の概要を図面に基づいて詳細に説明する。なお、以下の商品流通過程においては、商品を食用牛肉とし、当該食用牛肉の飼育、加工、販売にかかる社会貢献事業を一例として説明する。図１は、本考案に係るデータ記載、構造を用いた社会貢献事業の概要を示す図である。なお、本実施形態では、社会貢献事業１を食用牛肉（以下、ブランド牛ともいう）の流通に適用した例について説明する。流通される商品は、牛肉以外の食用肉（例えば、豚肉、鶏肉など）等を用いることもできる。
【００１４】
図１に示すように、社会貢献事業１を構成する企業・団体は、牛肉飼育家畜農家１０、一次流通会社２０、屠畜場３０、食肉加工会社４０、食肉卸会社５０、小売業者６０、消費者７０、各種地域・社会貢献活動団体８０及びブランド管理会社９０などの複数の事業者により構成されている。以下、社会貢献事業１を構成する上記各事業者の概要及び流通するブランド牛・活動・社会貢献事業資金（供託金）の流れを事業必須項目記載表を印刷したシートに基づき説明する。また、本実施形態における社会貢献事業１は、ブランド管理会社９０が定めるところの一定の認定基準を満たした複数の事業者間で、事業必須項目記載表を印刷したシートに基づきブランド牛を流通させることにより、消費者にとって安心・安全なブランド牛を提供することができることになる。なお、本実施形態における社会貢献事業１への認定基準の詳細は後述する。
【００１５】
また、社会貢献事業１を構成する小売業者６０を除く上記各事業者が、事業必須項目記載表を印刷したシートを作成しつつ事業必須項目記載表を印刷したシートに基づき各々一定の供託金としての寄付を社会貢献事業資金としてブランド管理会社９０に拠出することにより、ブランド管理会社９０は、当該社会貢献事業資金を管理・運用して社会貢献活動を実施する。これにより、社会貢献活動へ関心・意識の高い法人や個人などが経営する事業者が生産・流通・販売を担う社会貢献事業１とすることができる。なお、図中、太線は「牛肉飼育家畜農家１０から消費者７０までのブランド牛の流れ」を示し、図中、実線は「社会貢献活動の流れ」を示し、図中、破線は「社会貢献事業資金（以下、供託金という）の流れ」を示し、図中一点鎖線は社会貢献事業にかかる「情報提供の流れ」を示す。
【００１６】
牛肉飼育家畜農家１０は、ブランド管理会社９０によって、一定の認定基準を満たす飼育条件で食肉用の牛（以下、ブランド牛という）を飼育していると認定された牛肉飼育家畜農家１０である。そして、所定の飼育期間を終えたブランド牛を、一次流通会社２０へ出荷する（図中太線の（１））。このとき、牛肉飼育家畜農家１０は、ブランド牛の売却価格から所定の金額を供託金ｎ１としてブランド管理会社９０に拠出する。また、牛肉飼育家畜農家１０から一次流通会社２０へ出荷されたブランド牛には、所定の認識マークＦが付されている。この認識マークＦは、詳細は後述するが、社会貢献事業１におけるブランド牛の個体を識別可能な番号などで構成される。
【００１７】
このように、牛肉飼育家畜農家１０が飼育するブランド牛は、ブランド管理会社９０が定めるところの一定の認定基準を満たした複数の事業者間で流通させることができるため、安定した品質及び販路を確保することができ、一定量の販売頭数の増加を見込むことができる。また、「生産者限定牛肉」といったブランディングを展開することで最終小売段階での生産者の肖像露出によるステータスの創出も可能となる。
【００１８】
一次流通会社２０は、牛肉飼育家畜農家１０から公営の屠畜場３０への中間流通を担う。一次流通会社２０は、牛肉飼育家畜農家１０から購入したブランド牛を食肉加工会社４０へ売却する（図中太線の（２））とともに、所定の屠畜料を屠畜場３０に支払いブランド牛の屠蓄を依頼する。一次流通会社２０は、ブランド牛の売却価格から所定の金額を供託金ｎ２としてブランド管理会社９０に拠出する。
【００１９】
屠畜場３０は、一次流通会社２０から出荷されたブランド牛を屠畜して、食肉加工会社４０へ供給する（図中太線の（３））。屠畜場３０は、ブランド牛の屠畜料から所定の金額を供託金ｎ３としてブランド管理会社９０に拠出する。このとき、食肉加工会社４０へ供給するブランド牛にも、上述した所定の認識マークＦが付されている。
【００２０】
なお、屠畜場３０は一般には、「食肉処理場」「食肉センター」などの名称が付されているものが多く、これらの施設は主に食肉加工会社や第三セクター、または自治体によって設置される。本実施形態においては、第三セクターまたは自治体によって運営される公営の屠畜場３０として、屠畜場３０と食肉加工会社４０とを区別しているが、食肉加工会社４０が屠畜場３０を併せている場合は、屠畜場３０は省略してもよい。
【００２１】
食肉加工会社４０は、屠畜場３０から出荷されたブランド牛を加工する。食肉加工会社４０は、加工されたブランド牛を食肉卸会社５０へ売却する（図中太線の（４））。食肉加工会社４０は、ブランド牛の売却価格から所定の金額を供託金ｎ４としてブランド管理会社９０に拠出する。なお、食肉卸会社５０へ売却されるブランド牛は、所定の部位の肉塊として供給されるが、この肉塊にも上述した所定の認識マークＦが付されている。
【００２２】
食肉卸会社５０は、加工されたブランド牛を小売業者６０へと流通する専売権を保有する。食肉卸会社５０は、ブランド牛を小売業者６０へ販売する（図中太線の（５））。そして、販売価格から所定の金額を供託金ｎ５としてブランド管理会社９０に拠出する。また、小売業者６０へ売却されたブランド牛にも上述した所定の認識マークＦが付されている。
【００２３】
本実施形態における社会貢献事業１では、牛肉飼育家畜農家１０から小売業者６０の一つ手前の流通業者である食肉卸会社５０に至る各流通業者が、ブランド牛の流通販売に際して、その販売価格の一部である供託金ｎ１，ｎ２，ｎ３，ｎ４，ｎ５をそれぞれブランド管理会社９０に拠出する。拠出された供託金ｎ１，ｎ２，ｎ３，ｎ４，ｎ５は、ブランド管理会社９０によって社会貢献活動資金としてプールされる。
【００２４】
小売業者６０は、自己の仕入れた原価に自己の利益や経費を加算して消費者７０にブランド牛の販売を行う（図中太線の（６））。また、最終的に消費者７０が購入したブランド牛にも上述した所定の認識マークＦが付されている。このようにして、本実施形態における社会貢献事業１では、最終の消費者７０に至るまで認識マークＦが付されたブランド牛を提供している。これにより、消費者７０は、当該ブランド牛を飼育した牛肉飼育家畜農家１０や当該ブランド牛の流通にかかる各流通業者を特定することができるので、安心して購入したブランド牛を食することができる。
【００２５】
また、本実施形態においては、小売業者６０は、食肉卸会社５０から購入したブランド牛の購入価格に応じて、ブランド管理会社９０にプールされている社会貢献活動資金の一部を、社会貢献活動費の供託金Ｎとして提供されることになる。
【００２６】
この供託金Ｎは、上述したように、社会貢献事業１の流通始端の牛肉飼育家畜農家１０から、小売業者６０の一つ前の食肉卸会社５０に至るまでの各流通業者が、流通する商品（つまり、ブランド牛）の価格の一部を、自己の利益の中より除外して、供託金ｎ１，ｎ２，ｎ３，ｎ４，ｎ５としてブランド管理会社９０に拠出したものである。
【００２７】
小売業者６０は、ブランド管理会社９０から提供された供託金Ｎを社会貢献活動に用いなければならない（図中実線の（ａ））。すなわち、例えば、子供達への食育推進活動、環境保全活動、スポーツや文化推進活動、教育関連基金創設活動、身障者施設への車椅子寄付活動等の多種多様の社会貢献活動のために供託金Ｎを活用するのである。
【００２８】
このように、小売業者６０は、社会貢献活動をブランド管理会社９０から提供された供託金Ｎを基にして行うために自己の資金を要することなく、通常の流通ビジネスの遂行にともなって必然的に社会貢献活動となり実現する。小売業者６０の社会貢献活動は、本考案の社会貢献事業１の核心となるところである。
【００２９】
また、小売業者６０が社会貢献活動を行う場合、小売業者６０は、一般にどのようにして社会貢献活動を行えばよいか分からない場合がある。この場合は、社会貢献事業１のブランド管理会社９０は、小売業者６０に社会貢献活動に用いる供託金Ｎを提供するだけではなく、当該小売業者６０の近隣で実行することができる種地域・社会貢献活動団体８０の情報を提供（図中一点鎖線（Ａ））する。このため、ブランド管理会社９０は、社会貢献事業１に加盟している小売業者６０の近隣で行われている各種地域・社会貢献活動団体８０の活動情報を収集（図中一点鎖線（Ｂ））しておく。
【００３０】
このように、小売業者６０は、自己の資金を調達することなく、供託金Ｎを基にして社会貢献活動を行うことができ、かかる小売業者６０の活動は、社会的認知度を高めて消費者７０の共感を喚起し、翻っては当該小売業者６０に対する消費者７０の購買意欲を向上し、最終的には、かかる社会貢献活動を行っている小売業者６０の販売高が向上することになる。
【００３１】
このことは、社会貢献事業１において当該小売業者６０に至る各所の中間加工・流通業者においても適合することであり、小売業者６０の販売高が向上すれば当然に、他の流通業者の売上も向上し、小売業者６０に至る各流通業者はその分利潤が増加する。また、それだけではなく、社会貢献事業１にかかる複数の中間加工・流通業者が拠出した供託金ｎ１，ｎ２，ｎ３，ｎ４，ｎ５により社会貢献活動が行われるため、中間加工・流通業者にとっても、直接的・間接的に社会貢献活動に関わることができる。さらに、消費者に安全な商品（ブランド牛又はブランド牛食肉）を提供することで、会社としてのＣＳＲ（Ｃｏｒｐｏｒａｔｅ  Ｓｏｃｉａｌ  Ｒｅｓｐｏｎｓｉｂｉｌｉｔｙ）活動を充実させることができる。ここで、ＣＳＲ活動とは、企業が利益を追求するだけでなく、消費者などからの食の安全への要求に対して適切な意思決定（つまり、安全な商品を提供する。）をすることである。
【００３２】
ブランド管理会社９０は、本実施形態における社会貢献事業１を運用・管理するための会社である。以下、社会貢献事業１のブランド管理会社９０の構成及び機能を、図２を参照して説明する。
【００３３】
図２に示すように、本字実施形態の社会貢献事業１を、事業必須項目記載表を印刷したシートに基づいてインターネット回路網２００を用いて実施する場合を一例として説明すると、ブランド管理会社９０の管理端末９１と、牛肉飼育家畜農家１０の申請端末１１、一次流通会社２０の申請端末２１、屠畜場３０の申請端末３１、食肉加工会社４０の申請端末４１、食肉卸会社５０の申請端末５１及び小売業者６０の申請端末６１とを、インターネット回線網２００を介して相互に接続することにより、社会貢献事業１を実現する。管理端末９１、各申請端末１１，２１，３１，４１，５１，６１は、既存のコンピュータ（パーソナルコンピュータなどを含む）が用いられる。
【００３４】
ブランド管理会社９０の管理端末９１は、社会貢献事業１を運用・管理するための制御部９８と、制御部９８の各種機能を実行するためにデータベースとしての記憶部１００から構成されている。制御部９８は、図示しない演算装置としてのＣＰＵや記憶装置としてのＲＯＭ、ＲＡＭ、ＨＤＤ（Ｈａｒｄ  Ｄｉｓｋ  Ｄｒａｉｖｅｒ）などから構成されており、ＲＯＭ又はＨＤＤに予め記憶されている各種機能（認定管理手段９２、流通管理手段９３、トレーサビリティ手段９４、社会貢献事業実施管理手段９５、社会貢献事業資金管理手段９６、販売促進支援手段９７など）を実行するための複数のプログラムをＣＰＵが読み出して実行することで、社会貢献事業１を運用・管理している。
【００３５】
記憶部１００は、大容量のＨＤＤや不揮発性のフラッシュメモリなどで構成されている。記憶部１００には、社会貢献事業１を運用・管理するための各種データを記載する一定の表（すなわち、認定基準マスタ記載のシート１０１ａ、１０１ｂ、認定会社マスタ記載のシート１０２、認定牛マスタ記載のシート１０３、資金管理マスタ記載のシート１０４、貢献事業記載のシートマスタ１０５など）がフォーマットとして記憶されている。
【００３６】
以下、インターネット回路網２００を事業必須項目記載表を印刷したシートに基づいて機能させる場合を一例として説明するに際し、まず、図２に示すブランド管理会社９０保有の管理端末９１で実行される各種機能の役割を説明する。
認定管理手段９２は、
（１）社会貢献事業１に加盟を希望する企業・団体を、事業必須項目記載表を印刷したシートに基づいて定められた認定基準により審査して結果を管理する。
（２）加盟申請を行った企業・団体が認定されているか、また、申請内容が登録されている取引形態で申請可能か事業必須項目記載表を印刷したシートに基づいて管理する。
（３）認定された企業・団体より申請された商品（つまり、ブランド牛又はブランド牛食肉など、以下、ブランド牛ともいう）が、社会貢献事業１で流通可能なブランド牛として認定されているか事業必須項目記載表を印刷したシートに基づいて管理する。
（４）認定された企業・団体より申請された事業が社会貢献事業となりえるかを事業必須項目記載表を印刷したシートに基づき管理する。
【００３７】
すなわち、認定管理手段９２は、社会貢献事業１を構成する各流通業者である企業・団体の加盟の認定作業のために事業必須項目記載表を印刷したシートを作成して該表に基づいて加盟の是非を判断する。つまり、各流通業者である企業・団体からの加盟の申請を、後述の認定基準マスタ記載のシート１０１ａのフォーマット、すなわち、事業必須項目記載表を印刷したシートを作成して登録すると共に、当該社会貢献事業１への加盟を申請した企業・団体の加盟の是非を所定の認可条件に基づいて判断する。また、認定管理手段９２は、社会貢献事業１で小売業者６０にて実行される社会貢献事業の是非を判断して、小売業者６０に適切な社会貢献事業を案内する。
【００３８】
流通管理手段９３は、上記認定管理手段９２により認定されたブランド牛の流通情報（関連した企業情報、ブランド牛情報、取引情報など）の登録及び管理を事業必須項目記載表を印刷したシートに基づいて行う。つまり、流通管理手段９３は、社会貢献事業１におけるブランド牛及び流通にかかる各流通業者を登録する。
【００３９】
トレーサビリティ手段９４は、ブランド牛と認定された牛の固有情報（品種、産地、出生日など）・出荷日・出荷先・屠畜日・加工日などの移動履歴管理を事業必須項目記載表を印刷したシートに基づいて行う。つまり、トレーサビリティ手段９４は、牛肉飼育家畜農家１０から出荷されたブランド牛が、小売業者６０の店頭で消費者に販売されるまでの流通経路の履歴管理を事業必須項目記載表を印刷したシートに基づいて行う。このブランド牛の流通経路の履歴は、後述の図１０に示すブランド牛の流通履歴情報１１０の元となる。
【００４０】
社会貢献事業実施管理手段９５は、
（１）ブランド管理会社９０が認定している社会貢献事業を事業必須項目記載表を印刷したシートにより管理する。
（２）社会貢献事業１で実施された社会貢献事業の実施内容（実施履歴）を事業必須項目記載表を印刷したシートにより管理する。
【００４１】
つまり、社会貢献事業実施管理手段９５は、社会貢献事業１で実施された社会貢献事業の具体的な実施内容などを事業必須項目記載表を印刷したシートにより管理して表示するホームページなどにより、例えば、インターネット回線網２００を介して接続されている各流通業者の申請端末１１，２１，３１，４１，５１，６１や、消費者が所持するコンピュータ７１において、実施した社会貢献事業の内容を誰にでも分かり易く公開する機能を有する。
【００４２】
社会貢献事業資金管理手段９６は、
（１）社会貢献事業１に加盟している企業・団体からの取引高に応じた供託金ｎ１〜ｎ５（図１参照）の請求及び入金管理を事業必須項目記載表を印刷したシートに基づいて行う。
（２）認定された社会貢献事業を行う小売業者６０への供託金Ｎ（図１参照）の提供及び支出管理を事業必須項目記載表を印刷したシートに基づいて行う。
【００４３】
社会貢献事業資金管理手段９６は、社会貢献事業に支出した資金の流れを、事業必須項目記載表を印刷したシートに基づいて上記ホームページなどにより、広く一般に公開して、実施した社会貢献事業に要した資金の流れが誰にでも分かり易いように公開する機能を有する。
【００４４】
販売促進支援手段９７は、
（１）小売業者６０で消費者に販売される上記トレーサビリティ手段９４で管理されているブランド牛の移動履歴を事業必須項目記載表を印刷したシートに基づいて、ホームページなどにより消費者７０及び社会貢献事業１に加盟している企業・団体が閲覧可能とする。
（２）社会貢献事業１に加盟している企業・団体による実施履歴を事業必須項目記載表を印刷したシートに基づいてホームページなどにより消費者７０及び社会貢献事業１に加盟している企業・団体が閲覧可能とする。
（３）事業必須項目記載表を印刷したシートによりホームページや電子媒体を活用して、社会貢献事業のＰＲ活動を行う。
（４）小売業者６０を対象とした販売促進支援を行った履歴を事業必須項目記載表を印刷したシートに基づいて管理する。
【００４５】
すなわち、販売促進支援手段９７は、事業必須項目記載表を印刷したシートに基づいてホームページなどを利用して、社会貢献事業１で流通するブランド牛の生産（飼育）から小売業者６０で販売されるまでの履歴を追跡可能とするともに、社会貢献事業１で実施された事業の内容を公開する。また、社会貢献事業１における事業を一般の消費者や流通事業を営む企業・団体にＰＲすることにより、社会貢献事業１の商品価値をＰＲしたり、社会貢献事業１への参入をＰＲしたりする。
【００４６】
ブランド管理会社９０の処理の流れを、図３を参照して説明する。
まず、図３に示すように、ブランド管理会社９０の制御部９８において、事業必須項目記載表を印刷したシートに基づいた認定管理手段９２が実行される。この機能は、上述したように、ブランド管理会社９０の管理端末９１の制御部９８で実行される。
【００４７】
認定管理手段９２は、事業必須項目記載表を印刷したシートに基づいて社会貢献事業１を構成する各流通業者である企業・団体の加盟の認定作業を行う。つまり、事業必須項目記載表を印刷したシートによる各流通業者である企業・団体からの加盟の申請を、インターネット回線網２００を介して、各申請端末１１，２１，３１，４１，５１，６１から受け付ける。そして、事業必須項目記載表を印刷したシートにより受け付けた申請を認定基準マスタ記載のシート１０１ａとして登録すると共に、当該社会貢献事業１への加盟を申請した企業・団体の加盟の是非を所定の認可条件（I認定企業（企業の業績、過去の賞罰など）、II取引形態（社会貢献事業１の取引形態に応じているか）、III認定牛（所定の品質のブランド牛を取り扱っているか）、IV認定事業（社会貢献事業１で実施する社会貢献事業として適しているか））に基づいて判断する。
【００４８】
認定管理手段９２は、事業必須項目記載表を印刷したシートにより各流通業者である企業・団体からの加盟の申請が不承認であると判断すると、その旨を申請された各申請端末１１，２１，３１，４１，５１，６１へ通知する。一方、認定管理手段９２は、事業必須項目記載表を印刷したシートにより各流通業者である企業・団体からの加盟の申請が承認であると判断すると、その旨を申請された各申請端末１１，２１，３１，４１，５１，６１へ通知する。
【００４９】
認定管理手段９２が終了すると、流通管理手段９３、トレーサビリティ手段９４、社会貢献事業実施管理手段９５が実行される。流通管理手段９３は事業必須項目記載表を印刷したシートに、社会貢献事業１における各流通業者の各種情報の管理・登録を行う。トレーサビリティ手段９４は、牛肉飼育家畜農家１０から出荷されたブランド牛が、小売業者６０の店頭で消費者に７０販売されるまでの流通経路の履歴（移動履歴）を事業必須項目記載表を印刷したシートに管理・登録する。
【００５０】
社会貢献事業実施管理手段９５は、社会貢献事業１で実施された社会貢献事業の実施状況を登録する。このように、社会貢献事業１においては、流通管理手段９３、トレーサビリティ手段９４、社会貢献事業実施管理手段９５が、ブランド牛の流通や社会貢献事業の実施に応じて常に最新の情報が事業必須項目記載表を印刷したシートに登録される。
【００５１】
社会貢献事業資金管理手段９６は、社会貢献事業への資金として、社会貢献事業１を構成する牛肉飼育家畜農家１０、一次流通会社２０、屠畜場３０、食肉加工会社４０、食肉卸会社５０からそれぞれ拠出された供託金ｎ１〜ｎ５（図１参照）の収入を、社会貢献活動資金としてプールするとともに、小売業者事業に社会貢献活動資金として提供する。
【００５２】
販売促進支援手段９７は、事業必須項目記載表を印刷したシートやホームページなどを利用して、社会貢献事業１で流通するブランド牛の生産（飼育）から小売業者６０で販売されるまでの履歴を、加盟企業や消費者向け情報として公開するとともに、社会貢献事業１で実施された社会貢献事業の内容を事業必須項目記載表を印刷したシートにより公開する。また、社会貢献事業１における社会貢献事業を事業必須項目記載表を印刷したシートにより一般の消費者や流通事業を営む企業や団体にＰＲすることにより、社会貢献事業１の商品購入を消費者にＰＲしたり、社会貢献事業１への加盟を各流通業者にＰＲしたりすることができる。
【００５３】
以下、図２及び３に示すブランド管理会社９０に管理端末９１を整備した場合において、事業必須項目記載表を印刷したシートを制御部９８が各種機能を実行する際に参照されるデータベースとして、記憶部１００に記憶されている事業必須項目記載表を印刷したシートの各種データを、図４〜９を用いて説明する。
【００５４】
図４に示す認定基準マスタ記載のシート１０１ａは、上述した認定管理手段９２において、社会貢献事業１に加盟を希望する流通事業者である企業・団体が、社会貢献事業１に加盟に必要な認定基準を満たしているか否かを事業必須項目記載表を印刷したシートにより審査するための認定基準欄（企業・団体）である。
認定基準マスタ記載のシート１０１ａは、システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、
加盟申請を行う企業・団体を識別検索するために各企業・団体毎に付する企業キー項目を記載した認定基準コード記載の欄と、
加盟申請を行った企業・団体の名称を記載する認定基準名を記載する欄と、
加盟申請を行った企業・団体が過去に資格を失った履歴を記載する資格失効を記載する欄と、
加盟申請を行った企業・団体がどのような職種であるかを示す取引形態の区分を記載する取引形態区分を記載する欄と、
加盟申請を行った企業・団体が過去に業務停止などの懲罰を受けたか否かを記載する懲罰履歴チェックを記載する欄と、
懲罰の有効期限を記載する懲罰有効期限を記載する欄と、
加盟申請を行った企業・団体が過去に加盟申請を行ったか否かを記載する過去申請履歴を記載する欄と、
過去に加盟申請した企業・団体が有効期限を満たしているか否かを記載する過去申請履歴有効期限を記載する欄と、
加盟申請を行った企業・団体の資本金、事業年数、従業員数等の会社の概要を示す項目を記載する会社概要を記載する欄と、を上から下にかけて順に並記し、しかもテーブル名の項目名の各欄の右横側方に、各項目名に該当するスキーマとしての各欄及びデータベースとしての各欄を設けたことにより構成した。
【００５５】
項目Ｎｏ．１の認定基準コードは、ブランド管理会社９０の管理者によって、加盟申請を行った企業・団体毎にそれぞれ付されるキー項目であり、このキー項目を検索することにより、当該データベースにおいて、社会貢献事業１に加盟を希望する企業・団体を検索することができる。
【００５６】
項目Ｎｏ．２及び３の認定基準名（カナ）、認定基準名は、加盟申請を行った企業・団体名を示す項目である。項目Ｎｏ．４の資格失効欄は、当該加盟申請を行った企業・団体が以前、社会貢献事業１に加盟を認められていたが、何らかの問題によりその資格を失効した場合に付される記号である。
【００５７】
項目Ｎｏ．５の取引形態区分は、当該加盟申請を行った企業・団体の取引形態（食肉卸向け、食肉加工会社向けなど）の区分を示している。項目Ｎｏ．６の懲罰履歴チェック欄は、当該加盟申請を行った企業・団体が以前、営業停止などの懲罰の対象となったか否かを示しており、項目Ｎｏ．７の懲罰履歴有効期限は、営業停止などの懲罰の有効期限を示す。
【００５８】
項目Ｎｏ．８の過去申請履歴欄は、加盟申請を行った企業・団体が、過去に加盟申請を行った企業・団体であるかを示す項目である。項目Ｎｏ．９の過去申請履歴欄有効期限は、過去に当該加盟申請を行った企業・団体が、有効期限を満たしているか否かを示す項目である。
【００５９】
項目Ｎｏ．１０、１１及び１２の資本金、事業年数、従業員数は、加盟申請を行った企業・団体名の会社の概要を示す項目である。以下、予備の項目として補足１〜１０の項目が設けられ、最後に、項目Ｎｏ．５７、５６、５９、６０及び６１の項目で、当該認定基準マスタ記載のシート１０１ａの作成及び更新者、作成及び更新日などが登録されている。
【００６０】
上述したように、本字実施形態における社会貢献事業１では、社会貢献事業１に加盟を希望する企業・団体に応じて加盟に必要なデータを事業必須項目記載表を印刷したシートにより認定基準マスタ記載のシート１０１ａとして登録する。そして、ブランド管理会社９０は、認定管理手段９２により登録された各項目を、定められた認定基準により審査することで、加盟の承認又は非承認を認定する。このように、所定の認定基準を満たした企業・団体のみの加盟を認定することで、社会貢献事業１において、消費者に安全な商品（ブランド牛）を提供することを可能としている。
【００６１】
図５に示す認定基準マスタ記載のシート１０１ｂは、上記認定管理手段９２において、牛肉飼育家畜農家１０が社会貢献事業１で流通させようとしている牛が、社会貢献事業１で流通させるために必要な認定基準を満たしているか否かを事業必須項目記載表を印刷したシートにより審査するための認定基準マスタ記載のシート（牛）である。
流通牛認定基準マスタ記載のシート１０１ｂは、システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、ブランド管理会社によりブランド牛の識別検索するためにブランド牛の種類毎にそれぞれ付されるブランド牛キー項目を記載する欄と、
ブランド管理会社によりブランド牛の認定基準名を記載するブランド牛認定基準を記載する欄と、
牛肉飼育家畜農家が流通申請を行った牛固有の識別番号へのチェックの有無を記載する個体識別番号チェックを記載する欄と、
牛の品種のチェック結果を記載する品種チェックを記載する欄と、
牛の産地のチェック結果を記載する産地チェックを記載する欄と、
牛の性別のチェック結果を記載する性別チェックを記載する欄と、
牛の加工日のチェック結果を記載する加工日チェックを記載する欄と、
牛の屠畜日のチェック結果を記載する屠畜日チェックを記載する欄と、
牛肉飼育家畜農家が流通申請を行った牛の格付けランクのチェック結果を記載する格付チェックを記載する欄と、
牛の傷等による傷みの瑕疵のチェック結果を記載する瑕疵チェックを記載する欄と、
牛肉の霜降りの度合いのチェック結果を記載する霜降りチェックを記載する欄と、
牛肉の色合い・光沢等のチェック結果を記載するカラーチェックを記載する欄と、
流通牛認定基準マスタ記載のシートの作成日等のその他の項目を記載するマスタ記載のシート作成項目を記載する欄と、を上から下にかけて順に並記し、しかもテーブル名の項目名の各欄の右横側方に、各項目名に該当するスキーマとしての各欄及びデータベースとしての各欄を設けたことにより構成した。
【００６２】
項目Ｎｏ．１の認定基準コードは、ブランド管理会社９０の管理者によって、ブランド牛の種類毎にそれぞれ付されるキー項目であり、このキー項目を検索することにより、当該データベースにおいて、任意のブランド牛の認定基準を検索することができる。
【００６３】
項目Ｎｏ．２及び３の認定基準名（カナ）、認定基準名は、各ブランド牛の認定基準名を示す項目である。項目Ｎｏ．４の個体識別番号チェック欄は、牛肉飼育家畜農家１０が流通申請を行った牛固有の識別番号をチェックする項目である。
【００６４】
項目Ｎｏ．５の品種チェック欄は、牛肉飼育家畜農家１０が流通申請を行った牛の品種をチェックする項目である。項目Ｎｏ．６の産地チェック欄は、牛肉飼育家畜農家１０が流通申請を行った牛の産地をチェックする項目である。項目Ｎｏ．７の性別チェックフラグは、牛肉飼育家畜農家１０が流通申請を行った牛の性別をチェックする項目である。
【００６５】
項目Ｎｏ．８の加工日チェック欄は、牛肉飼育家畜農家１０が流通申請を行った牛の加工日が明確に把握できるか否かをチェックする項目である。項目Ｎｏ．９の屠畜日チェック欄は、牛肉飼育家畜農家１０が流通申請を行った牛の屠畜日が明確に把握できるか否かをチェックする項目である。
【００６６】
項目Ｎｏ．１０の格付チェック欄は、牛肉飼育家畜農家１０が流通申請を行った牛の格付（例えば、Ａ５，Ａ４…などの格付けランク）を把握できるか否かをチェックする項目である。項目Ｎｏ．１１の瑕疵チェック欄は、牛肉飼育家畜農家１０が流通申請を行った牛の瑕疵（例えば、傷などによる傷み）を把握できるか否かをチェックする項目である。
【００６７】
項目Ｎｏ．１２のＢＭＳチェック欄は、牛肉飼育家畜農家１０が流通申請を行った牛のＢＭＳ（ビーフ・マーブル・スタンダード：牛肉の霜降りの度合い）を把握できるか否かをチェックする項目である。項目Ｎｏ．１３のＢＣＳチェック欄は、牛肉飼育家畜農家１０が流通申請を行った牛のＢＣＳ（ビーフ・カラー・スタンダード：牛肉の「色合い」と「光沢」）を把握できるか否かをチェックする項目である。
【００６８】
以下、予備の項目として補足１〜１０の項目が設けられ、最後に、項目Ｎｏ．５７、５６、５９、６０及び６１の項目で、当該認定基準マスタ記載のシート１０１ｂの作成及び更新者、作成及び更新日などが設けられている。
【００６９】
上述したように、本字実施形態における社会貢献事業１では、牛肉飼育家畜農家１０が社会貢献事業１で流通させようとする牛に応じて認定に必要なデータを事業必須項目記載表を印刷したシートに認定基準マスタ記載のシート１０１ｂとして登録する。そして、登録された各項目を、定められた認定基準により審査することで、社会貢献事業１での流通の承認又は非承認を認定している。このように、所定の認定基準を満たした牛のみの流通を認定することで、社会貢献事業１において、消費者に安全な商品（ブランド牛）を提供することを可能としている。
【００７０】
図６に示す認定会社マスタ記載のシート１０２は、上述した認定管理手段９２において、社会貢献事業１に加盟が認められた流通事業者である企業・団体の登録データである。
認定会社マスタ記載のシート１０２は、システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、ブランド管理会社の管理者によって加盟を認められた企業・団体を識別検索するために企業・団体毎にそれぞれ付される会社コード項目を記載する欄と、
企業・団体が参加を認可された日付を記載する認定年月日項目を記載する欄と、
加盟を認可された企業・団体の法人区分を記載する法人区分項目を記載する欄と、
企業・団体の会社名を記載する会社名項目を記載する欄と、
加盟認可を受けた企業・団体の代表者を記載する代表者項目を記載する欄と、
企業・団体の住所を記載する現在地項目を記載する欄と、
企業・団体の電話やＦＡＸ等の連絡番号を記載する連絡番号を記載する欄と、
加盟を認可された企業・団体の認定年月日や資本金等の会社概要を記載する会社概要を記載する欄と、を上から下にかけて順に並記し、しかもテーブル名の項目名の各欄の右横側方に、各項目名に該当するスキーマとしての各欄及びデータベースとしての各欄を設けたことにより構成した。
【００７１】
項目Ｎｏ．１の会社コードは、ブランド管理会社９０の管理者によって、加盟申請を認可された企業・団体毎にそれぞれ付されるキー項目であり、このキー項目を検索することにより、事業必須項目記載表を印刷したシートの当該データベースにおいて、社会貢献事業１に加盟している企業・団体を検索することができる。
【００７２】
項目Ｎｏ．２の認定年月日は、加盟申請を行った企業・団体名が社会貢献事業１への参加を認可された日付が登録された項目である。項目Ｎｏ．３の法人区分は、加盟を認可された企業・団体の法人区分（例えば、株式会社、有限会社など）が登録された項目である。
【００７３】
項目Ｎｏ．４及び５の会社名、会社名（カナ）は、加盟を認可された企業・団体の会社名が登録された項目である。項目Ｎｏ．６の略称・屋号は、加盟を認可された企業・団体の会社名の略称・屋号が登録された項目である。項目Ｎｏ．７の代表者名は、加盟を認可された企業・団体の代表者（原則として、代表取締役社長）の指名が登録された項目である。
【００７４】
項目Ｎｏ．８の現在地は、加盟を認可された企業・団体の会社の住所が登録された項目である。項目Ｎｏ．９及び１０の代表電話番号、ＦＡＸ番号は、加盟を認可された企業・団体の電話番号（代表）、ＦＡＸ番号が登録された項目である。
【００７５】
項目Ｎｏ．１１及び１２の設立年月日、資本金は、加盟を認可された企業・団体名の会社の概要を示す項目であり、その他、従業員数、事業年数などが登録されている。以下、予備の項目として補足１〜１０の項目が設けられ、最後に、項目Ｎｏ．５７、５６、５９、６０及び６１の項目で、当該認定会社マスタ記載のシート１０２の作成及び更新者、作成及び更新日などが設けられている。
【００７６】
このように、本字実施形態における社会貢献事業１では、社会貢献事業１への登録を認可された企業・団体の登録データが事業必須項目記載表を印刷したシートとしての認定会社マスタ記載のシート１０２に登録されている。そして、認定会社マスタ記載のシート１０２の登録データを、流通管理手段９３で管理することにより、社会貢献事業１に登録されている企業・団体の会社の内容を必要な時に検索することができる。
【００７７】
図７に示す認定牛マスタ記載のシート１０３は、上記認定管理手段９２において、社会貢献事業１での流通を認可された、牛肉飼育家畜農家１０が飼育したブランド牛の登録データである。
認定牛マスタ記載のシート１０３は、システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、流通申請を認可された一例としてのブランド牛の検索をするためにブランド牛毎に付される識別コードを記載する団体識別コード項目を記載する欄と、一例としてのブランド牛の品種を記載するための品種項目を記載する欄と、
一例としてのブランド牛の最長肥育地を産地として記載するための産地項目を記載する欄と、
該ブランド牛の性別を記載する性別項目を記載する欄と、
該ブランド牛の出生年月日を記載する出生年月日項目を記載する欄と、
該ブランド牛を屠畜した屠畜場を記載する屠畜項目を記載する欄と、
屠畜場から発行される証明書記載の枝番号を記載する屠畜番号項目を記載する欄と、
該ブランド牛の格付を記載する格付項目を記載する欄と、
傷等による傷みの瑕疵の情報を記載する瑕疵情報項目を記載する欄と、
該ブランド牛の霜降りの度合いを記載する霜降り項目を記載する欄と、
該ブランド牛の色合いと光沢を記載する色彩項目を記載する欄と、
該ブランド牛の屠畜から小売業者（６０）により消費者に販売されるまでの有効期限を記載すする有効期限項目を記載する欄と、
認定牛マスタ記載のシート（１０３）の作成者、更新者、作成日、更新日等を記載するマスタ作成者項目を記載する欄と、
一例としてのブランド牛を加工した食肉加工会社（４０）や食肉卸会社（５０）を記載する流通項目を記載する欄と、を上から下にかけて順に並記し、しかもテーブル名の項目名の各欄の右横側方に、各項目名に該当するスキーマとしての各欄及びデータベースとしての各欄を設けたことにより構成した。
【００７８】
項目Ｎｏ．１の団体識別コードは、ブランド管理会社９０の管理者によって、流通申請を認可されたブランド牛毎にそれぞれ付されるキー項目であり、このキー項目を検索することにより、当該データベースにおいて、社会貢献事業１で流通している、牛肉飼育家畜農家１０が飼育したブランド牛を検索することができる。
【００７９】
項目Ｎｏ．２の品種は、ブランド牛の品種が登録されている。項目Ｎｏ．３の産地は、ブランド牛の産地が登録されている。ここで、ブランド牛の産地として登録される地域は、当該ブランド牛の最長肥育地が産地として登録される。項目Ｎｏ．４の性別は、ブランド牛の性別が登録されている。
【００８０】
項目Ｎｏ．５の出生年月日は、ブランド牛の出生年月日が登録されている。項目Ｎｏ．６の屠畜日は、ブランド牛の屠畜日が登録されている。項目Ｎｏ．７の屠畜コードは、ブランド牛を屠畜した屠畜場が登録されている。項目Ｎｏ．８の屠畜番号は、ブランド牛を屠畜した屠畜場から発行される証明書記載の枝番号が登録されている。
【００８１】
項目Ｎｏ．９の格付は、ブランド牛の格付（例えば、Ａ５，Ａ４…などの格付けランク）が登録されている。項目Ｎｏ．１０の瑕疵情報は、ブランド牛の瑕疵（例えば、傷などによる傷み）の情報が所定のコードで登録されている。項目Ｎｏ．１１のＢＭＳは、ブランド牛のＢＭＳ（ビーフ・マーブル・スタンダード：牛肉の霜降りの度合い）が登録されている。項目Ｎｏ．１２のＢＣＳは、ブランド牛のＢＣＳ（ビーフ・カラー・スタンダード：牛肉の「色合い」と「光沢」）が登録されている。項目Ｎｏ．１３の有効期限日は、ブランド牛が屠畜されてから小売業者６０で消費者に販売されるまでの有効期限が登録されている。
【００８２】
以下、予備の項目として補足１〜１０の項目が設けられ、最後に、項目Ｎｏ．２４、２５、２６、２７及び２８の項目で、当該認定牛マスタ記載のシート１０３の作成及び更新者、作成及び更新日などが登録されている。また、認定牛マスタ記載のシート１０３では、当該ブランド牛を加工した食肉加工会社４０、食肉卸会社５０なども所定の項目で登録されており（流通項目欄）、認定牛マスタ記載のシート１０３に登録されている事業必須項目記載表を印刷したシートの各種データにより、後述の図１０に示すブランド牛の流通履歴情報１１０を検索することができる。
【００８３】
このように、本字実施形態における社会貢献事業１では、社会貢献事業１への登録を認可された牛肉飼育家畜農家１０が飼育するブランド牛に応じて必要なデータが、事業必須項目記載表を印刷したシートとして認定牛マスタ記載のシート１０３として登録されている。そして、認定牛マスタ記載のシート１０３の登録データの事業必須項目記載表を印刷したシートを、流通管理手段９３で管理することにより、社会貢献事業１に流通するブランド牛の流通履歴を必要な時に検索することができる。
【００８４】
図８に示す資金管理マスタ記載のシート１０４は、上述した社会貢献事業資金管理手段９６又は販売促進支援手段９７において、社会貢献事業１に加盟している企業・団体からの供託金ｎ１〜ｎ５（図１参照）等の収入や、小売業者６０に提供する社会貢献事業を支援するための供託金Ｎ（図１参照）の支出を管理するための事業必須項目記載表を印刷したシートとしてのデータである。また、資金管理マスタ記載のシート１０４は、社会貢献事業だけではなく、販売促進支援手段９７における販路拡大及び小売業者６０への販売促進のための資金などの支出も管理する。
資金管理マスタ記載のシート１０４は、システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、ブランド管理会社（９０）の収入金及び支出を検索するため収入及び支出度に付する資金管理項目を記載する欄と、
企業・団体から徴収した社会貢献事業を行うための資金毎に管理名を記載する資金管理名項目を記載する欄と、
補助金、供託金、支援金等の資金の管理区分を記載する資金管理区分項目を記載する欄と、
資金の貸付先や借入先を記載する貸方科目・借方科目を記載する欄と、を上から下にかけて順に並記し、しかもテーブル名の項目名の各欄の右横側方に、各項目名に該当するスキーマとしての各欄及びデータベースとしての各欄を設けたことにより構成した。
【００８５】
項目Ｎｏ．１の資金管理コードは、ブランド管理会社９０の管理者によって、ブランド管理会社９０の収入及び支出毎にそれぞれ付されるキー項目であり、このキー項目を検索することにより、事業必須項目記載表を印刷したシートとしての当該データベースにおいて、社会貢献事業１における資金の流れを検索することができる。
【００８６】
項目Ｎｏ．２及び３の資金管理名（カナ）、資金管理名は、社会貢献事業１に加盟している企業・団体名から徴収した社会貢献事業を行うための資金又は小売業者６０への販売促進のための資金毎に管理名が付されてもので、ブランド管理会社９０にプールされている資金毎に登録されている。
【００８７】
項目Ｎｏ．４の資金管理区分は、当該資金の管理区分（１．補助金、２．供託金、３．支援金…など）が登録されている。項目Ｎｏ．５及び６の貸方科目コード、借方科目コードは、当該資金の貸付先や借入先を登録している。
【００８８】
以下、項目Ｎｏ．７〜１６は、予備の項目として補足１〜１０の項目が設けられ、最後に、項目Ｎｏ．１７、１８、１８、２０及び２１の項目で、当該資金管理マスタ記載のシート１０４の作成及び更新者、作成及び更新日などが設けられている。
【００８９】
上述したように、本字実施形態における社会貢献事業１では、ブランド管理会社９０の収入や支出などの資金の流れを管理することにより、社会貢献事業１に加盟している企業・団体に対して、安心して当該社会貢献事業１へ参加できることを可能としている。
【００９０】
図９に示す貢献事業マスタ記載のシート１０５は、上述した社会貢献事業実施管理手段９５において、社会貢献事業１に加盟する流通業者うち、小売業者６０を除く企業・団体から拠出された供託金ｎ１〜ｎ５（図１参照）を運用し、小売業者６０が供託金Ｎ（図１参照）を資金として実施した社会貢献事業を登録したものである。
貢献事業マスタ記載のシート１０５は、システム名の欄とテーブル名の欄と作成者の欄と承認者の欄と作成日の欄とを大枠の最上段にそれぞれ隣り合わせで横一列に並記し、システム名の欄の下方にテーブル名としての項目名を記載する欄を設け、テーブル名の欄の下方にスキーマとしての型、長さ、小数、必須、主キーを記載する欄をそれぞれ横一列の隣り合わせに設け、作成者、承認者、作成日の横一列の欄の下方にデータベースとしての名称を記載する備考の欄を設け、
テーブル名としての項目名を記載する欄の更に下方に、ブランド管理会社（９０）によって実施された社会貢献事業を検索するために各事業毎に付する事業キー項目を記載する欄と、
実施した社会貢献活動の事業区分を記載する事業区分項目を記載する欄と、
実施した社会貢献活動の事業名を記載する事業名項目を記載する欄と、
実施した社会貢献活動の実施された場所を記載する事業場所項目を記載する欄と、
実施した社会貢献活動の開始及び終了の年月日を記載する事業有効日項目を記載する欄と、
実施した社会貢献活動が実施可能な所定の資格条件を満たしていることを記載する基本参加条件項目を記載する欄と、
実施した社会貢献活動のためにブランド管理会社（９０）が支出した基本となる金額を記載する支出基本項目を記載する欄と、を上から下にかけて順に並記し、しかもテーブル名の項目名の各欄の右横側方に、各項目名に該当するスキーマとしての各欄及びデータベースとしての各欄を設けたことにより構成した。
【００９１】
項目Ｎｏ．１の事業Ｎｏ．は、ブランド管理会社９０の管理者によって、実施された社会貢献事業毎にそれぞれ付されるキー項目であり、このキー項目を検索することにより、当該データベースにおいて、社会貢献事業１で実施された社会貢献事業を検索することができる。
【００９２】
項目Ｎｏ．２の事業区分は、実施した社会貢献活動の事業区分（環境、販促、物品提供など）が登録されている。項目Ｎｏ．３及び４の事業名（カナ）、事業名は、実施した社会貢献活動の事業名が登録されている。項目Ｎｏ．４の事業内容は、実施した社会貢献活動の事業内容が登録されている。この事業内容としては、例えば、地産地消推進、子供たちへの食育推進、環境保全活動、スポーツ・文化推進、教育関連基金などがある。
【００９３】
項目Ｎｏ．６の事業場所は、実施した社会貢献活動が実施された場所が登録されている。項目Ｎｏ．７及び８の事業有効開始何月日、事業有効終了何月日は、実施した社会貢献活動の開始年月日及び終了年月日が登録されている。項目Ｎｏ．９の基本参加条件は、実施した社会貢献活動が、社会貢献事業１において、実施可能な所定の資格条件を満たしていることが登録されている。項目Ｎｏ．１０の支出基本金額は、実施した社会貢献活動のためにブランド管理会社９０が支出した基本となる金額（図１に供託金Ｎ）が登録されている。
【００９４】
以下、項目Ｎｏ．１１〜２０は、予備の項目として補足１〜１０の項目が設けられ、最後に、項目Ｎｏ．２１、２２、２３、２４及び２５の項目で、当該資金管理マスタ記載のシート１０４の作成及び更新者、作成及び更新日などが設けられている。
【００９５】
上述したように、本実施形態における社会貢献事業１では、実施した社会貢献事業を社会貢献事業実施管理手段９５で管理し、事業必須項目記載表を印刷したシートとしての貢献事業マスタ記載のシート１０５に登録しておくことにより、社会貢献事業１を構成する企業団体だけではなく、一般の消費者でも、実施された社会貢献活動を検索することを可能としている。実際の運用としては、ブランド管理会社９０が、実施した社会貢献事業をホームページで検索可能とし、例えば、消費者が購入したブランド牛に付されている認識マークＦ（社会貢献事業１で流通したブランド牛を管理するための個体識別番号など）に基づいて、実施された社会貢献事業を検索して表示可能とすることが望ましい。
【００９６】
ここで、図１０を用いてブランド牛に付されている認識マークＦを説明する。認識マーク表を記載したシートは、認定されたブランド牛を流通させる各流通関係者の出資したブランド牛運営資金により社会貢献活動が実施される旨のメッセージ及び認定されたブランド牛を管理するための個体識別番号が記載されている。
本実施形態における社会貢献事業１で用いられる認識マークＦには、図示するように、該ブランド牛を流通させる各流通関係者の出資したブランド牛運営資金により、社会貢献活動が実施される旨のメッセージＦ１「売り上げの一部を社会貢献に役立てます！」が記載されている。消費者７０がこのメッセージを目にすることにより、小売業者６０は、その社会貢献活動による社会的評価を受けることができる。これにより、当該小売業者６０と接する消費者７０に購買意欲を喚起させて販売促進させることができる。
【００９７】
また、認識マークＦには、認定されたブランド牛を管理するための個体識別番号Ｆ２が記載されている。個体識別番号Ｆ２は、生産されるブランド牛に割り振られる固有の番号であり、例えば、１０桁の数字やアルファベット等などから構成される。なるこの個体識別番号Ｆ２は、ブランド牛が飼育されているときは、ブランド牛の耳に取り付けられる耳標に表記され、屠蓄されてブランド牛の肉塊と部位毎に仕分けされてからは該肉塊に焼印等により表記されたり、該肉塊が加工された場合は、加工したブランド牛を収容するパッケージに表記されたりするようになっており、肉牛の誕生から牛肉として消費者に至る全流通経路に一貫して表記され、最終的には上述したように、小売業者６０の社会貢献活動の特定表記に使用される。
【００９８】
すなわち、個体識別番号Ｆ２は、例えば、流通経路において、ある流通過程から次の流通過程にブランド牛を売却する際の伝票等に記入されるようになっている。ブランド牛を売却する際には、ブランド牛の流通履歴が流通履歴情報１１０（図１０参照）として個体識別番号Ｆ２に応じてブランド管理会社９０の記憶部１００に記憶され、この流通履歴情報１１０に基づいてブランド牛の流通管理が行われるようになっている。なお、流通履歴とは、流通した記ブランド牛の個体識別番号Ｆ２に記憶されているブランド牛の流通に関わった複数の流通関係者の履歴である。なお、上記認識マークＦに記載される個体識別番号Ｆ２は、１０桁の数字やアルファベット等の限らず、例えば、二次元バーコードなどで表記してもよい。
【００９９】
以下、図１１を用いて流通履歴情報１１０を説明する。
流通履歴情報表記載のシートは、認定されたブランド牛を管理するための個体識別番号を記載のシートの欄と、
流通経路においてブランド牛の流通に関係した各流通関係者を示す各流通関係者を記載のシートの欄と、
小売業者が行った社会貢献活動の内容を示す社会貢献活動を記載のシートの欄と
が横一列に順に左右方向に記載されている。
流通履歴情報表記載のシート１１０は、図１１に示すように構成されており、「個体識別番号」、「各流通関係者」及び「社会貢献活動」の項目の欄が設けられている。
【０１００】
「各流通関係者」の項目の欄は、流通経路においてブランド牛の流通に関係した各流通関係者を示す項目であり、各流通過程を経る毎に入力・更新されるようになっている。例えば、牛肉飼育家畜農家１０から一次流通会社２０にブランド牛を販売する際には（図１中、（１））、ブランド管理会社９０にその売上の一部が寄付されるとともに、流通履歴が通知される。ブランド管理会社９０に流通履歴が通知されると、流通履歴情報１１０に該流通履歴を追記する。例えば、図１１の１行目に示す例では、Ｃ列に「ｂ会社」が追記される。
【０１０１】
また、「社会貢献活動」の項目の欄は、小売業者６０が行った社会貢献活動の内容（以下、「活動内容」という）を示す項目の欄であり、小売業者６０から活動内容が通知される毎に入力されるようになっている。例えば、図１１の１行目に示す例では、「車椅子の提供」が入力されている。
【０１０２】
各種地域・社会貢献活動団体８０とは例えば、ライオンズ、ユニセフ又はロータリ等である。また、社会貢献活動とは、例えば、地産地消推進、子供たちへの食育推進、環境保全活動、スポーツ・文化推進、教育関連基金である。
【０１０３】
上述してきたように、本実施形態に係る社会貢献事業１によれば、当該社会貢献事業１を提唱するブランド管理会社９０は、所定の認定基準を満たしたブランド牛を飼育する牛肉飼育家畜農家１０からブランド牛の提供を受けることができる。また、各流通業者（一次流通会社２０、屠畜場３０、食肉加工会社４０、食肉卸会社５０）においても、所定の認定基準を満たした企業・団体から構成されているため、消費者が安心して購入することができるブランド牛の提供することができる。
【０１０４】
また、単に品質のよいブランド牛を消費者に提供するだけではなく、社会貢献事業１を構成する牛肉飼育家畜農家１０、一次流通会社２０、屠畜場３０、食肉加工会社４０、及び食肉卸会社５０は、ブランド牛の流通にかかるそれぞれ販売価格から一定の金額を社会貢献事業資金としてブランド管理会社９０に拠出する。そして、ブランド管理会社９０は、一旦プールした社会貢献事業資金を、小売業者６０に提供して社会貢献事業を実施させる。このような社会貢献事業１によれば、小売業者６０が消費者に販売するブランド牛に社会貢献事業資金を上乗せすることないので、ブランド牛の価格の高騰を抑えることができる。
【０１０５】
また、消費者にとっても、自身が購入したブランド牛により社会貢献活動が実施されることで、社会貢献事業１の商品の購入意欲を高めることができ、ブランド牛の販売高の向上に繋がる。更に、小売業者６０を除く複数の流通事業者にとっても、直接的・間接的に社会貢献活動に関わることで、会社で働く従業員の労働意欲を向上させることができる。さらに、消費者に安全な商品（ブランド牛）を提供することで、会社としてのＣＳＲ（Ｃｏｒｐｏｒａｔｅ  Ｓｏｃｉａｌ  Ｒｅｓｐｏｎｓｉｂｉｌｉｔｙ）活動を充実させることができる。
【０１０６】
また、本実施形態における社会貢献事業１は、地元で収穫した農水産物をその土地内で消費する「地産地消」を推進することができる。つまり、地元の「顔が見える生産者」としてブランド牛を生産する牛肉飼育家畜農家１０と、その近隣（例えば、同じ都道府県）の一次流通会社２０、屠畜場３０、食肉加工会社４０、及び食肉卸会社５０から社会貢献事業１を構成し、地元の小売業者６０にブランド牛を販売することで、消費者にとってより親近感が沸き、安心して購入できる商品を提供することができる。また、「地産地消」を推進することにより、例えば、ブランド牛の余計な流通コスト（つまり、商品の長距離に亘る運搬費用など）を抑えることで、ブランド牛の小売業者６０における販売価格を抑えることもできる。
【０１０７】
なお、本実施形態では、認識マーク記載のシートＦに個体識別番号Ｆ２を付すようにしたが、これには限定されず、例えば、図１２に示すように、個体識別番号Ｆ２に加え、各流通過程を経る毎に付される管理番号Ｆ３を付してもよい。管理番号Ｆ３とは、予め付与されている流通業者を示す数字や記号からなる符合であり、例えば、一次流通会社２０に管理番号Ｆ３「１」、食肉加工会社４０に管理番号Ｆ３「２」、食肉卸会社５０に管理番号Ｆ３「３」、そして、小売業者６０に管理番号Ｆ３「４」が付与されている場合は、当該肉牛が小売業者６０まで到達した時には、個体識別番号Ｆ２及び管理番号Ｆ３は「１１１１１１１１１１−１−２−３−４」が記載される。これにより、消費者７０等は、該管理番号Ｆ３を参照することで、認識マークＦが付された肉牛の流通経路の追跡を容易に行うことができる。
【０１０８】
以上、本考案の実施形態を図面に基づいて詳細に説明したが、これらは例示であり、当業者の知識に基づいて種々の変形、改良を施した他の形態で本考案を実施することが可能である。
【符号の説明】
【０１０９】
１  社会貢献事業
１０  牛肉飼育家畜農家
２０  一次流通会社
３０  屠畜場
４０  食肉加工業者
５０  食肉卸業者
６０  小売業者
７０  消費者
８０  各種地域・社会貢献活動団体
９０  ブランド管理会社
９１  管理端末
９２  認定管理手段
９３  流通管理手段
９４  トレーサビリティ手段
９５  社会貢献事業実施管理手段
９６  社会貢献事業資金管理手段
９７  販売促進支援手段
９８  制御部
１００  記憶部
１０１ａ  認定基準マスタ記載のシート（企業・団体）
１０１ｂ  認定基準マスタ記載のシート（牛）
１０２  認定会社マスタ記載のシート
１０３  認定牛マスタ記載のシート
１０４  資金管理マスタ記載のシート
１０５  貢献事業マスタ記載のシート